(57)【要約】  本発明の実施形態は、コードブックベースのチャネル状態情報のフィードバック方法及びデバイスを提供する。方法は、ユーザ機器ＵＥにより、送信／受信ポイントＴＲＰにプリコーディング行列インジケータＰＭＩを送信する段階を含み、ＰＭＩは、目標プリコーディング行列、及び、ブロックコードブックの差分パラメータに対応するパラメータ値を示すために用いられ、目標プリコーディング行列は、コードブック内のプリコーディング行列であり、コードブックは、コードブック構成パラメータに基づいてＵＥにより予め生成されたコードブックであり、コードブック内の少なくともいくつかのプリコーディング行列は、ブロックコードブック内のプリコーディング行列と、パラメータ値とからの変換を通じて得られ、少なくとも２つのブロックコードブックがあり、パラメータ値の数と、ブロックコードブックの数との間には対応関係があり、コードブック構成パラメータは、コードブック内のブロックコードブックの数、及び、ブロックコードブック内のプリコーディング行列に対応するベクトルの長さを含み、ブロックコードブックは、予め設定されたプリコーディング行列に基づいて形成される。実施形態によれば、ビーム精度及びシステム性能を向上させることができる。
2019537304.tif 000002
【特許請求の範囲】
【請求項１】
通信方法であって、
端末デバイスにより、無線アクセスネットワークデバイスにプリコーディング行列インジケータ情報を送信する段階であって、前記プリコーディング行列インジケータ情報は、コードブック内のプリコーディング行列を示すために用いられ、前記コードブックは、ブロックコードブックの数に関する情報及び異なるブロックコードブック間の位相差についての情報を有し、前記ブロックコードブックの前記数は、少なくとも２つである、段階と、
前記端末デバイスにより、前記無線アクセスネットワークデバイスからダウンリンクデータを受信する段階と
を備える方法。
【請求項２】
通信方法であって、
端末デバイスにより、無線アクセスネットワークデバイスにプリコーディング行列インジケータ情報を送信する段階であって、前記プリコーディング行列インジケータ情報は、コードブック内のプリコーディング行列を示すために用いられ、前記コードブックは、対応するアンテナパネルの数に関する情報及び異なる対応するアンテナパネル間の位相差に関する情報を有する、段階と、
前記端末デバイスにより、前記無線アクセスネットワークデバイスからダウンリンクデータを受信する段階と
を備える方法。
【請求項３】
通信方法であって、
端末デバイスにより、無線アクセスネットワークデバイスにプリコーディング行列インジケータ情報を送信する段階であって、前記プリコーディング行列インジケータ情報は、コードブック内のプリコーディング行列を示すために用いられ、前記コードブックは、アンテナポートグループの数、及び、異なるアンテナポートグループ間の位相係数に関する情報を有する、段階と、
前記端末デバイスにより、前記無線アクセスネットワークデバイスからダウンリンクデータを受信する段階と
を備える方法。
【請求項４】
前記コードブック内の前記プリコーディング行列は、
【数５１５】
2019537304.tif 000527
であり、Ｗの上付き記号は、ランク数を表し、φｎ＝ｅｊπｎ／２は、アンテナの２つの偏波方向間の位相差又は位相係数を表し、ｎの値の範囲は、｛０，１，２，３｝を満たし、ｌ及びｍはそれぞれ第１のＰＭＩの関数を表し、ｅは自然定数を表し、ｊは単位虚数を表し、πは円周率を表し、
【数５１６】
2019537304.tif 000528
であり、ｖｌは、長さがＫ１であるＤＦＴベクトルを表し、ｖｌのｋ１番目の要素は、
【数５１７】
2019537304.tif 000529
であり、ｋ１の値は、｛１，２，・・・，Ｋ１−１｝であってよく、Ｋ１は、各アンテナポートグループ内の水平次元におけるＣＳＩ−ＲＳポートの数であり、
【数５１８】
2019537304.tif 000530
であり、ｕｍは、長さがＫ２であるＤＦＴベクトルを表し、ｕｍのｋ２番目の要素は、
【数５１９】
2019537304.tif 000531
であり、ｋ２の値は、｛１，２，・・・，Ｋ２−１｝であってよく、Ｋ２は、各グループ内の垂直次元におけるＣＳＩ−ＲＳポートの数であり、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｏ１及びＯ２は、オーバサンプリング係数を表し、
【数５２０】
2019537304.tif 000532
は、クロネッカー積を表し、Ｎは、前記アンテナポートグループの数を表し、又は、アンテナパネルの数を表し、又は、Ｎは２又は４である
ことを満たす、請求項１から３のいずれか一項に記載の方法。
【請求項５】
前記コードブック内の前記プリコーディング行列は、
【数５２１】
2019537304.tif 000533
であり、Ｗの上付き記号は、ランク数を表し、
【数５２２】
2019537304.tif 000534
であり、ｖｌ，ｍは、長さがＫ１×Ｋ２であるベクトルを表し、ｖｌ，ｍのｋ１番目の要素は、
【数５２３】
2019537304.tif 000535
であり、ｋ１の値は、｛１，２，・・・，Ｋ１−１｝であってよく、Ｋ１は、各グループ内の水平次元におけるＣＳＩ−ＲＳポートの数であり、
【数５２４】
2019537304.tif 000536
又は、
【数５２５】
2019537304.tif 000537
であり、ｕｍは、長さがＫ２であるＤＦＴベクトルを表し、ｕｍのｋ２番目の要素は、
【数５２６】
2019537304.tif 000538
であり、ｋ２の値は、｛１，２，・・・，Ｋ２−１｝であってよく、Ｋ２は、各グループ内の垂直次元におけるＣＳＩ−ＲＳポートの数であり、Ｏ１及びＯ２は、オーバサンプリング係数を表し、ｌ及びｍはそれぞれ第１のＰＭＩの関数を表し、φｎ＝ｅｊπｎ／２はアンテナの２つの偏波方向間の位相差又は位相係数を表し、ｎの値は｛０，１，２，３｝であり、ｅは自然定数を表し、ｊは単位虚数を表し、πは円周率を表し、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｎは、前記アンテナポートグループの数を表し、又は、Ｎはアンテナパネルの数を表し、又は、Ｎは２、４又は８である
ことを満たす、請求項１から３のいずれか一項に記載の方法。
【請求項６】
前記コードブック内の前記プリコーディング行列は、
【数５２７】
2019537304.tif 000539
であり、Ｗの上付き記号は、ランク数を表し、
【数５２８】
2019537304.tif 000540
であり、ｖｌは、長さがＫ１であるＤＦＴベクトルを表し、ｖｌのｋ１番目の要素は、
【数５２９】
2019537304.tif 000541
であり、ｋ１の値は、｛１，２，・・・，Ｋ１−１｝であってよく、Ｋ１は、各アンテナポートグループ内の水平次元におけるＣＳＩ−ＲＳポートの数であり、
【数５３０】
2019537304.tif 000542
であり、ｕｍは、長さがＫ２であるＤＦＴベクトルを表し、ｕｍのｋ２番目の要素は、
【数５３１】
2019537304.tif 000543
であり、ｋ２の値は、｛１，２，・・・，Ｋ２−１｝であってよく、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、前記第１のＰＭＩとの対応関係を有し、Ｏ１及びＯ２は、オーバサンプリング係数を表し、
【数５３２】
2019537304.tif 000544
は、クロネッカー積を表し、ｅは自然定数を表し、ｊは単位虚数を表し、πは円周率を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、前記アンテナポートグループの数とアンテナの偏波方向の数との積を表し、又は、Ｎは２、４又は８である
ことを満たす、請求項１から３のいずれか一項に記載の方法。
【請求項７】
前記コードブック内の前記プリコーディング行列は、
【数５３３】
2019537304.tif 000545
であり、Ｗの上付き記号は、ランク数を表し、
【数５３４】
2019537304.tif 000546
であり、ｖｌ，ｍは、長さがＫ１×Ｋ２であるベクトルを表し、ｖｌ，ｍのｋ１番目の要素は、
【数５３５】
2019537304.tif 000547
であり、ｋ１の値は、｛１，２，・・・，Ｋ１−１｝であってよく、Ｋ１は、各アンテナポートグループ内の水平次元におけるＣＳＩ−ＲＳポートの数であり、
【数５３６】
2019537304.tif 000548
又は、
【数５３７】
2019537304.tif 000549
であり、ｕｍは、長さがＫ２であるＤＦＴベクトルを表し、ｕｍのｋ２番目の要素は、
【数５３８】
2019537304.tif 000550
であり、ｋ２の値は、｛１，２，・・・，Ｋ２−１｝であってよく、Ｋ２は、各アンテナポートグループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、ｍは、第１の垂直コードブックインデックスの関数であり、前記第１のＰＭＩとの対応関係を有し、Ｏ１及びＯ２は、オーバサンプリング係数を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、前記アンテナポートグループの数とアンテナの偏波方向の数との積を表し、又は、Ｎは２、４又は８である
ことを満たす、請求項１から３のいずれか一項に記載の方法。
【請求項８】
前記位相係数は、θｒ＝２πｉ２，ｒ／Ｘであり、Ｘは、｛２，４，８，...｝のセット内の値であり得、ｒ＝１，・・・，Ｎ−１であり得る、請求項６又は７に記載の方法。
【請求項９】
前記端末デバイスにより、前記無線アクセスネットワークデバイスから高次レイヤシグナリングを受信する段階であって、前記高次レイヤシグナリングは、前記ブロックコードブックの数に関する前記情報を有する、段階を備える、請求項１及び４から８のいずれか一項に記載の方法。
【請求項１０】
前記端末デバイスにより、前記無線アクセスネットワークデバイスから高次レイヤシグナリングを受信する段階であって、前記高次レイヤシグナリングは、対応する前記アンテナパネルの数に関する前記情報を有する、段階を備える、請求項２及び４から８のいずれか一項に記載の方法。
【請求項１１】
前記端末デバイスにより、前記無線アクセスネットワークデバイスから高次レイヤシグナリングを受信する段階であって、前記高次レイヤシグナリングは、前記アンテナポートグループの数を有する、段階を備える、請求項３及び４から８のいずれか一項に記載の方法。
【請求項１２】
前記アンテナポートはチャネル状態情報基準信号ポートである、ことを備える、請求項３から１１のいずれか一項に記載のプリコーディング行列を示すための方法。
【請求項１３】
前記プリコーディング行列インジケータ情報は、広帯域チャネル状態情報ＣＳＩに対応する第１のプリコーディング行列インジケータ、及び／又は、サブバンドチャネル状態情報ＣＳＩに対応する第２のプリコーディング行列インジケータを有すること、を備える、請求項１から１２のいずれか一項に記載の方法。
【請求項１４】
前記第１のプリコーディング行列インジケータ及び／又は前記第２のプリコーディング行列インジケータは、前記ブロックコードブック間の前記位相差を示すために用いられる情報を有する、請求項１３に記載の方法。
【請求項１５】
前記ブロックコードブック間の前記位相差を示すために用いられる前記情報は、少なくとも１つのインデックス値を有し、前記インデックス値と、前記ブロックコードブック間の前記位相差との間には対応関係がある、請求項１４に記載の方法。
【請求項１６】
前記プリコーディング行列インジケータ情報は、前記広帯域チャネル状態情報ＣＳＩに対応する前記第１のプリコーディング行列インジケータ、前記サブバンドチャネル状態情報ＣＳＩに対応する前記第２のプリコーディング行列インジケータ、及び、第３のプリコーディング行列インジケータを有することと、前記第３のプリコーディング行列インジケータは、前記ブロックコードブック間の前記位相差を示すために用いられる情報を有することと、を備える、請求項１から１５のいずれか一項に記載の方法。
【請求項１７】
通信方法であって、
端末デバイスにより、無線アクセスネットワークデバイスからシグナリングを受信する段階であって、前記シグナリングは、ブロックコードブックの数に関する情報、対応するアンテナパネルの数に関する情報、及び、アンテナポートグループの数のうちのいずれか１つを有する、段階と、
前記端末デバイスにより、前記ブロックコードブックの数に関する前記情報、前記対応するアンテナパネルの数に関する前記情報、及び、前記アンテナポートグループの数のうちのいずれか１つに基づいて、用いられる必要があるコードブックを知る段階と
を備える通信方法。
【請求項１８】
前記アンテナポートはチャネル状態情報基準信号ポートである、ことを備える、請求項１７に記載の通信方法。
【請求項１９】
通信方法であって、
無線アクセスネットワークデバイスにより、端末からプリコーディング行列インジケータ情報を受信する段階であって、前記プリコーディング行列インジケータ情報は、コードブック内のプリコーディング行列を示すために用いられる、段階であって、前記コードブックは、ブロックコードブックの数に関する情報及び異なるブロックコードブック間の位相差についての情報を有し、前記ブロックコードブックの前記数は、少なくとも２つである、段階と、
前記無線アクセスネットワークデバイスにより、前記端末デバイスにダウンリンクデータを送信する段階と
を備える方法。
【請求項２０】
通信方法であって、
無線アクセスネットワークデバイスにより、端末からプリコーディング行列インジケータ情報を受信する段階であって、前記プリコーディング行列インジケータ情報は、コードブック内のプリコーディング行列を示すために用いられ、前記コードブックは、対応するアンテナパネルの数に関する情報及び異なる対応するアンテナパネル間の位相差に関する情報を有する、段階と、
前記無線アクセスネットワークデバイスにより、前記端末デバイスにダウンリンクデータを送信する段階と
を備える方法。
【請求項２１】
通信方法であって、
無線アクセスネットワークデバイスにより、端末からプリコーディング行列インジケータ情報を受信する段階であって、前記プリコーディング行列インジケータ情報は、コードブック内のプリコーディング行列を示すために用いられ、前記コードブックは、アンテナポートグループの数と、異なるアンテナポートグループ間の位相係数に関する情報とを有する、段階と、
前記無線アクセスネットワークデバイスにより、前記端末デバイスにダウンリンクデータを送信する段階と
を備える方法。
【請求項２２】
前記コードブック内の前記プリコーディング行列は、
【数５３９】
2019537304.tif 000551
であり、Ｗの上付き記号は、ランク数を表し、φｎ＝ｅｊπｎ／２は、アンテナの２つの偏波方向間の位相差又は位相係数を表し、ｎの値の範囲は、｛０，１，２，３｝を満たし、ｌ及びｍはそれぞれ第１のＰＭＩの関数を表し、ｅは自然定数を表し、ｊは単位虚数を表し、πは円周率を表し、
【数５４０】
2019537304.tif 000552
であり、ｖｌは、長さがＫ１であるＤＦＴベクトルを表し、ｖｌのｋ１番目の要素は、
【数５４１】
2019537304.tif 000553
であり、ｋ１の値は、｛１，２，・・・，Ｋ１−１｝であってよく、Ｋ１は、各アンテナポートグループ内の水平次元におけるＣＳＩ−ＲＳポートの数であり、
【数５４２】
2019537304.tif 000554
であり、ｕｍは、長さがＫ２であるＤＦＴベクトルを表し、ｕｍのｋ２番目の要素は、
【数５４３】
2019537304.tif 000555
であり、ｋ２の値は、｛１，２，・・・，Ｋ２−１｝であってよく、Ｋ２は、各グループ内の垂直次元におけるＣＳＩ−ＲＳポートの数であり、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｏ１及びＯ２は、オーバサンプリング係数を表し、
【数５４４】
2019537304.tif 000556
は、クロネッカー積を表し、Ｎは、前記アンテナポートグループの数を表し、又は、アンテナパネルの数を表し、又は、Ｎは２又は４である
ことを満たす、請求項１９から２１のいずれか一項に記載の方法。
【請求項２３】
前記コードブック内の前記プリコーディング行列は、
【数５４５】
2019537304.tif 000557
であり、Ｗの上付き記号は、ランク数を表し、
【数５４６】
2019537304.tif 000558
であり、ｖｌ，ｍは、長さがＫ１×Ｋ２であるベクトルを表し、ｖｌ，ｍのｋ１番目の要素は、
【数５４７】
2019537304.tif 000559
であり、ｋ１の値は、｛１，２，・・・，Ｋ１−１｝であってよく、Ｋ１は、各グループ内の水平次元におけるＣＳＩ−ＲＳポートの数であり、
【数５４８】
2019537304.tif 000560
又は、
【数５４９】
2019537304.tif 000561
であり、ｕｍは、長さがＫ２であるＤＦＴベクトルを表し、ｕｍのｋ２番目の要素は、
【数５５０】
2019537304.tif 000562
であり、ｋ２の値は、｛１，２，・・・，Ｋ２−１｝であってよく、Ｋ２は、各グループ内の垂直次元におけるＣＳＩ−ＲＳポートの数であり、Ｏ１及びＯ２は、オーバサンプリング係数を表し、ｌ及びｍはそれぞれ第１のＰＭＩの関数を表し、φｎ＝ｅｊπｎ／２はアンテナの２つの偏波方向間の位相差又は位相係数を表し、ｎの値は｛０，１，２，３｝であり、ｅは自然定数を表し、ｊは単位虚数を表し、πは円周率を表し、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｎは、前記アンテナポートグループの数を表し、又は、Ｎはアンテナパネルの数を表し、又は、Ｎは２、４又は８である
ことを満たす、請求項１９から２１のいずれか一項に記載の方法。
【請求項２４】
前記コードブック内の前記プリコーディング行列は、
【数５５１】
2019537304.tif 000563
であり、Ｗの上付き記号は、ランク数を表し、
【数５５２】
2019537304.tif 000564
であり、ｖｌは、長さがＫ１であるＤＦＴベクトルを表し、ｖｌのｋ１番目の要素は、
【数５５３】
2019537304.tif 000565
であり、ｋ１の値は、｛１，２，・・・，Ｋ１−１｝であってよく、Ｋ１は、各アンテナポートグループ内の水平次元におけるＣＳＩ−ＲＳポートの数であり、
【数５５４】
2019537304.tif 000566
であり、ｕｍは、長さがＫ２であるＤＦＴベクトルを表し、ｕｍのｋ２番目の要素は、
【数５５５】
2019537304.tif 000567
であり、ｋ２の値は、｛１，２，・・・，Ｋ２−１｝であってよく、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、前記第１のＰＭＩとの対応関係を有し、Ｏ１及びＯ２は、オーバサンプリング係数を表し、
【数５５６】
2019537304.tif 000568
は、クロネッカー積を表し、ｅは自然定数を表し、ｊは単位虚数を表し、πは円周率を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎ'は、前記アンテナポートグループの数とアンテナの偏波方向の数との積を表し、又は、Ｎ'は２、４又は８である
ことを満たす、請求項１９から２１のいずれか一項に記載の方法。
【請求項２５】
前記コードブック内の前記プリコーディング行列は、
【数５５７】
2019537304.tif 000569
であり、Ｗの上付き記号は、ランク数を表し、
【数５５８】
2019537304.tif 000570
であり、ｖｌ，ｍは、長さがＫ１×Ｋ２であるベクトルを表し、ｖｌ，ｍのｋ１番目の要素は、
【数５５９】
2019537304.tif 000571
であり、ｋ１の値は、｛１，２，・・・，Ｋ１−１｝であってよく、Ｋ１は、各アンテナポートグループ内の水平次元におけるＣＳＩ−ＲＳポートの数であり、
【数５６０】
2019537304.tif 000572
又は、
【数５６１】
2019537304.tif 000573
であり、ｕｍは、長さがＫ２であるＤＦＴベクトルを表し、ｕｍのｋ２番目の要素は、
【数５６２】
2019537304.tif 000574
であり、ｋ２の値は、｛１，２，・・・，Ｋ２−１｝であってよく、Ｋ２は、各アンテナポートグループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、ｍは、第１の垂直コードブックインデックスの関数であり、前記第１のＰＭＩとの対応関係を有し、Ｏ１及びＯ２は、オーバサンプリング係数を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎ'は、前記アンテナポートグループの数とアンテナの偏波方向の数との積を表し、又は、Ｎ'は２、４又は８である
ことを満たす、請求項１９から２１のいずれか一項に記載の方法。
【請求項２６】
前記位相係数は、θｒ＝２πｉ２，ｒ／Ｘであり、Ｘは、｛２，４，８，...｝のセット内の値であり得、ｒ＝１，・・・，Ｎ−１であり得る、請求項２４又は２５に記載の方法。
【請求項２７】
前記無線アクセスネットワークデバイスにより、前記端末デバイスに高次レイヤシグナリングを送信する段階であって、前記高次レイヤシグナリングは、前記ブロックコードブックの数に関する前記情報を有する、段階を備える、請求項１９及び２２から２６のいずれか一項に記載の方法。
【請求項２８】
前記無線アクセスネットワークデバイスにより、前記端末デバイスに高次レイヤシグナリングを送信する段階であって、前記高次レイヤシグナリングは、対応する前記アンテナパネルの数に関する前記情報を有する、段階を備える、請求項２０及び２２から２６のいずれか一項に記載の方法。
【請求項２９】
前記無線アクセスネットワークデバイスにより、前記端末デバイスに高次レイヤシグナリングを送信する段階であって、前記高次レイヤシグナリングは、前記アンテナポートグループの数を有する、段階を備える、請求項２１及び２２から２６のいずれか一項に記載の方法。
【請求項３０】
前記アンテナポートはチャネル状態情報基準信号ポートである、ことを備える、請求項２１から２９のいずれか一項に記載のプリコーディング行列を示すための方法。
【請求項３１】
前記プリコーディング行列インジケータ情報は、広帯域チャネル状態情報ＣＳＩに対応する第１のプリコーディング行列インジケータ、及び／又は、サブバンドチャネル状態情報ＣＳＩに対応する第２のプリコーディング行列インジケータを有すること、を備える、請求項１９から３０のいずれか一項に記載の方法。
【請求項３２】
前記第１のプリコーディング行列インジケータ及び／又は前記第２のプリコーディング行列インジケータは、前記ブロックコードブック間の前記位相差を示すために用いられる情報を有する、ことを有する、請求項３１に記載の方法。
【請求項３３】
前記ブロックコードブック間の前記位相差を示すために用いられる前記情報は、少なくとも１つのインデックス値を有し、前記インデックス値と、前記ブロックコードブック間の前記位相差との間には対応関係がある、請求項３２に記載の方法。
【請求項３４】
前記プリコーディング行列インジケータ情報は、前記広帯域チャネル状態情報ＣＳＩに対応する前記第１のプリコーディング行列インジケータ、前記サブバンドチャネル状態情報ＣＳＩに対応する前記第２のプリコーディング行列インジケータ、及び、第３のプリコーディング行列インジケータを有することと、前記第３のプリコーディング行列インジケータは、前記ブロックコードブック間の前記位相差を示すために用いられる情報を有することと、を備える、請求項１９から３０のいずれか一項に記載の方法。
【請求項３５】
通信方法であって、無線アクセスネットワークデバイスにより、端末デバイスにシグナリングを送信する段階であって、前記シグナリングは、ブロックコードブックの数に関する情報、対応するアンテナパネルの数に関する情報、及び、アンテナポートグループの数のうちのいずれか１つを有する、段階を備え、その結果、前記端末デバイスが、前記ブロックコードブックの数についての前記情報、前記対応するアンテナパネルの数に関する前記情報、及び、前記アンテナポートグループの数のうちのいずれか１つに基づいて、用いられる必要があるコードブックを知ることを可能にする、方法。
【請求項３６】
前記アンテナポートはチャネル状態情報基準信号ポートである、ことを備える、請求項３５に記載の方法。
【請求項３７】
プロセッサ、メモリ及び送受信機を備える端末デバイスであって、前記メモリは、命令を格納するように構成され、前記送受信機は、別のデバイスと通信するために、前記端末デバイスにより用いられ、前記プロセッサは、前記メモリに格納された前記命令を実行して、前記端末デバイスに、請求項１から１８のいずれか一項に記載の方法における処理を実行させるように構成される、端末デバイス。
【請求項３８】
プロセッサ、メモリ及び送受信機を備える無線アクセスネットワークデバイスであって、前記メモリは、命令を格納するように構成され、前記送受信機は、別のデバイスと通信するために、前記無線アクセスネットワークデバイスにより用いられ、前記プロセッサは、前記メモリに格納された前記命令を実行して、前記無線アクセスネットワークデバイスに、請求項１９から３６のいずれか一項に記載の方法における処理を実行させるように構成される、無線アクセスネットワークデバイス。
【請求項３９】
少なくとも１つのプロセッサを備えるチップシステムであって、前記少なくとも１つのプロセッサは、格納された命令を実行して、前記端末デバイスに、請求項１から１８のいずれか一項に記載の方法における処理を実行させるように構成される、チップシステム。
【請求項４０】
少なくとも１つのプロセッサを備えるチップシステムであって、前記少なくとも１つのプロセッサは、格納された命令を実行して、前記無線アクセスネットワークデバイスに、請求項１９から３６のいずれか一項に記載の方法における処理を実行させるように構成される、チップシステム。
【請求項４１】
コンピュータプログラム製品であって、前記コンピュータプログラム製品は命令を備え、実行されるときに、前記命令は、端末デバイスに、請求項１から１８のいずれか一項に記載の方法における処理を実行させる、コンピュータプログラム製品。
【請求項４２】
コンピュータプログラム製品であって、前記コンピュータプログラム製品は命令を備え、実行されるときに、前記命令は、無線アクセスネットワークデバイスに、請求項１９から３６のいずれか一項に記載の方法における処理を実行させる、コンピュータプログラム製品。
【請求項４３】
コンピュータ可読記憶媒体であって、前記コンピュータ可読記憶媒体は命令を格納し、実行されるときに、前記命令は、端末デバイスに、請求項１から１８のいずれか一項に記載の方法における処理を実行させる、コンピュータ可読記憶媒体。
【請求項４４】
コンピュータ可読記憶媒体であって、前記コンピュータ可読記憶媒体は命令を格納し、実行されるときに、前記命令は、無線アクセスネットワークデバイスに、請求項１９から３６のいずれか一項に記載の方法における処理を実行させる、コンピュータ可読記憶媒体。
【請求項４５】
請求項１から１８のいずれか一項に記載の方法を実行するように構成される端末デバイス。
【請求項４６】
請求項１９から３６のいずれか一項に記載の方法を実行するように構成される無線アクセスネットワークデバイス。
【請求項４７】
請求項３７又は４５に記載の端末デバイス、及び／又は、請求項３８又は４６に記載の無線アクセスネットワークデバイスを備える通信システム。
【発明の詳細な説明】
【技術分野】
【０００１】
本願は、２０１６年９月２９日に中国特許庁に出願され、「コードブックベースのチャネル状態情報のフィードバック方法及びデバイス」と題する中国特許出願第２０１６１０８７２０２６．４号、２０１７年２月６日に中国特許庁に出願され、「コードブックベースのチャネル状態情報のフィードバック方法及びデバイス」と題する中国特許出願第２０１７１００６７２６１．９号、及び、２０１７年５月１２に中国特許庁に出願され、「コードブックベースのチャネル状態情報のフィードバック方法及びデバイス」と題する中国特許出願２０１７１０３３６１２８．９号の優先権を主張し、それら全体として参照により本明細書に組み込まれる。
【０００２】
本発明は、通信技術の分野、特に、コードブックベースのチャネル状態情報のフィードバックのための方法及びデバイスに関する。
【背景技術】
【０００３】
大規模多入力多出力（ｍａｓｓｉｖｅ  ｍｕｌｔｉｐｌｅ  ｉｎｐｕｔ  ｍｕｌｔｉｐｌｅ  ｏｕｔｐｕｔ、Ｍａｓｓｉｖｅ  ＭＩＭＯ）技術は、新しい無線アクセス技術（Ｎｅｗ  Ｒａｄｉｏ  Ａｃｃｅｓｓ  Ｔｅｃｈｎｏｌｏｇｙ、略してＮＲ）の主要な技術の１つとして、より高い空間自由度を用いることによりシステム容量を向上させることができ、広く研究されてきた。
【０００４】
大規模ＭＩＭＯシステムにおいて、送信端でプリコーディングを実行することによりシステムの伝送性能を向上させるためには、送信端がチャネル状態情報（Ｃｈａｎｎｅｌ  Ｓｔａｔｅ  Ｉｎｆｏｒｍａｔｉｏｎ、略してＣＳＩ）を知る必要があるが、ＣＳＩは、通常、受信端によりチャネル測定を実行することにより得られる。したがって、受信端は、送信端にＣＳＩをフィードバックする必要がある。従来技術では、送信端にＣＳＩをフィードバックするために、受信端は、主に、プリコーディング行列インジケータ（ｐｒｅｃｏｄｉｎｇ  ｍａｔｒｉｘ  Ｉｎｄｅｘ、略してＰＭＩ）を送信端にフィードバックする。具体的には、送信端及び受信端は、コードブックを共有する。送信端は、チャネル推定を通じてＣＳＩを取得した後、ＣＳＩに基づいてコードブックからプリコーディング行列を選択し、プリコーディング行列に対応するＰＭＩを基地局にフィードバックする。基地局は、ＰＭＩに基づいて最適なプリコーディング行列を取得してから、プリコーディング処理を実行する。
【０００５】
しかしながら、既存のコードブックは、すべて、均一なアンテナアレイ用に設計されており、線形位相補償用に主に設計されている。マルチパネルアンテナアレイに不均一な間隔が存在する場合、線形位相補償はもはや適切ではなく、既存のコードブックが用いられる場合、ビーム形状が変更され、必要とされるビームを得ることができず、ビーム精度の低下及びシステム性能損失という問題を引き起こす。
【発明の概要】
【０００６】
本発明の実施形態は、ビーム精度及びシステム性能を向上させるべく、コードブックベースのチャネル状態情報のフィードバック方法及びデバイスを提供する。
【０００７】
第１態様によれば、本発明の実施形態は、コードブックベースのチャネル状態情報のフィードバック方法を提供し、方法は、ユーザ機器ＵＥにより、送信／受信ポイントＴＲＰにプリコーディング行列インジケータＰＭＩを送信する段階であって、ＰＭＩは、目標プリコーディング行列、及び、ブロックコードブックの差分パラメータに対応するパラメータ値を示すために用いられる、段階を含み、
目標プリコーディング行列は、コードブック内のプリコーディング行列であり、コードブックは、コードブック構成パラメータに基づいてＵＥにより予め生成されたコードブックであり、コードブック内の少なくともいくつかのプリコーディング行列は、ブロックコードブック内のプリコーディング行列と、パラメータ値とからの変換を通じて得られ、少なくとも２つのブロックコードブックがあり、パラメータ値の数と、ブロックコードブックの数との間には対応関係があり、コードブック構成パラメータは、コードブック内のブロックコードブックの数、及び、ブロックコードブック内のプリコーディング行列に対応するベクトルの長さを含み、ブロックコードブックは、予め設定されたプリコーディング行列に基づいて形成される。
【０００８】
実現可能な設計において、ブロックコードブックは、水平次元におけるブロックコードブック及び垂直次元におけるブロックコードブックを含み、
コードブック構成パラメータは、水平次元におけるブロックコードブックの数及び水平次元におけるブロックコードブック内のプリコーディング行列に対応するベクトルの長さを含み、水平次元には、少なくとも２つのブロックコードブックがあり、
コードブック構成パラメータは、垂直次元におけるブロックコードブックの数及び垂直次元におけるブロックコードブック内のプリコーディング行列に対応するベクトルの長さを含み、垂直次元には少なくとも２つのブロックコードブックがある。
【０００９】
実現可能な設計において、ＰＭＩは、広帯域ＣＳＩに対応する第１のＰＭＩ及びサブバンドＣＳＩに対応する第２のＰＭＩを含み、第１のＰＭＩ又は第２のＰＭＩは、ブロックコードブックの差分パラメータに対応するパラメータ値を示すために用いられる。
【００１０】
実現可能な設計において、ＰＭＩは、広帯域ＣＳＩに対応する第１のＰＭＩ及びサブバンドＣＳＩに対応する第２のＰＭＩを含み、ブロックコードブックの差分パラメータに対応するパラメータ値は、第１のＰＭＩ又は第２のＰＭＩに基づいて決定される。
【００１１】
実現可能な設計において、第１のＰＭＩは、パラメータ値を示すために用いられ、第１のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【００１２】
実現可能な設計において、第１のＰＭＩは、パラメータ値を示すために用いられ、第１のＰＭＩは、２つのコードブックインデックスに対応し、水平次元におけるブロックコードブックの差分パラメータに対応するパラメータ値は、１つのコードブックインデックスに基づいて決定され、垂直次元におけるブロックコードブックの差分パラメータに対応するパラメータ値は、他のコードブックインデックスに基づいて決定される、又は、
第２のＰＭＩは、パラメータ値を示すために用いられ、第２のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【００１３】
実現可能な設計において、パラメータ値は、第２のＰＭＩにより示され、第２のＰＭＩは、２つのコードブックインデックスに対応し、水平次元におけるブロックコードブックの差分パラメータに対応するパラメータ値は、１つのコードブックインデックスにより示され、垂直次元におけるブロックコードブックの差分パラメータに対応するパラメータ値は、他のコードブックインデックスにより示される。
【００１４】
実現可能な設計において、ＰＭＩは、広帯域ＣＳＩに対応する第１のＰＭＩ、狭帯域ＣＳＩに対応する第２のＰＭＩ及び第３のＰＭＩを含み、第３のＰＭＩは、ブロックコードブックの差分パラメータに対応するパラメータ値を示すために用いられる。
【００１５】
実現可能な設計において、第３のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【００１６】
実現可能な設計において、ユーザ機器ＵＥにより、送信／受信ポイントＴＲＰにプリコーディング行列インジケータＰＭＩを送信する段階の前に、方法は、
ＵＥにより、ＴＲＰにより送信されたコードブック構成パラメータを受信する段階をさらに含む。
【００１７】
実現可能な設計において、ユーザ機器ＵＥにより、ＴＲＰにより送信されたコードブック構成パラメータを受信する段階は、
ＵＥにより、ＴＲＰにより送信された高次レイヤシグナリング又は物理レイヤシグナリングを受信する段階であって、高次レイヤシグナリング又は物理レイヤシグナリングは、コードブック構成パラメータを搬送する、段階を含む。
【００１８】
実現可能な設計において、各ブロックコードブックに対応するベクトルは、同一の放射角におけるビームに対応するベクトルである。例えば、ベクトルは、離散フーリエ変換（Ｄｉｓｃｒｅｔｅ  Ｆｏｕｒｉｅｒ  Ｔｒａｎｓｆｏｒｍ、ＤＦＴ）ベクトルであってよい。
【００１９】
実現可能な設計において、ブロックコードブックの差分パラメータが位相差である場合、コードブック内のプリコーディング行列の構造は、具体的には、以下の式１．１で示される。
【数１】
2019537304.tif 000003
【００２０】
任意に、式１．１は、
【数２】
2019537304.tif 000004
であってよく、φｎ＝ｅｊπｎ／２は、アンテナの２つの偏波方向間の位相差を表し、
【数３】
2019537304.tif 000005
であり、任意に、
【数４】
2019537304.tif 000006
であり、ｖｌ，θは、水平次元におけるＮ１個のブロックコードブックと、ブロックコードブックの差分パラメータに対応するパラメータ値とからの変換を通じて得られるコードブック内のプリコーディング行列を表し、
【数５】
2019537304.tif 000007
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、θは、水平次元における位相差パラメータを表し、
【数６】
2019537304.tif 000008
は、水平次元での異なるブロックコードブックにおけるプリコーディング行列間の位相差を表し、
【数７】
2019537304.tif 000009
であり、任意に、
【数８】
2019537304.tif 000010
であり、ｕｍ，φは、垂直次元におけるＮ２個のブロックコードブックと、ブロックコードブックの差分パラメータに対応するパラメータ値とからの変換を通じて得られるコードブック内のプリコーディング行列を表し、
【数９】
2019537304.tif 000011
であり、ｕｍは、長さがＫ２であるベクトルに基づいて各ブロックコードブックが形成されることを表し、Ｋ２は、垂直次元における各コードブックに対応するＣＳＩ−ＲＳポートの数であり、φは、垂直次元における位相差パラメータを表し、（φ１・・・φＮ２）は、垂直次元での異なるブロックコードブックにおけるプリコーディング行列間の位相差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数１０】
2019537304.tif 000012
は、クロネッカー積を表す。
【００２１】
実現可能な設計において、ブロックコードブックの差分パラメータがモジュラス値の差である場合、コードブック内のプリコーディング行列の構造は、具体的には、以下の式１．２で示される。
【数１１】
2019537304.tif 000013
【００２２】
任意に、式１．２は、
【数１２】
2019537304.tif 000014
であってよく、φｎ＝ｅｊπｎ／２は、アンテナの２つの偏波方向間の位相差を表し、
【数１３】
2019537304.tif 000015
であり、任意に、
【数１４】
2019537304.tif 000016
であり、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数１５】
2019537304.tif 000017
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数１６】
2019537304.tif 000018
は、水平次元での異なるブロックコードブックにおけるプリコーディング行列間のモジュラス値の差を表し、
【数１７】
2019537304.tif 000019
であり、任意に、
【数１８】
2019537304.tif 000020
であり、ｕｍ，αは、垂直次元におけるＮ２個のブロックコードブックと、ブロックコードブックの差分パラメータに対応するパラメータ値とからの変換を通じて得られるコードブック内のプリコーディング行列を表し、
【数１９】
2019537304.tif 000021
であり、ｕｍは、長さがＫ２であるベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数２０】
2019537304.tif 000022
は、垂直次元での異なるブロックコードブックにおけるプリコーディング行列間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数２１】
2019537304.tif 000023
は、クロネッカー積を表す。
【００２３】
実現可能な設計において、ブロックコードブックに対応するベクトルは、異なる放射角におけるビームに対応するベクトルである。
【００２４】
実現可能な設計において、ブロックコードブックの差分パラメータが位相差である場合、コードブック内のプリコーディング行列の構造は、式１．３で示される。
【数２２】
2019537304.tif 000024
【００２５】
任意に、式１．３は、
【数２３】
2019537304.tif 000025
であってよく、φｎ＝ｅｊπｎ／２は、アンテナの２つの偏波方向間の位相差を表し、
【数２４】
2019537304.tif 000026
であり、ｌ＝ｌ１・・・ｌＮ１であり、任意に、
【数２５】
2019537304.tif 000027
であり、
【数２６】
2019537304.tif 000028
であり、ｖｌ，θは、水平次元におけるＮ１個のブロックコードブックと、ブロックコードブックの差分パラメータに対応するパラメータ値とからの変換を通じて得られるコードブック内のプリコーディング行列を表し、
【数２７】
2019537304.tif 000029
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、θは、水平次元における位相差パラメータを表し、
【数２８】
2019537304.tif 000030
は、水平次元での異なるブロックコードブックにおけるプリコーディング行列間の位相差を表し、
【数２９】
2019537304.tif 000031
であり、
【数３０】
2019537304.tif 000032
であり、任意に、
【数３１】
2019537304.tif 000033
であり、
【数３２】
2019537304.tif 000034
であり、ｕｍ，φは、垂直次元におけるＮ２個のブロックコードブックと、ブロックコードブックの差分パラメータに対応するパラメータ値とからの変換を通じて得られるコードブック内のプリコーディング行列を表し、
【数３３】
2019537304.tif 000035
であり、ｕｍは、長さがＫ２であるベクトルに基づいて各ブロックコードブックが形成されることを表し、Ｋ２は、垂直次元における各コードブックに対応するＣＳＩ−ＲＳポートの数であり、φは、垂直次元における位相差パラメータを表し、（φ１・・・φＮ２）は、垂直次元での異なるブロックコードブックにおけるプリコーディング行列間の位相差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数３４】
2019537304.tif 000036
は、クロネッカー積を表す。
【００２６】
実現可能な設計において、ブロックコードブックの差分パラメータがモジュラス値の差である場合、コードブック内のプリコーディング行列の構造は、式１．４で示される。
【数３５】
2019537304.tif 000037
【００２７】
任意に、式１．４は、
【数３６】
2019537304.tif 000038
であってよく、φｎ＝ｅｊπｎ／２は、アンテナの２つの偏波方向間の位相差を表し、
【数３７】
2019537304.tif 000039
であり、任意に、
【数３８】
2019537304.tif 000040
であり、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数３９】
2019537304.tif 000041
であり、ｌ＝ｌ１・・・ｌＮ１であり、任意に、
【数４０】
2019537304.tif 000042
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数４１】
2019537304.tif 000043
は、水平次元での異なるブロックコードブックにおけるプリコーディング行列間のモジュラス値の差を表し、
【数４２】
2019537304.tif 000044
であり、
【数４３】
2019537304.tif 000045
であり、任意に、
【数４４】
2019537304.tif 000046
であり、
【数４５】
2019537304.tif 000047
であり、ｕｍ，αは、垂直次元におけるＮ２個のブロックコードブックと、ブロックコードブックの差分パラメータに対応するパラメータ値とからの変換を通じて得られるコードブック内のプリコーディング行列を表し、
【数４６】
2019537304.tif 000048
であり、ｕｍは、長さがＫ２であるベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数４７】
2019537304.tif 000049
は、垂直次元での異なるブロックコードブックにおけるプリコーディング行列間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４８】
2019537304.tif 000050
は、クロネッカー積を表す。
【００２８】
実現可能な解決手段において、振幅係数及び位相係数は、使用のために組み合わせられてよい。
【００２９】
第２態様によれば、本発明の実施形態は、コードブックベースのチャネル状態情報のフィードバック方法を提供し、方法は、送信／受信ポイントＴＦＰにより、ユーザ機器ＵＥにより送信されたプリコーディング行列インジケータＰＭＩを受信する段階であって、ＰＭＩは、目標プリコーディング行列、及び、ブロックコードブックの差分パラメータに対応するパラメータ値を示すために用いられる、段階を含み、
目標プリコーディング行列は、コードブック内のプリコーディング行列であり、コードブックは、コードブック構成パラメータに基づいてＴＲＰにより予め生成されたコードブックであり、コードブック内の少なくともいくつかのプリコーディング行列は、ブロックコードブック内のプリコーディング行列と、パラメータ値とからの変換を通じて得られ、少なくとも２つのブロックコードブックがあり、パラメータ値の数とブロックコードブックの数との間には対応関係があり、コードブック構成パラメータは、コードブック内のブロックコードブックの数、及び、ブロックコードブック内のプリコーディング行列に対応するベクトルの長さを含み、ブロックコードブックは、予め設定されたプリコーディング行列に基づいて形成される。
【００３０】
実現可能な設計において、ブロックコードブックは、水平次元におけるブロックコードブック及び垂直次元におけるブロックコードブックを含み、コードブック構成パラメータは、水平次元におけるブロックコードブックの数及び水平次元におけるブロックコードブック内のプリコーディング行列に対応するベクトルの長さを含み、水平次元には、少なくとも２つのブロックコードブックがあり、
コードブック構成パラメータは、垂直次元におけるブロックコードブックの数及び垂直次元におけるブロックコードブック内のプリコーディング行列に対応するベクトルの長さを含み、垂直次元には少なくとも２つのブロックコードブックがある。
【００３１】
実現可能な設計において、ＰＭＩは、広帯域ＣＳＩに対応する第１のＰＭＩ及びサブバンドＣＳＩに対応する第２のＰＭＩを含み、第１のＰＭＩ又は第２のＰＭＩは、ブロックコードブックの差分パラメータに対応するパラメータ値を示すために用いられる。
【００３２】
実現可能な設計において、第１のＰＭＩは、パラメータ値を示すために用いられ、第１のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる、又は、
第２のＰＭＩは、パラメータ値を示すために用いられ、第２のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【００３３】
実現可能な設計において、ＰＭＩは、広帯域ＣＳＩに対応する第１のＰＭＩ、狭帯域ＣＳＩに対応する第２のＰＭＩ及び第３のＰＭＩを含み、第３のＰＭＩは、ブロックコードブックの差分パラメータに対応するパラメータ値を示すために用いられる。
【００３４】
実現可能な設計において、第３のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【００３５】
実現可能な設計において、送信／受信ポイントＴＦＰにより、ユーザ機器ＵＥにより送信されたプリコーディング行列インジケータＰＭＩを受信する段階の前に、方法は、
ＴＲＰにより、コードブック構成パラメータをＵＥに送信する段階をさらに含む。
【００３６】
実現可能な設計において、ＴＲＰにより、ＵＥにコードブック構成パラメータを送信する段階は、
ＴＲＰにより、高次レイヤシグナリング又は物理レイヤシグナリングをＵＥに送信する段階であって、高次レイヤシグナリング又は物理レイヤシグナリングは、コードブック構成パラメータを搬送する、段階を含む。
【００３７】
コードブック内のプリコーディング行列についての特定の構造に関しては、前述の説明を参照し、詳細は本明細書で再度説明されない。
【００３８】
第３態様によれば、本発明の実施形態は、ユーザ機器を提供する。ユーザ機器は、前述の方法の実施形態におけるユーザ機器により実行される機能を実装でき、当該機能は、ハードウェアにより実装されてもよく、又は、ハードウェアにより対応するソフトウェアを実行することにより実装されてもよい。ハードウェア又はソフトウェアは、前述の機能に対応する１つ又は複数のモジュールを含む。
【００３９】
第４態様によれば、本発明の実施形態は、送信／受信ポイントを提供する。送信／受信ポイントは、前述の方法の実施形態における送信／受信ポイントにより実行される機能を実装でき、当該機能は、ハードウェアにより実装されてもよく、又は、ハードウェアにより対応するソフトウェアを実行することにより実装されてもよい。ハードウェア又はソフトウェアは、前述の機能に対応する１つ又は複数のモジュールを含む。
【００４０】
第５態様によれば、本発明の実施形態は、ユーザ機器を提供し、ユーザ機器は、プロセッサ、メモリ及び通信インタフェースを含む。メモリは、命令を格納するように構成され、通信インタフェースは、別のデバイスと通信するように構成され、プロセッサは、メモリに格納された命令を実行して、第１態様に係る方法をユーザ機器に実行させるように構成される。
【００４１】
第６態様によれば、本発明の実施形態は、送信／受信ポイントを提供し、送信／受信ポイントは、プロセッサ、メモリ及び通信インタフェースを含む。メモリは、命令を格納するように構成され、通信インタフェースは、別のデバイスと通信するように構成され、プロセッサは、メモリに格納された命令を実行して、第２態様に係る方法を送信／受信ポイントに実行させるように構成される。
【００４２】
第７態様によれば、本発明の実施形態は、コンピュータ可読媒体を提供する。コンピュータ可読媒体は、コンピュータにより実行可能な命令を含み、コンピュータにより実行可能な命令は、本発明の第１態様に係る方法をユーザ機器に実行させるために用いられる。
【００４３】
第８態様によれば、本発明の実施形態は、コンピュータ可読媒体を提供する。コンピュータ可読媒体は、コンピュータにより実行可能な命令を含み、コンピュータにより実行可能な命令は、本発明の第２態様に係る方法を送信／受信ポイントに実行させるために用いられる。
【００４４】
第９態様によれば、本発明の実施形態は、オンチップシステムを提供する。オンチップシステムは、ユーザ機器に適用可能であり、オンチップシステムは、少なくとも１つの通信インタフェース、少なくとも１つのプロセッサ及び少なくとも１つのメモリを含む。通信インタフェース、メモリ及びプロセッサは、バスを用いることにより相互接続され、プロセッサは、メモリに格納された命令を実行して、本発明の第１態様に係る方法をユーザ機器に実行させる。
【００４５】
第１０態様によれば、本発明の実施形態は、オンチップシステムを提供する。オンチップシステムは、送信／受信ポイントに適用可能であり、オンチップシステムは、少なくとも１つの通信インタフェース、少なくとも１つのプロセッサ及び少なくとも１つのメモリを含む。通信インタフェース、メモリ及びプロセッサは、バスを用いることにより相互接続され、プロセッサは、メモリに格納された命令を実行して、本発明の第２態様に係る方法を送信／受信ポイントに実行させる。
【００４６】
第１１態様によれば、本発明の実施形態は、通信システムを提供する。通信システムは、ユーザ機器及び送信／受信ポイントを含む。ユーザ機器は、本発明の第１態様に係る方法を実行するように構成され、送信／受信ポイントは、本発明の第２態様に係る方法を実行するように構成される。
【００４７】
実施形態において提供されるコードブックベースのチャネル状態情報のフィードバック方法及びデバイスによれば、ＵＥは、プリコーディング行列インジケータＰＭＩをＴＲＰに送信する。ＰＭＩは、目標プリコーディング行列、及び、ブロックコードブックの差分パラメータに対応するパラメータ値を示すために用いられる。目標プリコーディング行列は、コードブック内のプリコーディング行列であり、コードブック内の少なくともいくつかのプリコーディング行列は、ブロックコードブックの差分パラメータに対応するパラメータ値をコードブックに導入するために、ブロックコードブック内のプリコーディング行列と、パラメータ値とからの変換を通じて得られ、その結果、コードブックは、差分パラメータ、例えば、隣接するパネル間の位相差及びモジュラス値の差を含み、これにより、ビーム指向性を確保し、システム性能を向上させる。
【００４８】
第１２態様によれば、本発明の実施形態は、プリコーディング行列のアプリケーションプロセスに適用可能な通信方法を提供し、方法は、
端末デバイスにより、無線アクセスネットワークデバイスにプリコーディング行列インジケータ情報を送信する段階であって、プリコーディング行列インジケータ情報は、コードブック内のプリコーディング行列を示すために用いられ、コードブックは、ブロックコードブックの数に関する情報及び異なるブロックコードブック間の位相差に関する情報を含み、ブロックコードブックの数は少なくとも２つである、段階と、
端末デバイスにより、無線アクセスネットワークデバイスからダウンリンクデータを受信する段階
を含む、又は、
本発明の実施形態は、プリコーディング行列のアプリケーションプロセスに適用可能な通信方法を提供し、方法は、
端末デバイスにより、無線アクセスネットワークデバイスにプリコーディング行列インジケータ情報を送信する段階であって、プリコーディング行列インジケータ情報は、コードブック内のプリコーディング行列を示すために用いられ、コードブックは、対応するアンテナパネルの数に関する情報及び異なる対応するアンテナパネル間の位相差に関する情報を含む、段階と、
端末デバイスにより、無線アクセスネットワークデバイスからダウンリンクデータを受信する段階と
を含む、又は、
本発明の実施形態は、プリコーディング行列のアプリケーションプロセスに適用可能な通信方法を提供し、方法は、
端末デバイスにより、無線アクセスネットワークデバイスにプリコーディング行列インジケータ情報を送信する段階であって、プリコーディング行列インジケータ情報は、コードブック内のプリコーディング行列を示すために用いられ、コードブックは、アンテナポートグループの数と、異なるアンテナポートグループ間の位相係数に関する情報とを含む、段階と、
端末デバイスにより、無線アクセスネットワークデバイスからダウンリンクデータを受信する段階と
を含む。
【００４９】
第１２態様に関して、実現可能な設計では、コードブック内のプリコーディング行列は、
【数４９】
2019537304.tif 000051
であり、Ｗの上付き記号は、ランク数を表し、φｎ＝ｅｊπｎ／２は、アンテナの２つの偏波方向間の位相差又は位相係数を表し、ｎの値の範囲は、｛０，１，２，３｝を満たし、ｌ及びｍはそれぞれ第１のＰＭＩの関数を表し、ｅは自然定数を表し、ｊは単位虚数を表し、πは円周率を表し、
【数５０】
2019537304.tif 000052
であり、ｖｌは、長さがＫ１であるＤＦＴベクトルを表し、ｖｌのｋ１番目の要素は、
【数５１】
2019537304.tif 000053
であり、ｋ１の値は、｛１，２，・・・，Ｋ１−１｝であってよく、Ｋ１は、各アンテナポートグループ内の水平次元におけるＣＳＩ−ＲＳポートの数であり、
【数５２】
2019537304.tif 000054
であり、ｕｍは、長さがＫ２であるＤＦＴベクトルを表し、ｕｍのｋ２番目の要素は、
【数５３】
2019537304.tif 000055
であり、ｋ２の値は、｛１，２，・・・，Ｋ２−１｝であってよく、Ｋ２は、各グループ内の垂直次元におけるＣＳＩ−ＲＳポートの数であり、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｏ１及びＯ２は、オーバサンプリング係数を表し、
【数５４】
2019537304.tif 000056
は、クロネッカー積を表し、Ｎは、アンテナポートグループの数を表し、又は、アンテナパネルの数を表し、又は、Ｎは２又は４である
ことを満たす。
【００５０】
第１２態様に関して、実現可能な設計では、コードブック内のプリコーディング行列は、
【数５５】
2019537304.tif 000057
であり、Ｗの上付き記号は、ランク数を表し、
【数５６】
2019537304.tif 000058
であり、ｖｌ，ｍは、長さがＫ１×Ｋ２であるベクトルを表し、ｖｌ，ｍのｋ１番目の要素は、
【数５７】
2019537304.tif 000059
であり、ｋ１の値は、｛１，２，・・・，Ｋ１−１｝であってよく、Ｋ１は、各グループ内の水平次元におけるＣＳＩ−ＲＳポートの数であり、
【数５８】
2019537304.tif 000060
又は、
【数５９】
2019537304.tif 000061
であり、ｕｍは、長さがＫ２であるＤＦＴベクトルを表し、ｕｍのｋ２番目の要素は、
【数６０】
2019537304.tif 000062
であり、ｋ２の値は、｛１，２，・・・，Ｋ２−１｝であってよく、Ｋ２は、各グループ内の垂直次元におけるＣＳＩ−ＲＳポートの数であり、Ｏ１及びＯ２は、オーバサンプリング係数を表し、ｌ及びｍはそれぞれ第１のＰＭＩの関数を表し、φｎ＝ｅｊπｎ／２はアンテナの２つの偏波方向間の位相差又は位相係数を表し、ｎの値は｛０，１，２，３｝であり、ｅは自然定数を表し、ｊは単位虚数を表し、πは円周率を表し、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｎはアンテナポートグループの数を表し、又は、Ｎはアンテナパネルの数を表し、又は、Ｎは２、４又は８である
ことを満たす。
【００５１】
第１２態様に関して、実現可能な設計では、コードブック内のプリコーディング行列は、
【数６１】
2019537304.tif 000063
であり、Ｗの上付き記号は、ランク数を表し、
【数６２】
2019537304.tif 000064
であり、ｖｌは、長さがＫ１であるＤＦＴベクトルを表し、ｖｌのｋ１番目の要素は、
【数６３】
2019537304.tif 000065
であり、ｋ１の値は、｛１，２，・・・，Ｋ１−１｝であってよく、Ｋ１は、各アンテナポートグループ内の水平次元におけるＣＳＩ−ＲＳポートの数であり、
【数６４】
2019537304.tif 000066
又は、
【数６５】
2019537304.tif 000067
であり、ｕｍは、長さがＫ２であるＤＦＴベクトルを表し、ｕｍのｋ２番目の要素は、
【数６６】
2019537304.tif 000068
であり、ｋ２の値は、｛１，２，・・・，Ｋ２−１｝であってよく、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、
【数６７】
2019537304.tif 000069
は、クロネッカー積を表し、ｅは自然定数を表し、ｊは単位虚数を表し、πは円周率を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、アンテナポートグループの数とアンテナの偏波方向の数との積を表し、又は、Ｎは２、４又は８である
ことを満たす。
【００５２】
第１２態様に関して、実現可能な設計では、コードブック内のプリコーディング行列は、
【数６８】
2019537304.tif 000070
であり、Ｗの上付き記号は、ランク数を表し、
【数６９】
2019537304.tif 000071
であり、ｖｌ，ｍは、長さがＫ１×Ｋ２であるベクトルを表し、ｖｌ，ｍのｋ１番目の要素は、
【数７０】
2019537304.tif 000072
であり、ｋ１の値は、｛１，２，・・・，Ｋ１−１｝であってよく、Ｋ１は、各アンテナポートグループ内の水平次元におけるＣＳＩ−ＲＳポートの数であり、
【数７１】
2019537304.tif 000073
又は、
【数７２】
2019537304.tif 000074
であり、ｕｍは、長さがＫ２であるＤＦＴベクトルを表し、ｕｍのｋ２番目の要素は、
【数７３】
2019537304.tif 000075
であり、ｋ２の値は、｛１，２，・・・，Ｋ２−１｝であってよく、Ｋ２は、各アンテナポートグループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、アンテナポートグループの数とアンテナの偏波方向の数との積を表す、又は、Ｎは２、４又は８である
ことを満たす。
【００５３】
実現可能な設計において、前述の設計のいずれか１つは、位相係数が、θｒ＝２πｉ２，ｒ／Ｘであることをさらに含み、Ｘは、｛２，４，８，...｝のセット内の値であり得、ｒ＝１，・・・，Ｎ−１であり得る。
【００５４】
実現可能な設計において、前述の設計のいずれか１つは、端末デバイスにより、無線アクセスネットワークデバイスから高次レイヤシグナリングを受信する段階であって、高次レイヤシグナリングは、ブロックコードブックの数に関する情報を含む、段階をさらに含む。
【００５５】
実現可能な設計において、前述の設計のいずれか１つは、端末デバイスにより、無線アクセスネットワークデバイスから高次レイヤシグナリングを受信する段階であって、高次レイヤシグナリングは、対応するアンテナパネルの数に関する情報を含む、段階をさらに含む。
【００５６】
実現可能な設計において、前述の設計のいずれか１つは、
端末デバイスにより、無線アクセスネットワークデバイスから高次レイヤシグナリングを受信する段階であって、高次レイヤシグナリングは、アンテナポートグループの数を含む、段階をさらに含む。
【００５７】
実現可能な設計において、前述の設計のいずれか１つは、アンテナポートがチャネル状態情報基準信号ポートであることをさらに含む。
【００５８】
実現可能な設計において、前述の設計のいずれか１つは、プリコーディング行列インジケータ情報が、広帯域チャネル状態情報ＣＳＩに対応する第１のプリコーディング行列インジケータ、及び／又は、サブバンドチャネル状態情報ＣＳＩに対応する第２のプリコーディング行列インジケータを含むこと、をさらに含む。
【００５９】
実現可能な設計において、前述の設計のいずれか１つは、第１のプリコーディング行列インジケータ及び／又は第２のプリコーディング行列インジケータが、ブロックコードブック間の位相差を示すために用いられる情報を含むこと、をさらに含む。
【００６０】
実現可能な設計において、前述の設計のいずれか１つは、ブロックコードブック間の位相差を示すために用いられる情報が、少なくとも１つのインデックス値を含み、インデックス値と、ブロックコードブック間の位相差との間には対応関係があること、をさらに含む。
【００６１】
実現可能な設計において、前述の設計のいずれか１つは、
プリコーディング行列インジケータ情報が、広帯域チャネル状態情報ＣＳＩに対応する第１のプリコーディング行列インジケータ、サブバンドチャネル状態情報ＣＳＩに対応する第２のプリコーディング行列インジケータ及び第３のプリコーディング行列インジケータを含み、第３のプリコーディング行列インジケータが、ブロックコードブック間の位相差を示すために用いられる情報を含むこと、をさらに含む。
【００６２】
第１３態様によれば、
本発明の実施形態は、プリコーディング行列のアプリケーションプロセスに適用可能な通信方法を提供し、方法は、
端末デバイスにより、無線アクセスネットワークデバイスからシグナリングを受信する段階であって、シグナリングは、ブロックコードブックの数に関する情報、対応するアンテナパネルの数に関する情報及びアンテナポートグループの数のうちのいずれか１つを含む、段階と、
端末デバイスにより、ブロックコードブックの数に関する情報、対応するアンテナパネルの数に関する情報及びアンテナポートグループの数のうちのいずれか１つに基づいて、用いられる必要があるコードブックを知る段階と
を含む。
【００６３】
実現可能な設計において、アンテナポートはチャネル状態情報基準信号ポートである。
【００６４】
第１４態様によれば、
本発明の実施形態は、プリコーディング行列のアプリケーションプロセスに適用可能な通信方法を提供し、方法は、
無線アクセスネットワークデバイスにより、端末からプリコーディング行列インジケータ情報を受信する段階であって、プリコーディング行列インジケータ情報は、コードブック内のプリコーディング行列を示すために用いられ、コードブックは、ブロックコードブックの数に関する情報及び異なるブロックコードブック間の位相差に関する情報を含み、ブロックコードブックの数は少なくとも２つである、段階と、
無線アクセスネットワークデバイスにより、ダウンリンクデータを端末デバイスに送信する段階と
を含む、又は、
本発明の実施形態は、プリコーディング行列のアプリケーションプロセスに適用可能な通信方法を提供し、方法は、
無線アクセスネットワークデバイスにより、端末からプリコーディング行列インジケータ情報を受信する段階であって、プリコーディング行列インジケータ情報は、コードブック内のプリコーディング行列を示すために用いられ、コードブックは、対応するアンテナパネルの数に関する情報及び異なる対応するアンテナパネル間の位相差に関する情報を含む、段階と、
無線アクセスネットワークデバイスにより、ダウンリンクデータを端末デバイスに送信する段階と
を含む、又は、
本発明の実施形態は、プリコーディング行列のアプリケーションプロセスに適用可能な通信方法を提供し、方法は、
無線アクセスネットワークデバイスにより、端末からプリコーディング行列インジケータ情報を受信する段階であって、プリコーディング行列インジケータ情報は、コードブック内のプリコーディング行列を示すために用いられ、コードブックは、アンテナポートグループの数と、異なるアンテナポートグループ間の位相係数に関する情報とを含む、段階と、
無線アクセスネットワークデバイスにより、ダウンリンクデータを端末デバイスに送信する段階と
を含む。
【００６５】
実現可能な設計において、前述の設計のいずれか１つは、コードブック内のプリコーディング行列が、
【数７４】
2019537304.tif 000076
であり、Ｗの上付き記号は、ランク数を表し、φｎ＝ｅｊπｎ／２はアンテナの２つの偏波方向間の位相差又は位相係数を表し、ｎの値の範囲は、｛０，１，２，３｝を満たし、ｌ及びｍはそれぞれ第１のＰＭＩの関数を表し、ｅは自然定数を表し、ｊは単位虚数を表し、πは円周率を表し、
【数７５】
2019537304.tif 000077
であり、長さがＫ１であるＤＦＴベクトルを表し、ｖｌのｋ１番目の要素は、
【数７６】
2019537304.tif 000078
であり、ｋ１の値は、｛１，２，・・・，Ｋ１−１｝であってよく、Ｋ１は、各アンテナポートグループ内の水平次元におけるＣＳＩ−ＲＳポートの数であり、
【数７７】
2019537304.tif 000079
であり、ｕｍは、長さがＫ２であるＤＦＴベクトルを表し、ｕｍのｋ２番目の要素は、
【数７８】
2019537304.tif 000080
であり、ｋ２の値は、｛１，２，・・・，Ｋ２−１｝であってよく、Ｋ２は、各グループ内の垂直次元におけるＣＳＩ−ＲＳポートの数であり、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｏ１及びＯ２は、オーバサンプリング係数を表し、
【数７９】
2019537304.tif 000081
は、クロネッカー積を表し、Ｎは、アンテナポートグループの数を表し、又は、アンテナパネルの数を表し、又は、Ｎは２又は４である
ことを満たすことをさらに含む。
【００６６】
実現可能な設計において、前述の設計のいずれか１つは、コードブック内のプリコーディング行列が、
【数８０】
2019537304.tif 000082
であり、Ｗの上付き記号は、ランク数を表し、
【数８１】
2019537304.tif 000083
であり、ｖｌ，ｍは、長さがＫ１×Ｋ２であるベクトルを表し、ｖｌ，ｍのｋ１番目の要素は、
【数８２】
2019537304.tif 000084
であり、ｋ１の値は、｛１，２，・・・，Ｋ１−１｝であってよく、Ｋ１は、各グループ内の水平次元におけるＣＳＩ−ＲＳポートの数であり、
【数８３】
2019537304.tif 000085
又は、
【数８４】
2019537304.tif 000086
であり、ｕｍは、長さがＫ２であるＤＦＴベクトルを表し、ｕｍのｋ２番目の要素は、
【数８５】
2019537304.tif 000087
であり、ｋ２の値は、｛１，２，・・・，Ｋ２−１｝であってよく、Ｋ２は、各グループ内の垂直次元におけるＣＳＩ−ＲＳポートの数であり、Ｏ１及びＯ２は、オーバサンプリング係数を表し、ｌ及びｍはそれぞれ第１のＰＭＩの関数を表し、φｎ＝ｅｊπｎ／２はアンテナの２つの偏波方向間の位相差又は位相係数を表し、ｎの値は｛０，１，２，３｝であり、ｅは自然定数を表し、ｊは単位虚数を表し、πは円周率を表し、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｎはアンテナポートグループの数を表し、又は、Ｎはアンテナパネルの数を表し、又は、Ｎは２、４又は８である
ことを満たすことをさらに含む。
【００６７】
実現可能な設計において、前述の設計のいずれか１つは、コードブック内のプリコーディング行列が、
【数８６】
2019537304.tif 000088
であり、Ｗの上付き記号は、ランク数を表し、
【数８７】
2019537304.tif 000089
であり、ｖｌは、長さがＫ１であるＤＦＴベクトルを表し、ｖｌのｋ１番目の要素は、
【数８８】
2019537304.tif 000090
であり、ｋ１の値は、｛１，２，・・・，Ｋ１−１｝であってよく、Ｋ１は、各アンテナポートグループ内の水平次元におけるＣＳＩ−ＲＳポートの数であり、
【数８９】
2019537304.tif 000091
であり、ｕｍは、長さがＫ２であるＤＦＴベクトルを表し、ｕｍのｋ２番目の要素は、
【数９０】
2019537304.tif 000092
であり、ｋ２の値は、｛１，２，・・・，Ｋ２−１｝であってよく、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、
【数９１】
2019537304.tif 000093
は、クロネッカー積を表し、ｅは自然定数を表し、ｊは単位虚数を表し、πは円周率を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、アンテナポートグループの数とアンテナの偏波方向の数との積を表し、又は、Ｎは２、４又は８である
ことを満たすことをさらに含む。
【００６８】
実現可能な設計において、前述の設計のいずれか１つは、コードブック内のプリコーディング行列が、
【数９２】
2019537304.tif 000094
であり、Ｗの上付き記号は、ランク数を表し、
【数９３】
2019537304.tif 000095
であり、ｖｌ，ｍは、長さがＫ１×Ｋ２であるベクトルを表し、ｖｌ，ｍのｋ１番目の要素は、
【数９４】
2019537304.tif 000096
であり、ｋ１の値は、｛１，２，・・・，Ｋ１−１｝であってよく、Ｋ１は、各アンテナポートグループ内の水平次元におけるＣＳＩ−ＲＳポートの数であり、
【数９５】
2019537304.tif 000097
又は、
【数９６】
2019537304.tif 000098
であり、ｕｍは、長さがＫ２であるＤＦＴベクトルを表し、ｕｍのｋ２番目の要素は、
【数９７】
2019537304.tif 000099
であり、ｋ２の値は、｛１，２，・・・，Ｋ２−１｝であってよく、Ｋ２は、各アンテナポートグループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、アンテナポートグループの数とアンテナの偏波方向の数との積を表す、又は、Ｎは２、４又は８である
ことを満たすことをさらに含む。
【００６９】
実現可能な設計において、前述の設計のいずれか１つは、位相係数が、θｒ＝２πｉ２，ｒ／Ｘであることをさらに含み、Ｘは、｛２，４，８，...｝のセット内の値であり得、ｒ＝１，・・・，Ｎ−１であり得る。
【００７０】
実現可能な設計において、前述の設計のいずれか１つは、無線アクセスネットワークデバイスにより、高次レイヤシグナリングを端末デバイスに送信する段階であって、高次レイヤシグナリングは、ブロックコードブックの数に関する情報を含む、段階をさらに含む。２６．無線アクセスネットワークデバイスにより、高次レイヤシグナリングを端末デバイスに送信する段階であって、高次レイヤシグナリングは、対応するアンテナパネルの数に関する情報を含む、段階
をさらに含む、請求項１９、２１から２４のいずれか一項に記載の方法。
【００７１】
実現可能な設計において、前述の設計のいずれか１つは、無線アクセスネットワークデバイスにより、高次レイヤシグナリングを端末デバイスに送信する段階であって、高次レイヤシグナリングは、アンテナポートグループの数を含む、段階をさらに含む。
【００７２】
実現可能な設計において、前述の設計のいずれか１つは、アンテナポートがチャネル状態情報基準信号ポートであることをさらに含む。
【００７３】
実現可能な設計において、前述の設計のいずれか１つは、プリコーディング行列インジケータ情報が、広帯域チャネル状態情報ＣＳＩに対応する第１のプリコーディング行列インジケータ、及び／又は、サブバンドチャネル状態情報ＣＳＩに対応する第２のプリコーディング行列インジケータを含むこと、をさらに含む。
【００７４】
実現可能な設計において、前述の設計のいずれか１つは、
第１のプリコーディング行列インジケータ及び／又は第２のプリコーディング行列インジケータが、ブロックコードブック間の位相差を示すために用いられる情報を含むこと、をさらに含む。
【００７５】
実現可能な設計において、前述の設計のいずれか１つは、ブロックコードブック間の位相差を示すために用いられる情報が、少なくとも１つのインデックス値を含み、インデックス値と、ブロックコードブック間の位相差との間には対応関係があること、をさらに含む。
【００７６】
実現可能な設計において、前述の設計のいずれか１つは、プリコーディング行列インジケータ情報が、広帯域チャネル状態情報ＣＳＩに対応する第１のプリコーディング行列インジケータ、サブバンドチャネル状態情報ＣＳＩに対応する第２のプリコーディング行列インジケータ及び第３のプリコーディング行列インジケータを含み、第３のプリコーディング行列インジケータが、ブロックコードブックの差分パラメータに対応するパラメータ値を示すために用いられる情報を含むこと、又は、プリコーディング行列インジケータ情報が、広帯域チャネル状態情報ＣＳＩに対応する第１のプリコーディング行列インジケータ、サブバンドチャネル状態情報ＣＳＩに対応する第２のプリコーディング行列インジケータ及び第３のプリコーディング行列インジケータを含み、第３のプリコーディング行列インジケータが、ブロックコードブック間の位相差を示すために用いられる情報を含むこと、をさらに含む。
【００７７】
第１５態様によれば、
本発明の実施形態は、プリコーディング行列のアプリケーションプロセスに適用可能な通信方法を提供し、方法は、
無線アクセスネットワークデバイスにより、シグナリングを端末デバイスに送信する段階であって、シグナリングは、ブロックコードブックの数に関する情報、対応するアンテナパネルの数に関する情報及びアンテナポートグループの数のうちのいずれか１つを含む、段階と、
端末デバイスにより、ブロックコードブックの数に関する情報、対応するアンテナパネルの数に関する情報及びアンテナポートグループの数のうちのいずれか１つに基づいて、用いられる必要があるコードブックを知る段階と
を含む。
【００７８】
実現可能な設計において、アンテナポートはチャネル状態情報基準信号ポートである。
【００７９】
第１６態様によれば、
本発明の実施形態は、端末デバイスを提供し、端末デバイスは、プロセッサ、メモリ及び送受信機を含み、メモリは、命令を格納するように構成され、送受信機は、別のデバイスと通信するために端末デバイスにより用いられ、プロセッサは、メモリに格納された命令を実行して、第１２態様及び第１３態様に係る設計のうちのいずれか１つにおける処理を端末デバイスに実行させるように構成される。
【００８０】
第１７態様によれば、
本発明の実施形態は、無線アクセスネットワークデバイスを提供し、無線アクセスネットワークデバイスは、プロセッサ、メモリ及び送受信機を含み、メモリは、命令を格納するように構成され、送受信機は、別のデバイスと通信するために無線アクセスネットワークデバイスにより用いられ、プロセッサは、メモリに格納された命令を実行して、第１４態様及び第１５態様に係る設計のうちのいずれか１つにおける処理を無線アクセスネットワークデバイスに実行させるように構成される。
【００８１】
第１８態様によれば、
本発明の実施形態は、端末デバイスに適用可能なチップシステムを提供し、チップシステムは、少なくとも１つのプロセッサを含み、少なくとも１つのプロセッサは、格納された命令を実行して、第１２態様及び第１３態様に係る設計のうちのいずれか１つにおける処理を端末デバイスに実行させるように構成される。
【００８２】
第１９態様によれば、
本発明の実施形態は、無線アクセスネットワークデバイスに適用可能なチップシステムを提供し、チップシステムは、少なくとも１つのプロセッサを含み、少なくとも１つのプロセッサは、格納された命令を実行して、第１４態様及び第１５態様に係る設計のうちのいずれか１つにおける処理を無線アクセスネットワークデバイスに実行させるように構成される。
【００８３】
第２０態様によれば、
本発明の実施形態は、端末デバイスに適用可能なコンピュータプログラム製品を提供する。コンピュータプログラム製品は、命令を含み、実行されるときに、命令は、第１２態様及び第１３態様に係る設計のうちのいずれか１つにおける処理を端末デバイスに実行させる。命令は、コンピューティング装置により実行されてよい。例えば、コンピューティング装置は、端末デバイス内のコンピューティング及び処理回路であってよく、又は、端末デバイス外のコンピューティング及び処理回路であってよい、又は、コンピューティング装置は、端末デバイスに配置された１つの部分と、端末デバイス外に配置されたもう１つの部分とを有してもよい。
【００８４】
第２１態様によれば、
本発明の実施形態は、無線アクセスネットワークデバイスに適用可能なコンピュータプログラム製品を提供する。コンピュータプログラム製品は、命令を含み、実行されるときに、命令は、第１４態様及び第１５態様に係る設計のうちのいずれか１つにおける処理を無線アクセスネットワークデバイスに実行させる。命令は、コンピューティング装置により実行されてよい。例えば、コンピューティング装置は、無線アクセスネットワークデバイス内のコンピューティング及び処理回路であってよく、又は、無線アクセスネットワークデバイス外のコンピューティング及び処理回路であってよい、又は、コンピューティング装置は、無線アクセスネットワークデバイスに配置される１つの部分と、無線アクセスネットワークデバイス外に配置されるもう１つの部分とを有してもよい。
【００８５】
第２２態様によれば、
本発明の実施形態は、端末デバイスに適用可能なコンピュータ可読記憶媒体を提供する。コンピュータ可読記憶媒体は、命令を格納し、実行されるときに、命令は、第１２態様及び第１３態様に係る設計のうちのいずれか１つにおける処理を端末デバイスに実行させる。
【００８６】
第２３態様によれば、
本発明の実施形態は、無線アクセスネットワークデバイスに適用可能なコンピュータ可読記憶媒体を提供する。コンピュータ可読記憶媒体は、命令を格納し、実行されるときに、命令は、第１４態様及び第１５態様に係る設計のうちのいずれか１つにおける処理を無線アクセスネットワークデバイスに実行させる。
【００８７】
第２４態様によれば、
本発明の実施形態は、端末デバイスを提供し、端末デバイスは、第１２態様及び第１３態様に係る設計のうちのいずれか１つにおける処理を実行するように構成される。
【００８８】
第２５態様によれば、
本発明の実施形態は、無線アクセスネットワークデバイスを提供し、無線アクセスネットワークデバイスは、第１４態様及び第１５態様に係る設計のうちのいずれか１つにおける処理を実行するように構成される。
【００８９】
第２６態様によれば、
本発明の実施形態は、通信システムを提供し、通信システムは、第１６態様及び第２４態様に係る端末デバイス、及び／又は、第１７態様及び第２５態様に係る無線アクセスネットワークデバイスを含む。
【図面の簡単な説明】
【００９０】
【図１】本発明の実施形態が適用可能であるネットワークアーキテクチャを示す。
【００９１】
【図２】本発明の実施形態に係るマルチパネルアレイアンテナの模式構造図である。
【００９２】
【図３】本発明の実施形態に係るコードブックベースのチャネル状態情報のフィードバック方法の概略フローチャートである。
【００９３】
【図４】本発明の実施形態に係るアンテナパネル及びビームの第１の概略図である。
【００９４】
【図５】本発明の実施形態に係るアンテナパネル及びビームの第２の概略図である。
【００９５】
【図６】本発明の実施形態に係るアンテナパネル及びビームの第３の概略図である。
【００９６】
【図７】本発明の実施形態に係るユーザ機器の模式構造図である。
【００９７】
【図８】本発明の実施形態に係るユーザ機器のハードウェア構造の模式図である。
【００９８】
【図９】本発明の実施形態に係るＴＲＰの模式構造図である。
【００９９】
【図１０】本発明の実施形態に係るＴＲＰのハードウェア構造の模式図である。
【０１００】
【図１１】本発明の実施形態に係るオンチップシステムの模式構造図である。
【０１０１】
【図１２】本発明の実施形態に係るオンチップシステムの模式構造図である。
【発明を実施するための形態】
【０１０２】
本発明の実施形態の目的、技術的解決手段及び利点をより明確にするために、以下では、本発明の実施形態における添付図面を参照して、本発明の実施形態における技術的解決手段を明確かつ十分に説明する。説明される実施形態は、一部であり、本発明の実施形態のすべてではないことは明らかである。創造的な努力なく、本発明の実施形態に基づいて当業者により得られるすべての他の実施形態が、本発明の保護範囲に含まれるものとする。
【０１０３】
本発明の実施形態で説明されるネットワークアーキテクチャ及びビジネスシナリオは、本発明の実施形態における技術的解決手段をより明確に説明することを目的としたものであるが、本発明の実施形態において提供される技術的解決手段を限定することを意図したものではない。当業者は、ネットワークアーキテクチャが進化するにつれて、新たなビジネスシナリオが出現することを知り得、本発明の実施形態において提供される技術的解決手段は、同様の技術的な問題にさらに適用可能である。
【０１０４】
本発明の実施形態の可能なネットワークアーキテクチャ及び可能なアプリケーションシナリオは、図１及び図２を参照して以下でまず説明される。
【０１０５】
図１は、本発明の実施形態が適用可能であるネットワークアーキテクチャを示す。図２は、本発明の実施形態に係るマルチパネルアレイアンテナの模式構造図である。図１に示されるように、ネットワークアーキテクチャは、主に、基地局０１及びユーザ機器（Ｕｓｅｒ  Ｅｑｕｉｐｍｅｎｔ、略してＵＥ）０２を含む。基地局０１は、ＵＥ０２との無線通信を実行する。
【０１０６】
本発明の実施形態におけるＵＥは、無線通信機能を有する様々なハンドヘルドデバイス、車載デバイス、ウェアラブルデバイス、コンピューティングデバイス、無線モデムに接続された別の処理デバイス、端末デバイスの様々な形態、又は、移動局（Ｍｏｂｉｌｅ  Ｓｔａｔｉｏｎ、ＭＳ）などを含んでよい。説明しやすくするために、上述のデバイスは、まとめてＵＥと称される。本発明の実施形態における基地局（Ｂａｓｅ  Ｓｔａｔｉｏｎ、ＢＳ）は、無線アクセスネットワークに配置される装置であり、無線通信機能を端末に提供するように構成される。基地局は、様々な形態のマクロ基地局、マイクロ基地局、リレー局及びアクセスポイントを含んでよい。様々な無線アクセス技術を用いるシステムにおいて、基地局の機能を有するデバイスは、異なる名称を有してよく、例えば、ロングタームエボリューション（Ｌｏｎｇ  Ｔｅｒｍ  Ｅｖｏｌｕｔｉｏｎ、ＬＴＥ）システムにおいて、デバイスは、進化型ノードＢ（ｅｖｏｌｖｅｄ  ＮｏｄｅＢ、ｅＮＢ又はｅＮｏｄｅＢ）と称され、３Ｇ通信システムにおいて、デバイスは、ノードＢ（Ｎｏｄｅ  Ｂ）と称される。さらに、デバイスは、さらに、ＬＴＥシステムの後続の進化型システム、例えば、第５世代（５ｔｈ  Ｇｅｎｅｒａｔｉｏｎ、５Ｇ）システムに適用可能である。本発明の実施形態における解決手段が、５Ｇシステム又は将来出現する可能性がある別のシステムに適用される場合、基地局及び端末の名称が変わり得ることに留意されたい。例えば、基地局の名称は、送信／受信ポイント（Ｔｒａｎｓｍｉｓｓｉｏｎ  Ｒｅｃｅｐｔｉｏｎ  Ｐｏｉｎｔ、略してＴＲＰ）に変わるが、これは、本発明の実施形態における解決手段の実施例に影響を与えない。以下の実施形態では、実行主体としてＴＲＰを用いることにより、実施形態における技術的解決手段が詳細に説明される。
【０１０７】
大規模ＭＩＭＯシステムがネットワークアーキテクチャに適用される場合、構成される大規模な伝送アンテナは、図２に示され得る。図２に示されるように、大規模な伝送アンテナは、マルチアンテナパネルアレイアンテナであってよい。マルチアンテナパネルアレイアンテナは、垂直次元におけるＭ１個のアンテナパネル及び水平次元におけるＭ２個のアンテナパネルを含む。垂直次元でのアンテナパネルの任意の列において、垂直方向に隣接するアンテナパネル間の距離はｄ１であり、具体的には、各行において隣接するアンテナパネル間の行間隔がｄ１である。垂直方向に隣接するアンテナパネル間の距離は、同一であってもよく、又は、異なっていてもよい。水平次元でのアンテナパネルの任意の行において、水平方向に隣接するアンテナパネル間の距離はｄ２であり、具体的には、各列において隣接するアンテナパネル間の列間隔がｄ２である。水平方向に隣接するアンテナパネル間の距離は、同一であってもよく、又は、異なっていてもよい。本実施形態において、アレイアンテナは、各アンテナパネル上に配置される。
【０１０８】
ＴＲＰがＵＥと通信する過程において、ＴＲＰは、通常、同一のユーザの異なるデータストリーム又は異なるユーザのデータストリームからの干渉を低減するべく、プリコーディング行列を用いることにより、送信される必要があるデータに対して前処理を実行し、これにより、システム性能を向上させる。前処理を実行するために、ＴＲＰにより必要とされる情報は、ＵＥによりフィードバックされるダウンリンクチャネルの測定情報に基づいている。ＵＥは、ＴＲＰにより送信された基準信号、例えば、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、略してＣＳＩ−ＲＳ）に従ってチャネル推定を実行し、推定結果に基づいてチャネル状態情報（ｃｈａｎｎｅｌ  ｓｔａｔｅ  ｉｎｆｏｒｍａｔｉｏｎ、略してＣＳＩ）を決定する。ＣＳＩは、情報、例えば、伝送ランク（伝送用のデータレイヤの数）、プリコーディング行列インジケータ（ｐｒｅｃｏｄｉｎｇ  ｍａｔｒｉｘ  ｉｎｄｉｃａｔｏｒ、略してＰＭＩ）及びチャネル品質インジケータ（ｃｈａｎｎｅｌ  ｑｕａｌｉｔｙ  ｉｎｄｉｃａｔｏｒ、略してＣＱＩ）を含む。その後、ＵＥは、ＴＲＰによりダウンリンクスケジューリング及びデータ伝送を実行するための参照として、決定されたＣＳＩをＴＲＰにフィードバックする。
【０１０９】
通常、ランクごとに、特定の数のプリコーディング行列が、量子化されたチャネルを示すために用いられる。これらの設計されたプリコーディング行列はコードブックを形成する。コードブック内の各プリコーディング行列は、１つ又は複数のコードブックインデックスに対応する。通常、コードブックインデックスと、対応するＰＭＩとの間には対応関係がある。コードブックは、予め定められている。ＴＲＰ及びＵＥの両方は、対応するコードブックを格納しており、コードブック内の各プリコーディング行列と、コードブックインデックスと、ＰＭＩとの間の対応関係について共通の理解を有する。ＵＥが、推定されたダウンリンクチャネルに基づいて、定義されたコードブックからプリコーディング行列を選択し、プリコーディング行列のコードブックインデックスを決定する場合、ＵＥは、選択されたプリコーディング行列に対応するＰＭＩをＴＲＰにフィードバックするだけでよい。ＴＲＰは、ＵＥによりフィードバックされたＰＭＩに基づいて、特定のプリコーディング行列を決定してよい。
【０１１０】
既存のコードブックが、線形アレイのみに適用可能であるが、不均一な行間隔又は列間隔を有するマルチパネルアンテナアレイには適用可能でないという問題、すなわち、既存のコードブックが、図２に示されるアンテナアレイの構造と同様の構造に適用可能でないという問題を解決するために、実施形態は、コードブックベースのチャネル状態情報のフィードバック方法を提供する。方法では、マルチパネルアンテナアレイに適用可能となるように、新たなコードブック構造が提供される。本発明の本実施形態において提供される方法は、特定の実施形態を用いることにより以下で詳細に説明される。以下の実施形態では、基地局の名称はＴＲＰに変更される。
【０１１１】
図３は、本発明の実施形態に係るコードブックベースのチャネル状態情報のフィードバック方法の概略フローチャートである。図３に示されるように、方法は、以下の段階を含む。
【０１１２】
Ｓ３０１：ＵＥは、予め生成されたコードブック内の目標プリコーディング行列を決定する。
【０１１３】
Ｓ３０２：ＵＥは、プリコーディング行列インジケータＰＭＩをＴＲＰに送信し、ＰＭＩは、目標プリコーディング行列、及び、ブロックコードブックの差分パラメータに対応するパラメータ値を示すために用いられる。
【０１１４】
Ｓ３０３：ＴＲＰは、ＰＭＩに基づいて、予め生成されたコードブック内の目標プリコーディング行列を決定する。
【０１１５】
本実施形態において、Ｓ３０１及びＳ３０２は、任意選択的な段階である。本実施形態において、ＵＥがＰＭＩをＴＲＰに送信する処理、及び、ＴＲＰがＵＥにより送信されたＰＭＩを受信する処理が主に関連する。
【０１１６】
特定の実施例において、ＴＲＰは、ＵＥのために基準信号を予め設定する。具体的には、基準信号はＣＳＩ−ＲＳであってよい。ＵＥは、基準信号に基づいてチャネル推定を実行し、予め設定された基準に従って、予め生成されたコードブックから目標プリコーディング行列を選択する。予め設定された基準は、最大チャネル容量基準、最大トランスポートブロックサイズ基準又は最大信号対干渉雑音比基準などであってよい。本発明の本実施形態において、ＵＥが、コードブックから目標プリコーディング行列を選択する特定の実施例の処理は、特に限定されることはない。コードブック内の各プリコーディング行列は、１つ又は複数のコードブックインデックスに対応することが上記から知られ得る。通常、コードブックインデックスと、対応するＰＭＩとの間には対応関係がある。したがって、ＰＭＩは、プリコーディング行列を示すために用いられ得る。
【０１１７】
Ｓ３０２において、ＵＥは、目標プリコーディング行列を取得した後に、前述の対応関係に基づいて、目標プリコーディング行列を示すために用いられるＰＭＩを決定し、当該ＰＭＩを基地局に送信してよい。本実施形態において、ＰＭＩは、目標プリコーディング行列を示してよく、ブロックコードブックの差分パラメータに対応するパラメータ値をさらに示してもよい。
【０１１８】
目標プリコーディング行列は、コードブック内のプリコーディング行列、すなわち、コードブックから選択されたプリコーディング行列である。本発明の本実施形態において提供されるコードブックの構造が以下に説明される。
【０１１９】
本実施形態において、コードブック内の少なくともいくつかのプリコーディング行列は、ブロックコードブック内のプリコーディング行列と、ブロックコードブックの差分パラメータに対応するパラメータ値とからの変換を通じて得られる。少なくとも２つのブロックコードブックがあり、ブロックコードブックは、予め設定されたプリコーディング行列に基づいて形成される。
【０１２０】
例えば、水平次元において、Ｍ１個のブロックコードブックがあり、垂直次元において、Ｍ２個のブロックコードブックがある。Ｍ１は、水平次元におけるアンテナパネルの数であり、Ｍ２は、垂直次元におけるアンテナパネルの数である。具体的には、ブロックコードブックの数とアンテナパネルの数との間には対応関係がある。具体的には、水平次元におけるブロックコードブックは、水平次元におけるアンテナパネルに対応し、垂直次元におけるブロックコードブックは、垂直次元におけるアンテナパネルに対応する。
【０１２１】
各ブロックコードブック内のプリコーディング行列は、ベクトルに基づいて形成される。ベクトルは、例えば、離散フーリエ変換（Ｄｉｓｃｒｅｔｅ  Ｆｏｕｒｉｅｒ  Ｔｒａｎｓｆｏｒｍ、略してＤＦＴ）ベクトルであってよい。ベクトルの長さと、アンテナパネル上のＣＳＩ−ＲＳポートの数との間には対応関係がある。例えば、水平次元において、各パネル上にＫ１個のＣＳＩ−ＲＳポートがある場合、水平次元におけるブロックコードブック内のプリコーディング行列に対応するベクトルの長さは、Ｋ１であり、垂直次元において、各パネル上にＫ２個のＣＳＩ−ＲＳポートがある場合、垂直次元におけるブロックコードブック内のプリコーディング行列に対応するベクトルの長さは、Ｋ２である。
【０１２２】
ブロックコードブックの差分パラメータは、差分パラメータ、例えば、位相差又はモジュラス値の差であってよい。コードブック内のプリコーディング行列は、ブロックコードブック内のプリコーディング行列と、ブロックコードブックの差分パラメータに対応するパラメータ値とからの変換を通じて得られてよい。変換は、その２つの乗算若しくは除算、又は、別の演算関係であってよい。これは、本実施形態において特に限定されることはない。任意に、パラメータ値の数とブロックコードブックの数との間には対応関係がある。例えば、パラメータ値の数及びブロックコードブックの数は等しくてよい、又は、パラメータ値の数は、ブロックコードブックの数より少なくてもよい。例えば、水平次元に隣接するパネル間の位相差が説明される場合、各パネルが１つのブロックコードブックに対応するので、位相差の数はブロックコードブックの数より１つ少ない。
【０１２３】
さらに、ＵＥは、コードブック構成パラメータから、コードブック内のブロックコードブックの数、及び、ブロックコードブック内のプリコーディング行列に対応するベクトルの長さを取得してよい。本実施形態において、コードブック構成パラメータは、コードブック内のブロックコードブックの数と、ブロックコードブック内のプリコーディング行列に対応するベクトルの長さとを含む。
【０１２４】
任意に、コードブック構成パラメータは、ＴＲＰにより、予めＵＥに送信される。例えば、ＴＲＰは、高次レイヤシグナリング又は物理レイヤシグナリングをＵＥに送信してよい。高次レイヤシグナリング又は物理レイヤシグナリングは、コードブック構成パラメータを搬送する。例えば、高次レイヤシグナリングは、無線リソース制御（Ｒａｄｉｏ  Ｒｅｓｏｕｒｃｅ  Ｃｏｎｔｒｏｌ、ＲＲＣ）シグナリングであってよく、物理レイヤシグナリングは、ダウンリンク制御情報（Ｄｏｗｎｌｉｎｋ  Ｃｏｎｔｒｏｌ  Ｉｎｆｏｒｍａｔｉｏｎ、ＤＣＩ）であってよい。
【０１２５】
適宜、上述したように、ブロックコードブックが、水平次元におけるブロックコードブック及び垂直次元におけるブロックコードブックを含む場合、コードブック構成パラメータは、水平次元におけるブロックコードブックの数及び水平次元におけるブロックコードブック内のプリコーディング行列に対応するベクトルの長さを含み、水平次元には、少なくとも２つのブロックコードブックがあり、コードブック構成パラメータは、垂直次元におけるブロックコードブックの数及び垂直次元におけるブロックコードブック内のプリコーディング行列に対応するベクトルの長さを含み、垂直次元には少なくとも２つのブロックコードブックがある。
【０１２６】
任意に、Ｓ３０２において、ＵＥによりＴＲＰに送信されたＰＭＩは具体的には、以下の実施例において実装され得る。
【０１２７】
実現可能な実施例において、ＰＭＩは、広帯域ＣＳＩに対応する第１のＰＭＩ及びサブバンドＣＳＩに対応する第２のＰＭＩを含み、第１のＰＭＩ又は第２のＰＭＩは、ブロックコードブックの差分パラメータに対応するパラメータ値を示すために用いられる。
【０１２８】
特定の実施例において、既存のＰＭＩは、第１のＰＭＩ及び第２のＰＭＩを含み、インジケータフィールドは、第１のＰＭＩ又は第２のＰＭＩに加えられてよい。インジケータフィールドは、ブロックコードブックの差分パラメータに対応するパラメータ値を示すために用いられる。具体的には、インデックス番号は、パラメータ値用のインジケータフィールドに設定されてよく、異なるインデックス番号は、異なるパラメータ値に対応する。
【０１２９】
別の実現可能な実施例において、ＰＭＩは、広帯域ＣＳＩに対応する第１のＰＭＩ、狭帯域ＣＳＩに対応する第２のＰＭＩ及び第３のＰＭＩを含み、第３のＰＭＩは、ブロックコードブックの差分パラメータに対応するパラメータ値を示すために用いられる。
【０１３０】
特定の実施例において、第３のＰＭＩが加えられてよく、第３のＰＭＩは、ブロックコードブックの差分パラメータに対応するパラメータ値を示すために用いられる。
【０１３１】
Ｓ３０３において、基地局がＰＭＩを取得した後に、基地局はまた、コードブック構成パラメータに基づいて、対応するコードブックを生成するので、基地局は、ＵＥによりフィードバックされたＰＭＩに基づいて、特定の目標プリコーディング行列を決定してよい。例えば、第１のＰＭＩは、２つのコードブックインデックスに対応し、第２のＰＭＩは、１つのコードブックインデックスに対応し、基地局は、コードブックインデックスに基づいて、特定の目標プリコーディング行列を決定してよい。
【０１３２】
本実施形態において提供されるコードブックベースのチャネル状態情報のフィードバック方法によれば、ＵＥは、プリコーディング行列インジケータＰＭＩをＴＲＰに送信する。ＰＭＩは、目標プリコーディング行列、及び、ブロックコードブックの差分パラメータに対応するパラメータ値を示すために用いられる。目標プリコーディング行列は、コードブック内のプリコーディング行列であり、コードブック内の少なくともいくつかのプリコーディング行列は、ブロックコードブックの差分パラメータに対応するパラメータ値をコードブックに導入するために、ブロックコードブック内のプリコーディング行列と、パラメータ値とからの変換を通じて得られ、その結果、コードブックは、差分パラメータ、例えば、隣接するパネル間の位相差及びモジュラス値の差を含み、これにより、ビーム指向性を確保し、システム性能を向上させる。
【０１３３】
本発明の本実施形態におけるコードブック内のプリコーディング行列の構造は、特定の実施形態を用いることにより以下で詳細に説明される。
【０１３４】
まず、各ブロックコードブックに対応するＤＦＴベクトルが、同一の放射角におけるビームに対応するＤＦＴベクトルである場合のコードブック内のプリコーディング行列の構造が以下に説明される。図４は、本発明の実施形態に係るアンテナパネル及びビームの第１の概略図である。図４に示されるように、各ブロックコードブックに対応するＤＦＴベクトルは、同一の放射角におけるビームに対応するＤＦＴベクトルである。ブロックコードブックに対応するＤＦＴベクトルは、スプライシング方式などで、伝送ビームに対応するＤＦＴベクトルに組み合わせられる。
【０１３５】
任意に、実現可能な設計において、すべてのアンテナポートがＮ個のグループにグループ化されてよい（Ｎの値は、２、４又は８などであってよい）。各グループ内の水平次元には、Ｋ１個のＣＳＩ−ＲＳポートがあり、各グループ内の垂直次元には、Ｋ２個のＣＳＩ−ＲＳポートがある。交差偏波アンテナに関して、アンテナポートの合計数は、２×Ｎ×Ｋ１×Ｋ２である。ブロックコードブックの差分パラメータが位相差である場合、コードブック内のプリコーディング行列の構造は、具体的には、以下の式１．１に示される。
【数９８】
2019537304.tif 000100
であり、
【数９９】
2019537304.tif 000101
であり、
【数１００】
2019537304.tif 000102
であり、
【数１０１】
2019537304.tif 000103
であり、Ｗ３は第３のＰＭＩｉ３，ｒにより示され、ｒ＝１，・・・，Ｎ−１であり、第３のＰＭＩは広帯域ＰＭＩであってよく、例えば、θｒ＝２πｉ３，ｒ／Ｘであり、Ｘは、｛２，４，８，...｝のセット内の値であり得、
【数１０２】
2019537304.tif 000104
は、次元が２Ｋ１Ｋ２×２Ｋ１Ｋ２である単位行列を表し、Ｗ１は第１のＰＭＩにより示され、第１のＰＭＩは広帯域ＰＭＩであり、Ｂ１（１）、Ｂ２（１）、Ｂ１（Ｎ）及びＢ２（Ｎ）は、次元がＫ１Ｋ２×Ｂである行列を表し、各列は、１つのＤＦＴベクトルに対応し、Ｗ２は第２のＰＭＩにより示され、第２のＰＭＩはサブバンドＰＭＩであり、ｅｉ（Ｂ）は、次元がＢ×１であるベクトルであり、ｉ番目の要素は１であり、残りの要素は０であり、φｎ＝ｅｊπｎ／２は、アンテナの２つの偏波方向間の位相差を表し、ｎは、第２のＰＭＩの関数を表し、ｅは自然定数を表し、ｊは単位虚数を表し、πは円周率を表す。
【０１３６】
実現可能な設計において、すべてのアンテナポートがＮ個のグループにグループ化されてよい（Ｎの値は、２、４又は８などであってよい）。各グループ内の水平次元には、Ｋ１個のＣＳＩ−ＲＳポートがあり、各グループ内の垂直次元には、Ｋ２個のＣＳＩ−ＲＳポートがある。したがって、アンテナポートの合計数は、２×Ｎ×Ｋ１×Ｋ２（二重偏波アンテナに対応する）である。ブロックコードブックの差分パラメータが位相差である場合、コードブック内のプリコーディング行列の構造は、具体的には、以下の式１．１に示される。
【数１０３】
2019537304.tif 000105
であり、
【数１０４】
2019537304.tif 000106
であり、
【数１０５】
2019537304.tif 000107
であり、
【数１０６】
2019537304.tif 000108
であり、Ｗ３は第３のＰＭＩｉ３，ｒにより示され、ｒ＝１，・・・，Ｎ−１であり、第３のＰＭＩは広帯域ＰＭＩであってよく、又はサブバンドＰＭＩであってよく、例えば、θｒ＝２πｉ３，ｒ／Ｘであり、Ｘは、｛２，４，８，...｝のセット内の値であり得、Ｉ２Ｂは、次元が２Ｂ×２Ｂである単位行列を表し、Ｗ１は第１のＰＭＩにより示され、第１のＰＭＩは広帯域ＰＭＩであり、Ｂ１（１）、Ｂ２（１）、Ｂ１（Ｎ）及びＢ２（Ｎ）は、次元がＫ１Ｋ２×Ｂである行列を表し、各列は、１つのＤＦＴベクトルに対応し、Ｗ２は第２のＰＭＩにより示され、第２のＰＭＩはサブバンドＰＭＩであり、ｅｉ（Ｂ）は、次元がＢ×１であるベクトルであり、ｉ番目の要素は１であり、残りの要素は０であり、φｎ＝ｅｊπｎ／２は、アンテナの２つの偏波方向間の位相差を表し、ｎは、第２のＰＭＩの関数を表し、ｅは自然定数を表し、ｊは単位虚数を表し、πは円周率を表す。
【０１３７】
実現可能な設計において、すべてのアンテナポートがＮ個のグループにグループ化されてよい（Ｎの値は、２、４又は８などであってよい）。各グループ内の水平次元には、Ｋ１個のＣＳＩ−ＲＳポートがあり、各グループ内の垂直次元には、Ｋ２個のＣＳＩ−ＲＳポートがある。したがって、アンテナポートの合計数は、２×Ｎ×Ｋ１×Ｋ２（二重偏波アンテナに対応する）である。ブロックコードブックの差分パラメータが位相差である場合、コードブック内のプリコーディング行列の構造は、具体的には、以下に示されるものであってよい。
【数１０７】
2019537304.tif 000109
であり、
【数１０８】
2019537304.tif 000110
であり、
【数１０９】
2019537304.tif 000111
であり、Ｗ１は、第１のＰＭＩにより示され、第１のＰＭＩは広帯域ＰＭＩであってよく、Ｂ１（１）、Ｂ２（１）、Ｂ１（Ｎ）及びＢ２（Ｎ）は、次元が、Ｋ１Ｋ２×Ｂである行列を表し、各列は、１つのＤＦＴベクトルに対応し、Ｗ２は、第２のＰＭＩにより示され、第２のＰＭＩはサブバンドＰＭＩであってよく、ｅｉ（Ｂ）は、次元がＢ×１であるベクトルであり、ｉ番目の要素は１であり、残りの要素は０であり、φｎ＝ｅｊπｎ／２は、アンテナの２つの偏波方向間の位相差を表し、ｎは、第２のＰＭＩの関数を表し、θｒ＝２πｉ２，ｒ／Ｘであり、ｒ＝１，・・・，Ｎ−１であり、Ｘは、｛２，４，８，...｝のセット内の値であり得、ｅは自然定数を表し、ｊは単位虚数を表し、πは円周率を表す、又は、
【数１１０】
2019537304.tif 000112
であり、
【数１１１】
2019537304.tif 000113
であり、
【数１１２】
2019537304.tif 000114
【数１１３】
2019537304.tif 000115
であり、Ｗ１は第１のＰＭＩにより示され、第１のＰＭＩは広帯域ＰＭＩであってよく、Ｂ１（１）、Ｂ２（１）、Ｂ１（Ｎ）及びＢ２（Ｎ）は、次元がＫ１Ｋ２×Ｂである行列を表し、各列は、１つのＤＦＴベクトルに対応し、Ｗ２は第２のＰＭＩにより示され、第２のＰＭＩはサブバンドＰＭＩであり、
【数１１４】
2019537304.tif 000116
は、次元がＫ１Ｋ２×１であるベクトルであり、ｉ番目の要素は１であり、残りの要素は０であり、φｎ＝ｅｊπｎ／２は、アンテナの２つの偏波方向間の位相差を表し、ｎは、第２のＰＭＩの関数を表し、Ｗ３は第３のＰＭＩｉ３，ｒにより示され、ｒ＝１，・・・，Ｎ−１であり、第３のＰＭＩは、サブバンドＰＭＩであってよく、例えば、θｒ＝２πｉ３，ｒ／Ｘであり、Ｘは、｛２，４，８，...｝のセット内の値であり得、ｅは自然定数を表し、ｊは単位虚数を表し、πは円周率を表す。
【０１３８】
実現可能な設計において、すべてのアンテナポートがＮ個のグループにグループ化される（Ｎの値は、２、４又は８などであってよい）。各グループ内の水平次元には、Ｋ１個のＣＳＩ−ＲＳポートがあり、各グループ内の垂直次元には、Ｋ２個のＣＳＩ−ＲＳポートがある。したがって、アンテナポートの合計数は、２×Ｎ×Ｋ１×Ｋ２（二重偏波アンテナに対応する）である。例としてランク１を用いて、ブロックコードブックの差分パラメータが位相差である場合、コードブック内のプリコーディング行列の構造は、
【数１１５】
2019537304.tif 000117
であってよく、Ｎは、アンテナポートグループの数を表し得、又は、アンテナパネルの数を表し得、ｃ０，０，１，ｃ０，１，１，・・・，ｃＮ−１，０，１，ｃＮ−１，１，１は、アンテナポートグループ間の位相係数又は位相差を表し、又は、異なるアンテナパネル上のアンテナポート間の位相係数又は位相差を表し、又は、異なる偏波方向でのアンテナポート間の位相係数又は位相差を表し、ｃ０，０，１，ｃ０，１，１，・・・，ｃＮ−１，０，１，ｃＮ−１，１，１は、第１のＰＭＩ、第２のＰＭＩ又は第３のＰＭＩの関数であってよく、第１のＰＭＩは広帯域ＰＭＩであり、第２のＰＭＩはサブバンドＰＭＩであり、第３のＰＭＩは広帯域ＰＭＩ又はサブバンドＰＭＩであってよく、ｂｌ，ｍは、長さがＫ１×Ｋ２である２次元ＤＦＴベクトルを表し、例えば、２つの１次元ＤＦＴベクトルのクロネッカー積であってよく、ｌ及びｍはそれぞれ、第１のＰＭＩの関数を表し、第１のＰＭＩは広帯域ＰＭＩであってよい。
【０１３９】
例えば、
コードブック内のプリコーディング行列の構造は、具体的には、以下の式１．１に示される。
【数１１６】
2019537304.tif 000118
φｎ＝ｅｊπｎ／２は、アンテナの２つの偏波方向間の位相差又は位相係数を表し、ｎは、第２のＰＭＩの関数を表し、値は、｛０，１，２，３｝であり、第２のＰＭＩは広帯域ＰＭＩであってよく、又は、サブバンドＰＭＩであってよく、ｅは自然定数を表し、ｊは単位虚数を表し、πは円周率を表し、
【数１１７】
2019537304.tif 000119
であり、ｖｌは、長さがＫ１であるＤＦＴベクトルを表し、Ｋ１は、各グループ内の水平次元におけるＣＳＩ−ＲＳポートの数であり、
【数１１８】
2019537304.tif 000120
であり、ｕｍは、長さがＫ２であるＤＦＴベクトルを表し、Ｋ２は、各グループ内の垂直次元におけるＣＳＩ−ＲＳポートの数であり、（θ１・・・θＮ２）は、異なるアンテナポートグループ間の位相差パラメータ又は位相係数を表し、又は、アンテナパネル間の位相差パラメータ又は位相係数を表し、
【数１１９】
2019537304.tif 000121
の値は、｛＋１，−１，＋ｊ，−ｊ｝であってよく、Ｏ１及びＯ２は、オーバサンプリング係数を表し、
【数１２０】
2019537304.tif 000122
は、クロネッカー積を表し、Ｎは、アンテナポートグループの数を表し得る、又は、アンテナパネルの数を表し得る。
【０１４０】
同様に、ランクがｒ（ｒは、２、３又は４に等しくてよい）であるマルチパネルコードブックにおいて、異なるレイヤ上のアンテナポートグループは、同一の（θ１・・・θＮ−１）を用いてよい。これは、以下の実施形態と同様であり、詳細は再度説明されない。例えば、ランク２を有するコードブックの構造は、以下のようであってよい。
【数１２１】
2019537304.tif 000123
であり、
【数１２２】
2019537304.tif 000124
は、第１のデータレイヤ上の各アンテナポートグループに対応するプリコーディング行列を表し、
【数１２３】
2019537304.tif 000125
は、第２のデータレイヤ上の各アンテナポートグループに対応するプリコーディング行列を表し、対応するＰＭＩのフィードバック方法は、ランク１を有するものと同様であり、
φｎ＝ｅｊπｎ／２は、アンテナの２つの偏波方向間の位相差を表し、ｎは、第２のＰＭＩの関数を表し、値は、｛０，１，２，３｝であり、ｅは自然定数を表し、ｊは単位虚数を表し、πは円周率を表し、
【数１２４】
2019537304.tif 000126
であり、ｖｌは、長さがＫ１であるＤＦＴベクトルを表し、Ｋ１は、各グループ内の水平次元におけるＣＳＩ−ＲＳポートの数であり、ｌ＝１又は２であり、
【数１２５】
2019537304.tif 000127
であり、ｕｍは、長さがＫ２であるＤＦＴベクトルを表し、Ｋ２は、各グループ内の垂直次元におけるＣＳＩ−ＲＳポートの数であり、ｍ＝１又は２であり、（θ１・・・θＮ−１）は、異なるアンテナポートグループ間の位相差パラメータ又は位相係数を表し、又は、アンテナパネル間の位相差パラメータ又は位相係数を表し、
【数１２６】
2019537304.tif 000128
の値は、｛＋１，−１，＋ｊ，−ｊ｝であってよく、Ｏ１及びＯ２は、オーバサンプリング係数を表し、
【数１２７】
2019537304.tif 000129
は、クロネッカー積を表し、Ｎは、アンテナポートグループの数を表し得る、又は、アンテナパネルの数を表し得る。
【０１４１】
代わりに、ランク１を有するコードブック内の行列の構造は、以下のようであってよい。
【数１２８】
2019537304.tif 000130
であり、
【数１２９】
2019537304.tif 000131
であり、ｖｌ，ｍは、長さがＫ１×Ｋ２であるベクトルを表し、Ｋ１は、各グループ内の水平次元におけるＣＳＩ−ＲＳポートの数であり、
【数１３０】
2019537304.tif 000132
又は、
【数１３１】
2019537304.tif 000133
であり、ｕｍは、長さがＫ２であるＤＦＴベクトルを表し、Ｋ２は、各グループ内の垂直次元におけるＣＳＩ−ＲＳポートの数であり、ｌ及びｍはそれぞれ第１のＰＭＩの関数を表し、第１のＰＭＩは広帯域ＰＭＩであってよく、φｎ＝ｅｊπｎ／２は、アンテナの２つの偏波方向間の位相差を表し、ｎは、第２のＰＭＩの関数を表し、値は、｛０，１，２，３｝であり、第２のＰＭＩは広帯域ＰＭＩであってよく、又は、サブバンドＰＭＩであってよく、ｅは自然定数を表し、ｊは単位虚数を表し、πは円周率を表し、（θ１・・・θＮ−１）は、異なるアンテナポートグループ間の位相差パラメータ又は位相係数を表し、又は、アンテナパネル間の位相差パラメータ又は位相係数を表し、
【数１３２】
2019537304.tif 000134
の値は、｛＋１，−１，＋ｊ，−ｊ｝であってよく、Ｏ１及びＯ２は、オーバサンプリング係数を表し、
【数１３３】
2019537304.tif 000135
は、クロネッカー積を表し、Ｎは、アンテナポートグループの数を表し得る、又は、アンテナパネルの数を表し得る。
【０１４２】
適宜、ランク２を有するコードブック内の行列の構造は、以下のようであってよい。
【数１３４】
2019537304.tif 000136
であり、
【数１３５】
2019537304.tif 000137
は、第１のデータレイヤ上の各アンテナポートグループに対応するプリコーディング行列を表し、
【数１３６】
2019537304.tif 000138
は、第２のデータレイヤ上の各アンテナポートグループに対応するプリコーディング行列を表し、対応するＰＭＩのフィードバック方法は、ランク１のものと同様であり、
【数１３７】
2019537304.tif 000139
であり、ｖｌ，ｍは、長さがＫ１×Ｋ２であるベクトルを表し、Ｋ１は、各グループ内の水平次元におけるＣＳＩ−ＲＳポートの数であり、ｌ＝１又は２であり、ｍ＝１又は２であり、
【数１３８】
2019537304.tif 000140
又は、
【数１３９】
2019537304.tif 000141
であり、ｕｍは、長さがＫ２であるＤＦＴベクトルを表し、Ｋ２は、各グループ内の垂直次元におけるＣＳＩ−ＲＳポートの数であり、ｍ＝１又は２であり、ｌ及びｍはそれぞれ第１のＰＭＩの関数を表し、第１のＰＭＩは広帯域ＰＭＩであってよく、φｎ＝ｅｊπｎ／２は、アンテナの２つの偏波方向間の位相差を表し、ｎは、第２のＰＭＩの関数を表し、値は｛０，１，２，３｝であり、ｅは自然定数を表し、ｊは単位虚数を表し、πは円周率を表し、（θ１・・・θＮ−１）は、異なるアンテナポートグループ間の位相差パラメータ又は位相係数を表し、又は、アンテナパネル間の位相差パラメータ又は位相係数を表し、
【数１４０】
2019537304.tif 000142
の値は、｛＋１，−１，＋ｊ，−ｊ｝であってよく、Ｏ１及びＯ２は、オーバサンプリング係数を表し、
【数１４１】
2019537304.tif 000143
は、クロネッカー積を表し、Ｎは、アンテナポートグループの数を表し得、又は、アンテナパネルの数を表し得、
又は、
【数１４２】
2019537304.tif 000144
であり、（ａ１，・・・，ａＮ）は、振幅係数を表し、０≦ａ１，・・・，ａＮ≦１である。
【０１４３】
（１）任意に、ユーザにより基地局にフィードバックされたＰＭＩは、第１のＰＭＩ、第２のＰＭＩ及び第３のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。第３のＰＭＩは、第３のコードブックインデックスに対応する。ｎの値は、第２のコードブックインデックスにより示される。ｍの値は、第１の垂直コードブックインデックスにより示される、又は、第１の垂直コードブックインデックス及び第２のコードブックインデックスにより示される。ｌの値は、第１の水平コードブックインデックスにより示される、又は、第１の水平コードブックインデックス及び第２のコードブックインデックスにより示される。（θ１・・・θＮ−１）は、第３のコードブックインデックスにより示され得る。例えば、第３のコードブックインデックスは、複数の値ｉ３，ｒを含み、ｒ＝１，・・・，Ｎ−１であり、θｒ＝２πｉ３，ｒ／Ｘであり、Ｘは、｛２，４，８，...｝のセット内の値であり得る。Ｎ＝２の場合のコードブックの具体的な例が以下に提供される。
【表１】
2019537304.tif 000145
又は、
【表２】
2019537304.tif 000146
【０１４４】
第１のＰＭＩは広帯域ＰＭＩであり、第２のＰＭＩはサブバンドＰＭＩであり、第３のＰＭＩは広帯域ＰＭＩであってよい、又は、サブバンドＰＭＩであってよい。
【０１４５】
（２）任意に、ユーザにより基地局にフィードバックされたＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。ｎの値は、第２のコードブックインデックスにより示される。ｎの値は、第２のコードブックインデックスにより示される。ｍの値は、第１の垂直コードブックインデックスにより示される、又は、第１の垂直コードブックインデックス及び第２のコードブックインデックスにより示される。ｌの値は、第１の水平コードブックインデックスにより示される、又は、第１の水平コードブックインデックス及び第２のコードブックインデックスにより示される。（θ１・・・θＮ−１）は、第１のコードブックインデックスにより示され得る。可能な実装例において、第１のコードブックインデックスは、Ｎ＋２個の値を含み、１つの値ｉ１，１は、ｌの値を決定するために用いられ、もう一つの値ｉ１，２は、ｍの値を決定するために用いられ、残りのＮ個の値は、（θ１・・・θＮ−１）を決定するために用いられ、例えば、θｒ＝２πｉ１，ｒ＋２／Ｘであり、ｒ＝１，・・・，Ｎ−１であり、Ｘは、｛２，４，８，...｝のセット内の値であり得る。Ｎ＝２の場合のコードブックの具体的な例が以下に提供される。
【表３】
2019537304.tif 000147
又は、
【表４】
2019537304.tif 000148
【０１４６】
第１のＰＭＩは広帯域ＰＭＩであり、第２のＰＭＩはサブバンドＰＭＩである。
【０１４７】
（３）さらに、代わりに、（θ１・・・θＮ−１）は、第２のコードブックインデックスにより示されてよい。例えば、第２のコードブックインデックスは、Ｎ＋１個の値を含み、１つの値ｉ２，Ｎ＋１は、アンテナの偏波方向間の位相差φｎ＝ｅｊπｎ／２及び残りのＮ個の値ｉ２，ｒを決定するために用いられ、ｒ＝１，・・・，Ｎは、（θ１・・・θＮ−１）を決定するために用いられ、θｒ＝２πｉ２，ｒ／Ｘであり、ｒ＝１，・・・，Ｎ−１であり、Ｘは、｛２，４，８，...｝のセット内の値であり得、φｎ＝ｅｊπｎ／２であり、ｎ＝ｉ２，Ｎである。
【表５】
2019537304.tif 000149
又は、
【表６】
2019537304.tif 000150
【０１４８】
第１のＰＭＩは広帯域ＰＭＩであり、第２のＰＭＩはサブバンドＰＭＩである。振幅係数の例は、これと同様である。
【０１４９】
実現可能な設計において、アンテナは、二重偏波アンテナ又は単一偏波アンテナであってよく、２つの偏波方向におけるアンテナが各パネル上に提供されてよい、又は、１つの偏波方向のみにおけるアンテナが各パネル上に提供されてもよい（具体的には、２つの偏波方向におけるアンテナは、２つのパネル上に分散される）。実現可能な設計において、すべてのアンテナポートがＮ個のグループにグループ化される（Ｎの値は、２、４又は８などであってよい）。例えば、各グループは、１つのアンテナパネル上の１つの偏波方向におけるアンテナポートに対応する。水平次元におけるＣＳＩ−ＲＳポートの数はＫ１であり、垂直次元におけるＣＳＩ−ＲＳポートの数はＫ２である。したがって、アンテナポートの合計数は、Ｎ×Ｋ１×Ｋ２である。ブロックコードブックの差分パラメータが位相差である場合、ランク１を有するコードブック内のプリコーディング行列の構造は、具体的には、以下のように示され得る。
【数１４３】
2019537304.tif 000151
であり、
【数１４４】
2019537304.tif 000152
であり、ｖｌは、長さがＫ１であるＤＦＴベクトルを表し、Ｋ１は、各グループ内の水平次元におけるＣＳＩ−ＲＳポートの数であり、
【数１４５】
2019537304.tif 000153
であり、ｕｍは、長さがＫ２であるＤＦＴベクトルを表し、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、
【数１４６】
2019537304.tif 000154
は、クロネッカー積を表し、ｅは自然定数を表し、ｊは単位虚数を表し、πは円周率を表し、（θ１・・・θＮ−１）は、異なるアンテナポートグループ間の位相差パラメータ又は位相係数を表し、又は、異なる偏波方向におけるアンテナポート間の位相係数を表し、又は、アンテナパネル間の位相差パラメータ又は位相係数を表し、
【数１４７】
2019537304.tif 000155
の値は、｛＋１，−１，＋ｊ，−ｊ｝であってよく、Ｎは、アンテナポートグループの数を表し得る、又は、アンテナパネルの数を表し得る。
【０１５０】
ランク２を有するコードブック内のプリコーディング行列の構造は、以下のようであってよい。
【数１４８】
2019537304.tif 000156
であり、
【数１４９】
2019537304.tif 000157
は、第１のデータレイヤ上の各アンテナポートグループに対応するプリコーディング行列を表し、
【数１５０】
2019537304.tif 000158
は、第２のデータレイヤ上の各アンテナポートグループに対応するプリコーディング行列を表し、対応するＰＭＩのフィードバック方法は、ランク１を有するものと同様であり、
【数１５１】
2019537304.tif 000159
であり、ｖｌは、長さがＫ１であるＤＦＴベクトルを表し、Ｋ１は、各グループ内の水平次元におけるＣＳＩ−ＲＳポートの数であり、ｌ＝１又は２であり、
【数１５２】
2019537304.tif 000160
であり、ｕｍは、長さがＫ２であるＤＦＴベクトルを表し、Ｋ２は、各グループ内の垂直次元におけるＣＳＩ−ＲＳポートの数であり、ｍ＝１又は２であり、ｌは、第１の水平コードブックインデックスの関数であり、第１のＰＭＩとの対応関係を有し、ｍは、第１の垂直コードブックインデックスの関数であり、第１のＰＭＩとの対応関係があり、第１のＰＭＩは広帯域ＰＭＩであってよく、Ｏ１及びＯ２は、オーバサンプリング係数を表し、
【数１５３】
2019537304.tif 000161
は、クロネッカー積を表し、ｅは自然定数を表し、ｊは単位虚数を表し、πは円周率を表し、（θ１・・・θＮ−１）は、異なるアンテナポートグループ間の位相差パラメータ又は位相係数を表し、又は、異なる偏波方向におけるアンテナポート間の位相係数を表し、又は、アンテナパネル間の位相差パラメータ又は位相係数を表し、
【数１５４】
2019537304.tif 000162
の値は、｛＋１，−１，＋ｊ，−ｊ｝であってよく、Ｎは、アンテナポートグループの数を表し得る、又は、アンテナパネルの数を表し得る。
【０１５１】
代わりに、ランク１を有するコードブック内のプリコーディング行列の構造は、以下のようであってもよい。
【数１５５】
2019537304.tif 000163
であり、
【数１５６】
2019537304.tif 000164
であり、ｖｌ，ｍは、長さがＫ１Ｋ２であるベクトルを表し、Ｋ１は、各グループ内の水平次元におけるＣＳＩ−ＲＳポートの数であり、
【数１５７】
2019537304.tif 000165
又は、
【数１５８】
2019537304.tif 000166
であり、ｕｍは、長さがＫ２であるＤＦＴベクトルを表し、Ｋ２は、各グループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、第１のＰＭＩは広帯域ＰＭＩであってよく、ｍは、第１の垂直コードブックインデックスの関数であり、第１のＰＭＩとの対応関係を有し、Ｏ１及びＯ２は、オーバサンプリング係数を表し、
【数１５９】
2019537304.tif 000167
は、クロネッカー積を表し、ｅは自然定数を表し、ｊは単位虚数を表し、πは円周率を表し、（θ１・・・θＮ−１）は、異なるアンテナポートグループ間の位相差パラメータ又は位相係数を表し、又は、異なる偏波方向におけるアンテナポート間の位相係数を表し、又は、アンテナパネル間の位相差パラメータ又は位相係数を表し、
【数１６０】
2019537304.tif 000168
の値は、｛＋１，−１，＋ｊ，−ｊ｝であってよく、Ｎは、アンテナポートグループの数を表し得る、又は、アンテナパネルの数を表し得る。
【０１５２】
ランク２を有するコードブック内のプリコーディング行列の構造は、以下のようであってよい。
【数１６１】
2019537304.tif 000169
であり、
【数１６２】
2019537304.tif 000170
は、第１のデータレイヤ上の各アンテナポートグループに対応するプリコーディング行列を表し、
【数１６３】
2019537304.tif 000171
は、第２のデータレイヤ上の各アンテナポートグループに対応するプリコーディング行列を表し、対応するＰＭＩのフィードバック方法は、ランク１を有するものと同様であり、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、
【数１６４】
2019537304.tif 000172
は、クロネッカー積を表し、ｅは自然定数を表し、ｊは単位虚数を表し、πは円周率を表し、（θ１・・・θＮ−１）は、異なるアンテナポートグループ間の位相差パラメータ又は位相係数を表し、又は、異なる偏波方向におけるアンテナポート間の位相係数を表し、又は、アンテナパネル間の位相差パラメータ又は位相係数を表し、
【数１６５】
2019537304.tif 000173
の値は、｛＋１，−１，＋ｊ，−ｊ｝であってよく、Ｎは、アンテナポートグループの数を表し得、又は、アンテナパネルの数を表し得、
又は、
【数１６６】
2019537304.tif 000174
であり、（ａ１，・・・，ａＮ）は、振幅係数を表し、０≦ａ１，・・・，ａＮ≦１である。
【０１５３】
任意に、ユーザにより基地局にフィードバックされたＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。ｎの値は、第２のコードブックインデックスにより示される。ｍの値は、第１の垂直コードブックインデックスにより示される、又は、第１の垂直コードブックインデックス及び第２のコードブックインデックスにより示される。ｌの値は、第１の水平コードブックインデックスにより示される、又は、第１の水平コードブックインデックス及び第２のコードブックインデックスにより示される。
【０１５４】
（θ１・・・θＮ−１）は、異なるアンテナポートグループ間の差分パラメータ、例えば、位相差を表し、（θ１・・・θＮ−１）は、第２のコードブックインデックスにより決定され得る。例えば、第２のコードブックインデックスは、複数の値ｉ２，ｒを含み、ｒ＝１，・・・，Ｎ−１であり、θｒ＝２πｉ２，ｒ／Ｘであり、Ｘは、｛２，４，８，...｝のセット内の値であり得る。代わりに、（θ１・・・θＮ−１）内のすべての値又は一部の値は、第１のコードブックインデックスにより決定され得る。例えば、第１のコードブックインデックスは、複数の値ｉ１，ｒを含み、ｒ＝１，・・・，Ｎ−１であり、θｒ＝２πｉ２，ｒ／Ｘであり、Ｘは、｛２，４，８，...｝のセット内の値であり得る。代わりに、（θ１・・・θＮ−１）内のすべての値又は一部の値は、第１のＰＭＩ及び第２のＰＭＩの両方により決定され得る。例えば、θｉ＝ａｉ・ｂｉである場合、
【数１６７】
2019537304.tif 000175
であり、
【数１６８】
2019537304.tif 000176
であり、ａｉは、第１のＰＭＩにより決定され、ｂｉは、第２のＰＭＩにより決定される。
【０１５５】
Ｎ＝４の場合のコードブックの具体的な例が以下に提供される。
【表７】
2019537304.tif 000177
又は、
【表８】
2019537304.tif 000178
【０１５６】
第１のＰＭＩｉ１，１及びｉ１，２は、広帯域ＰＭＩであり、第２のＰＭＩｉ２，１、ｉ２，２、ｉ２，３及びｉ２，４は、サブバンドＰＭＩであり、又は、いくつかの値が広帯域ＰＭＩであり、その他の値がサブバンドＰＭＩである。振幅係数の例は、これと同様である。
【０１５７】
可能な実装例において、ブロックコードブックの差分パラメータが位相差である場合、コードブック内のプリコーディング行列の構造は、具体的には、以下の式１．１で示される。
【数１６９】
2019537304.tif 000179
【０１５８】
任意に、式は、
【数１７０】
2019537304.tif 000180
であってよく、φｎ＝ｅｊπｎ／２は、アンテナの２つの偏波方向間の位相差を表し、
【数１７１】
2019537304.tif 000181
であり、任意に、
【数１７２】
2019537304.tif 000182
であり、ｖｌ，θは、水平次元におけるＮ１個のブロックコードブックと、ブロックコードブックの差分パラメータに対応するパラメータ値とからの変換を通じて得られるコードブック内のプリコーディング行列を表し、
【数１７３】
2019537304.tif 000183
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、θは、水平次元における位相差パラメータを表し、
【数１７４】
2019537304.tif 000184
は、水平次元での異なるブロックコードブックにおけるプリコーディングベクトル間の位相差を表し、
【数１７５】
2019537304.tif 000185
であり、任意に、
【数１７６】
2019537304.tif 000186
であり、ｕｍ，φは、垂直次元におけるＮ２個のブロックコードブックと、ブロックコードブックの差分パラメータに対応するパラメータ値とからの変換を通じて得られるコードブック内のプリコーディング行列を表し、
【数１７７】
2019537304.tif 000187
であり、ｕｍは、長さがＫ２であるベクトルに基づいて各ブロックコードブックが形成されることを表し、Ｋ２は、垂直次元における各コードブックに対応するＣＳＩ−ＲＳポートの数であり、φは、垂直次元における位相差パラメータを表し、（φ１・・・φＮ２）は、垂直次元での異なるブロックコードブックにおけるプリコーディング行列間の位相差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数１７８】
2019537304.tif 000188
は、クロネッカー積を表す。
【０１５９】
代わりに、
【数１７９】
2019537304.tif 000189
であり（（φ１，φ２・・・φｎ）は示される必要がなく、以下のＰＭＩインジケーション方法は、前述の方法と同様であり、ここでは省略されている）、
【数１８０】
2019537304.tif 000190
であり、ｖｌは、長さがＫ１であるＤＦＴベクトルを表し、Ｋ１は、各グループ内の水平次元におけるＣＳＩ−ＲＳポートの数であり、
【数１８１】
2019537304.tif 000191
であり、ｕｍは、長さがＫ２であるＤＦＴベクトルを表し、Ｋ２は、各グループ内の垂直次元におけるＣＳＩ−ＲＳポートの数である。
【０１６０】
代わりに、
【数１８２】
2019537304.tif 000192
であり（（φ１，φ２・・・φｎ）は示される必要がなく、以下のＰＭＩインジケーション方法は、前述の方法と同様であり、ここでは省略される）、
【数１８３】
2019537304.tif 000193
であり、ｖｌ，ｍは、長さがＫ１Ｋ２であるベクトルを表し、Ｋ１は、各グループ内の水平次元におけるＣＳＩ−ＲＳポートの数であり、
【数１８４】
2019537304.tif 000194
又は、
【数１８５】
2019537304.tif 000195
であり、ｕｍは、長さがＫ２であるＤＦＴベクトルを表し、Ｋ２は、各グループ内の垂直次元におけるＣＳＩ−ＲＳポートの数であり、Ｏ１及びＯ２は、オーバサンプリング係数を表す。
【０１６１】
この可能な実施例において、ＰＭＩを用いることにより位相差を示す方式は、以下の可能な方式に分類され得る。
【０１６２】
第１方式：ＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。位相差
【数１８６】
2019537304.tif 000196
は、第１の水平コードブックインデックスにより示され、位相差（φ１・・・φＮ２）は、第１の垂直コードブックインデックスにより示される。任意に、ｎの値は、第２のコードブックインデックスにより示され、ｍの値は、第１の垂直コードブックインデックス及び第２のコードブックインデックスにより示され、ｌの値は、第１の水平コードブックインデックス及び第２のコードブックインデックスにより示される。
【０１６３】
具体的な例が、ｌとｍとｎとの間の関係を説明するために用いられる。詳細については、表１を参照されたい。
［表１］
【表９】
2019537304.tif 000197
【０１６４】
表１において、ｉ１，１は、第１の水平コードブックインデックスを表し、ｉ１，２は、第１の垂直コードブックインデックスを表し、ｉ２は、第２のコードブックインデックスを表す。ｉ１，１及びｉ１，２の特定の値は、本実施形態において特に限定されない。ｉ２＝２である場合、ｌ＝２ｉ１，１であり、ｍ＝２ｉ１，２である。ｉ２＝６である場合、ｌ＝２ｉ１，１＋１であり、ｍ＝２ｉ１，２であり、ｎ＝２である。ｉ２＝１０である場合、ｌ＝２ｉ１，１であり、ｍ＝２ｉ１，２＋１であり、ｎ＝２である。
【０１６５】
当業者であれば、以下のｌとｍとｎとの間の関係を決定し、ｌ、ｍ及びｎの値を決定する方式が本実施形態における方式と同様であることを理解し得る。したがって、詳細は再度説明されない。
【０１６６】
第２方式：ＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。ｎ、位相差（φ１・・・φＮ２）及び位相差
【数１８７】
2019537304.tif 000198
の値は、第２のコードブックインデックスにより示される。ｍの値は、第１の垂直コードブックインデックス及び第２のコードブックインデックスにより示される。ｌの値は、第１の水平コードブックインデックス及び第２のコードブックインデックスにより示される。
【０１６７】
任意に、第２のＰＭＩの値は、２つのコードブックインデックスに対応してよい。説明しやすくするために、２つのコードブックインデックスは、第２の水平コードブックインデックス及び第２の垂直コードブックインデックスと称される。位相差（φ１・・・φＮ２）は、第２の垂直コードブックインデックスにより示される。
【数１８８】
2019537304.tif 000199
は、第２の水平コードブックインデックスにより示される。ｎの値は、第２の垂直コードブックインデックス及び第２の水平コードブックインデックスにより示される。ｍの値は、第１の垂直コードブックインデックス及び第２の垂直コードブックインデックスにより示される。ｌの値は、第１の水平コードブックインデックス及び第２の水平コードブックインデックスにより示される。
【０１６８】
第３方式：ＰＭＩは、第１のＰＭＩ、第２のＰＭＩ及び第３のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。第３のＰＭＩは、第３のコードブックインデックスに対応する。位相差
【数１８９】
2019537304.tif 000200
及び、（φ１・・・φＮ２）の値は、第３のコードブックインデックスにより示される。任意に、ｎの値は、第２のコードブックインデックスにより示され、ｍの値は、第１の垂直コードブックインデックス及び第２のコードブックインデックスにより示され、ｌの値は、第１の水平コードブックインデックス及び第２のコードブックインデックスにより示される。任意に、例えば、第３のコードブックインデックスは、複数の値ｉ３，ｒ及びｉ３，ｓを含み、ｒ＝１，・・・，Ｎ１−１であり、ｓ＝１，・・・，Ｎ２−１であり、θｒ＝２πｉ３，ｒ／Ｘ及びθｓ＝２πｉ３，ｓ／Ｘであり、Ｘは、｛２，４，８｝のセット内の値であり得る。第１のＰＭＩは広帯域ＰＭＩであってよく、第２のＰＭＩはサブバンドＰＭＩであり、第３のＰＭＩは広帯域ＰＭＩであってよい、又は、サブバンドＰＭＩであってよい。
【０１６９】
任意に、第３のＰＭＩは、２つのコードブックインデックスに対応してよい。説明しやすくするために、２つのコードブックインデックスは、第３の垂直コードブックインデックス及び第３の水平コードブックインデックスと称される。この場合、（φ１・・・φＮ２）の値は、第３の垂直コードブックインデックスにより示され、
【数１９０】
2019537304.tif 000201
の値は、第３の水平コードブックインデックスにより示される。
【０１７０】
任意に、例えば、第３の水平コードブックインデックスは、複数の値
【数１９１】
2019537304.tif 000202
を含み、ｒ＝１，・・・，Ｎ１−１であり、
【数１９２】
2019537304.tif 000203
であり、Ｘは、｛２，４，８，...｝のセット内の値であり得、第３の垂直コードブックインデックスは、複数の値
【数１９３】
2019537304.tif 000204
を含み、ｒ＝１，・・・，Ｎ２−１であり、
【数１９４】
2019537304.tif 000205
であり、Ｘは、｛２，４，８｝のセット内の値であり得る。第１のＰＭＩは広帯域ＰＭＩであり、第２のＰＭＩはサブバンドＰＭＩであり、第３のＰＭＩは広帯域ＰＭＩであってよい、又は、サブバンドＰＭＩであってよい。ＵＥ側では、ＵＥは、基準信号に基づいてチャネル推定を実行し、
【数１９５】
2019537304.tif 000206
と、
【数１９６】
2019537304.tif 000207
の値と、コードブックインデックスとを適宜決定して、コードブックインデックスに対応するＰＭＩを基地局にフィードバックしてよい。基地局側では、ＰＭＩに対応するコードブックインデックスが取得され、
【数１９７】
2019537304.tif 000208
の値が取得され得る。目標プリコーディング行列は、
【数１９８】
2019537304.tif 000209
の値、及び
【数１９９】
2019537304.tif 000210
に基づいて取得され得る。
【０１７１】
別の可能な実施例において、ブロックコードブックの差分パラメータがモジュラス値の差である場合、コードブック内のプリコーディング行列の構造は、具体的には、以下の式１．２で示される。
【０１７２】
ブロックコードブックの差分パラメータがモジュラス値の差である場合、コードブック内のプリコーディング行列の構造は、具体的には、以下の式１．２で示される。
【数２００】
2019537304.tif 000211
任意に、式は、
【数２０１】
2019537304.tif 000212
であってよく、φｎ＝ｅｊπｎ／２は、アンテナの２つの偏波方向間の位相差を表し、
【数２０２】
2019537304.tif 000213
であり、任意に、
【数２０３】
2019537304.tif 000214
であり、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数２０４】
2019537304.tif 000215
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数２０５】
2019537304.tif 000216
は、水平次元での異なるブロックコードブックにおけるプリコーディング行列間のモジュラス値の差を表し、
【数２０６】
2019537304.tif 000217
であり、任意に、
【数２０７】
2019537304.tif 000218
であり、ｕｍ，αは、垂直次元におけるＮ２個のブロックコードブックに対応するＮ２個のＤＦＴベクトルを表し、
【数２０８】
2019537304.tif 000219
であり、ｕｍは、長さがＫ２であるＤＦＴベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数２０９】
2019537304.tif 000220
は、垂直次元での異なるブロックコードブックにおけるプリコーディングベクトル間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数２１０】
2019537304.tif 000221
は、クロネッカー積を表す。
【０１７３】
この可能な実施例において、ＰＭＩを用いることによりモジュラス値の差を示す方式は、以下の可能な実装例に分類され得る。
【０１７４】
第１方式：ＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。モジュラス値の差
【数２１１】
2019537304.tif 000222
は、第１の水平コードブックインデックスにより示される。モジュラス値の差
【数２１２】
2019537304.tif 000223
は、第１の垂直コードブックインデックスにより示される。任意に、ｎの値は、第２のコードブックインデックスにより示され、ｍの値は、第１の垂直コードブックインデックス及び第２のコードブックインデックスにより示され、ｌの値は、第１の水平コードブックインデックス及び第２のコードブックインデックスにより示される。
【０１７５】
第２方式：ＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。ｎの値、
【数２１３】
2019537304.tif 000224
の値、及び
【数２１４】
2019537304.tif 000225
の値は、第２のコードブックインデックスにより示される。ｍの値は、第１の垂直コードブックインデックス及び第２のコードブックインデックスにより示される。ｌの値は、第１の水平コードブックインデックス及び第２のコードブックインデックスにより示される。
【０１７６】
任意に、第２のＰＭＩの値は、２つのコードブックインデックスに対応してよい。説明しやすくするために、２つのコードブックインデックスは、第２の水平コードブックインデックス及び第２の垂直コードブックインデックスと称される。
【数２１５】
2019537304.tif 000226
は、第２の垂直コードブックインデックスにより示される。
【数２１６】
2019537304.tif 000227
は、第２の水平コードブックインデックスにより示される。ｎの値は、第２の垂直コードブックインデックス及び第２の水平コードブックインデックスにより示される。ｍの値は、第１の垂直コードブックインデックス及び第２の垂直コードブックインデックスにより示される。ｌの値は、第１の水平コードブックインデックス及び第２の水平コードブックインデックスにより示される。
【０１７７】
第３方式：ＰＭＩは、第１のＰＭＩ、第２のＰＭＩ及び第３のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。第３のＰＭＩは、第３のコードブックインデックスに対応する。
【数２１７】
2019537304.tif 000228
の値、
【数２１８】
2019537304.tif 000229
の値は、第３のコードブックインデックスにより示される。任意に、ｎの値は、第２のコードブックインデックスにより示され、ｍの値は、第１の垂直コードブックインデックス及び第２のコードブックインデックスにより示され、ｌの値は、第１の水平コードブックインデックス及び第２のコードブックインデックスにより示される。
【０１７８】
任意に、第３のＰＭＩの値は、２つのコードブックインデックスに対応してよい。説明しやすくするために、２つのコードブックインデックスは、第３の垂直コードブックインデックス及び第３の水平コードブックインデックスと称される。この場合、
【数２１９】
2019537304.tif 000230
の値は、第３の垂直コードブックインデックスにより示され、
【数２２０】
2019537304.tif 000231
の値は、第３の水平コードブックインデックスにより示される。
【０１７９】
ＵＥ側では、ＵＥは、基準信号に基づいてチャネル推定を実行し、
【数２２１】
2019537304.tif 000232
と、
【数２２２】
2019537304.tif 000233
の値と、コードブックインデックスとを適宜決定して、コードブックインデックスに対応するＰＭＩを基地局にフィードバックしてよい。基地局側では、ＰＭＩに対応するコードブックインデックスが取得され、
【数２２３】
2019537304.tif 000234
の値が取得され得る。目標プリコーディング行列は、
【数２２４】
2019537304.tif 000235
の値、及び
【数２２５】
2019537304.tif 000236
に基づいて取得され得る。
【０１８０】
次に、ブロックコードブックに対応するベクトルが、異なる放射角におけるビームに対応するベクトルである場合のコードブック内のプリコーディング行列の構造が説明される。図５は、本発明の実施形態に係るアンテナパネル及びビームの第２の概略図である。図５に示されるように、ブロックコードブックに対応するベクトルは、同一の放射角におけるビームに対応するＤＦＴベクトル、又は、異なる放射角におけるビームに対応するＤＦＴベクトルであってよい。ブロックコードブックに対応するＤＦＴベクトルは、スプライシング方式などで、伝送ビームに対応するＤＦＴベクトルに組み合わせられる。
【０１８１】
可能な実装例において、ブロックコードブックの差分パラメータが位相差である場合、コードブック内のプリコーディング行列の構造は、式１．３で示される。
【数２２６】
2019537304.tif 000237
任意に、式は、
【数２２７】
2019537304.tif 000238
であってよく、φｎ＝ｅｊπｎ／２は、アンテナの２つの偏波方向間の位相差を表し、
【数２２８】
2019537304.tif 000239
であり、ｌ＝ｌ１・・・ｌＮ１であり、任意に、
【数２２９】
2019537304.tif 000240
であり、
【数２３０】
2019537304.tif 000241
であり、ｖｌ，θは、水平次元におけるＮ１個のブロックコードブックと、ブロックコードブックの差分パラメータに対応するパラメータ値とからの変換を通じて得られるコードブック内のプリコーディング行列を表し、
【数２３１】
2019537304.tif 000242
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、θは、水平次元における位相差パラメータを表し、
【数２３２】
2019537304.tif 000243
は、水平次元での異なるブロックコードブックにおけるプリコーディング行列間の位相差を表し、
【数２３３】
2019537304.tif 000244
であり、
【数２３４】
2019537304.tif 000245
であり、任意に、
【数２３５】
2019537304.tif 000246
であり、
【数２３６】
2019537304.tif 000247
であり、ｕｍ，φは、垂直次元におけるＮ２個のブロックコードブックと、ブロックコードブックの差分パラメータに対応するパラメータ値とからの変換を通じて得られるコードブック内のプリコーディング行列を表し、
【数２３７】
2019537304.tif 000248
であり、ｕｍは、長さがＫ２であるベクトルに基づいて各ブロックコードブックが形成されることを表し、Ｋ２は、垂直次元における各コードブックに対応するＣＳＩ−ＲＳポートの数であり、φは、垂直次元における位相差パラメータを表し、（φ１・・・φＮ２）は、垂直次元での異なるブロックコードブックにおけるプリコーディング行列間の位相差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数２３８】
2019537304.tif 000249
は、クロネッカー積を表す。
【０１８２】
この可能な実施例において、ＰＭＩを用いることにより位相差を示す方式は、以下の可能な方式に分類され得る。
【０１８３】
第１方式：ＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。（φ１・・・φＮ２）は、第１の垂直コードブックインデックスにより示される。
【数２３９】
2019537304.tif 000250
は、第１の水平コードブックインデックスにより示される。任意に、ｎの値は、第２のコードブックインデックスにより示され、
【数２４０】
2019537304.tif 000251
は、第１の垂直コードブックインデックス及び第２のコードブックインデックスの両方により示され、
【数２４１】
2019537304.tif 000252
は、第１の水平コードブックインデックス及び第２のコードブックインデックスの両方により示される。任意に、
【数２４２】
2019537304.tif 000253
は、第１の垂直コードブックインデックス及び第２のコードブックインデックスの両方により示されてよく、
【数２４３】
2019537304.tif 000254
は、第１の水平コードブックインデックス及び第２のコードブックインデックスの両方により示されてよい。
【０１８４】
任意に、第１のＰＭＩは、第１の水平コードブックインデックス、第１の差分水平コードブックインデックス、第１の垂直コードブックインデックス及び第１の差分垂直コードブックインデックスに対応してよい。（φ１・・・φＮ２）は、第１の垂直コードブックインデックスにより示される。
【数２４４】
2019537304.tif 000255
の値は、第１の水平コードブックインデックスにより示される。任意に、ｎの値は、第２のコードブックインデックスにより示される。この場合、
【数２４５】
2019537304.tif 000256
の間には、予め設定された関数関係（例えば、線形関係）があるはずであり、
【数２４６】
2019537304.tif 000257
は、第１の垂直コードブックインデックス、第１の差分垂直コードブックインデックス及び第２のコードブックインデックスにより示される。
【数２４７】
2019537304.tif 000258
の間には、予め設定された関数関係（例えば、線形関係）があるはずであり、
【数２４８】
2019537304.tif 000259
は、第１の水平コードブックインデックス、第１の差分水平コードブックインデックス及び第２のコードブックインデックスにより示される。任意に、
【数２４９】
2019537304.tif 000260
の間には、予め設定された関数関係（例えば、線形関係）があるはずであり、
【数２５０】
2019537304.tif 000261
は、第１の垂直コードブックインデックス、第１の差分垂直コードブックインデックス及び第２のコードブックインデックスにより示される。また、
【数２５１】
2019537304.tif 000262
の間には、予め設定された関数関係（例えば、線形関係）があるはずであり、
【数２５２】
2019537304.tif 000263
は、第１の水平コードブックインデックス、第１の差分水平コードブックインデックス及び第２のコードブックインデックスにより示される。
【０１８５】
第２方式：ＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。ｎの値、（φ１・・・φＮ２）の値、及び
【数２５３】
2019537304.tif 000264
の値は、第２のコードブックインデックスにより示される。
【数２５４】
2019537304.tif 000265
は、第１の垂直コードブックインデックス及び第２のコードブックインデックスの両方により示され、
【数２５５】
2019537304.tif 000266
は、第１の水平コードブックインデックス及び第２のコードブックインデックスの両方により示される。任意に、
【数２５６】
2019537304.tif 000267
は、第１の垂直コードブックインデックス及び第２のコードブックインデックスの両方により示されてよく、
【数２５７】
2019537304.tif 000268
は、第１の水平コードブックインデックス及び第２のコードブックインデックスの両方により示されてよい。
【０１８６】
任意に、第２のＰＭＩの値は、２つのコードブックインデックスに対応してよい。説明しやすくするために、２つのコードブックインデックスは、第２の水平コードブックインデックス及び第２の垂直コードブックインデックスと称される。
【数２５８】
2019537304.tif 000269
は、第２の垂直コードブックインデックスにより示される。
【数２５９】
2019537304.tif 000270
は、第２の水平コードブックインデックスにより示される。ｎの値は、第２の垂直コードブックインデックス及び第２の水平コードブックインデックスの両方により示される。
【数２６０】
2019537304.tif 000271
は、第１の垂直コードブックインデックス及び第２の垂直コードブックインデックスの両方により示される。
【数２６１】
2019537304.tif 000272
は、第１の水平コードブックインデックス及び第２の水平コードブックインデックスの両方により示される。任意に、
【数２６２】
2019537304.tif 000273
は、第１の垂直コードブックインデックス及び第２の垂直コードブックインデックスの両方により示されてよく、
【数２６３】
2019537304.tif 000274
は、第１の水平コードブックインデックス及び第２の水平コードブックインデックスの両方により示されてよい。
【０１８７】
第３方式：ＰＭＩは、第１のＰＭＩ、第２のＰＭＩ及び第３のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。第３のＰＭＩは、第３のコードブックインデックスに対応する。ｎの値は、第２のコードブックインデックスにより示される。
【数２６４】
2019537304.tif 000275
は、第１の垂直コードブックインデックス、第２のコードブックインデックス及び第３のコードブックインデックスのすべてにより示される。
【数２６５】
2019537304.tif 000276
は、第１の水平コードブックインデックス、第２のコードブックインデックス及び第３のコードブックインデックスのすべてにより示される。（φ１・・・φＮ２）及び
【数２６６】
2019537304.tif 000277
は、第３のコードブックインデックスにより示される。任意に、
【数２６７】
2019537304.tif 000278
は、第１の垂直コードブックインデックス、第２のコードブックインデックス及び第３のコードブックインデックスのすべてにより示されてよく、
【数２６８】
2019537304.tif 000279
は、第１の水平コードブックインデックス、第２のコードブックインデックス及び第３のコードブックインデックスのすべてにより示されてよく、（φ１・・・φＮ２）及び
【数２６９】
2019537304.tif 000280
は、第３のコードブックインデックスにより示されてよい。
【０１８８】
任意に、第３のＰＭＩは、第３の垂直コードブックインデックス及び第３の水平コードブックインデックスに対応してよい。この場合、（φ１・・・φＮ２）は、第３の垂直コードブックインデックスにより示され、
【数２７０】
2019537304.tif 000281
は、第３の水平コードブックインデックスにより示される。
【数２７１】
2019537304.tif 000282
は、第１の垂直コードブックインデックス、第２のコードブックインデックス及び第３の垂直コードブックインデックスのすべてにより示される。
【数２７２】
2019537304.tif 000283
は、第１の水平コードブックインデックス、第２のコードブックインデックス及び第３の水平コードブックインデックスのすべてにより示される。任意に、
【数２７３】
2019537304.tif 000284
は、第１の垂直コードブックインデックス、第２のコードブックインデックス及び第３の垂直コードブックインデックスのすべてにより示されてよく、
【数２７４】
2019537304.tif 000285
は、第１の水平コードブックインデックス、第２のコードブックインデックス及び第３の水平コードブックインデックスのすべてにより示されてよい。
【０１８９】
ＵＥ側では、ＵＥは、基準信号に基づいてチャネル推定を実行し、
【数２７５】
2019537304.tif 000286
と、
【数２７６】
2019537304.tif 000287
の値と、コードブックインデックスとを適宜決定して、コードブックインデックスに対応するＰＭＩを基地局にフィードバックしてよい。基地局側では、ＰＭＩに対応するコードブックインデックスが取得され、
【数２７７】
2019537304.tif 000288
の値が取得され得る。目標プリコーディング行列は、
【数２７８】
2019537304.tif 000289
の値、及び
【数２７９】
2019537304.tif 000290
に基づいて取得され得る。
【０１９０】
任意に、ＵＥ側では、ＵＥは、基準信号に基づいてチャネル推定を実行し、
【数２８０】
2019537304.tif 000291
と、
【数２８１】
2019537304.tif 000292
の値、
【数２８２】
2019537304.tif 000293
の値、（φ１・・・φＮ２）の値、
【数２８３】
2019537304.tif 000294
の値及びｎの値と、コードブックインデックスとを適宜決定して、コードブックインデックスに対応するＰＭＩを基地局にフィードバックしてよい。基地局側では、ＰＭＩに対応するコードブックインデックスが取得され、
【数２８４】
2019537304.tif 000295
の値、
【数２８５】
2019537304.tif 000296
の値、（φ１・・・φＮ２）の値、
【数２８６】
2019537304.tif 000297
の値及びｎの値が取得され得る。目標プリコーディング行列は、
【数２８７】
2019537304.tif 000298
の値、
【数２８８】
2019537304.tif 000299
の値、（φ１・・・φＮ２）の値、
【数２８９】
2019537304.tif 000300
の値及びｎの値と、
【数２９０】
2019537304.tif 000301
とに基づいて取得され得る。
【０１９１】
別の可能な実施例において、ブロックコードブックの差分パラメータがモジュラス値の差である場合、コードブック内のプリコーディング行列の構造は、式１．４で示される。
【数２９１】
2019537304.tif 000302
任意に、式は、
【数２９２】
2019537304.tif 000303
であってよく、φｎ＝ｅｊπｎ／２は、アンテナの２つの偏波方向間の位相差を表し、
【数２９３】
2019537304.tif 000304
であり、任意に、
【数２９４】
2019537304.tif 000305
であり、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数２９５】
2019537304.tif 000306
であり、ｌ＝ｌ１・・・ｌＮ１であり、任意に、
【数２９６】
2019537304.tif 000307
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数２９７】
2019537304.tif 000308
は、水平次元での異なるブロックコードブックにおけるプリコーディング行列間のモジュラス値の差を表し、
【数２９８】
2019537304.tif 000309
であり、
【数２９９】
2019537304.tif 000310
であり、任意に、
【数３００】
2019537304.tif 000311
であり、
【数３０１】
2019537304.tif 000312
であり、ｕｍ，αは、垂直次元におけるＮ２個のブロックコードブックと、ブロックコードブックの差分パラメータに対応するパラメータ値とからの変換を通じて得られるコードブック内のプリコーディング行列を表し、
【数３０２】
2019537304.tif 000313
であり、ｕｍは、長さがＫ２であるベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数３０３】
2019537304.tif 000314
は、垂直次元での異なるブロックコードブックにおけるプリコーディング行列間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数３０４】
2019537304.tif 000315
は、クロネッカー積を表す。
【０１９２】
この可能な実施例において、ＰＭＩを用いることによりモジュラス値の差を示す方式は、以下の可能な方式に分類され得る。
【０１９３】
第１方式：ＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。
【数３０５】
2019537304.tif 000316
は、第１の垂直コードブックインデックスにより示される。
【数３０６】
2019537304.tif 000317
は、第１の水平コードブックインデックスにより示される。任意に、ｎの値は、第２のコードブックインデックスにより示され、
【数３０７】
2019537304.tif 000318
は、第１の垂直コードブックインデックス及び第２のコードブックインデックスの両方により示され、
【数３０８】
2019537304.tif 000319
は、第１の水平コードブックインデックス及び第２のコードブックインデックスの両方により示される。任意に、
【数３０９】
2019537304.tif 000320
は、第１の垂直コードブックインデックス及び第２のコードブックインデックスの両方により示されてよく、
【数３１０】
2019537304.tif 000321
は、第１の水平コードブックインデックス及び第２のコードブックインデックスの両方により示されてよい。
【０１９４】
任意に、第１のＰＭＩは、第１の水平コードブックインデックス、第１の差分水平コードブックインデックス、第１の垂直コードブックインデックス及び第１の差分垂直コードブックインデックスに対応してよい。
【数３１１】
2019537304.tif 000322
は、第１の垂直コードブックインデックスにより示される。
【数３１２】
2019537304.tif 000323
は、第１の水平コードブックインデックスにより示される。任意に、ｎの値は、第２のコードブックインデックスにより示される。この場合、
【数３１３】
2019537304.tif 000324
の間には、予め設定された関数関係（例えば、線形関係）があるはずであり、
【数３１４】
2019537304.tif 000325
は、第１の垂直コードブックインデックス、第１の差分垂直コードブックインデックス及び第２のコードブックインデックスにより示される。また、
【数３１５】
2019537304.tif 000326
の間には、予め設定された関数関係（例えば、線形関係）があるはずであり、
【数３１６】
2019537304.tif 000327
は、第１の水平コードブックインデックス、第１の差分水平コードブックインデックス及び第２のコードブックインデックスにより示される。任意に、
【数３１７】
2019537304.tif 000328
の間には、予め設定された関数関係（例えば、線形関係）があるはずであり、
【数３１８】
2019537304.tif 000329
は、第１の垂直コードブックインデックス、第１の差分垂直コードブックインデックス及び第２のコードブックインデックスにより示される。
【数３１９】
2019537304.tif 000330
の間にも、予め設定された関数関係（例えば、線形関係）があるはずであり、
【数３２０】
2019537304.tif 000331
は、第１の水平コードブックインデックス、第１の差分水平コードブックインデックス及び第２のコードブックインデックスにより示される。
【０１９５】
第２方式：ＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。ｎの値、
【数３２１】
2019537304.tif 000332
の値、及び
【数３２２】
2019537304.tif 000333
の値は、第２のコードブックインデックスにより示される。
【数３２３】
2019537304.tif 000334
は、第１の垂直コードブックインデックス及び第２のコードブックインデックスの両方により示される。
【数３２４】
2019537304.tif 000335
は、第１の水平コードブックインデックス及び第２のコードブックインデックスの両方により示される。任意に、
【数３２５】
2019537304.tif 000336
は、第１の垂直コードブックインデックス及び第２のコードブックインデックスの両方により示されてよく、
【数３２６】
2019537304.tif 000337
は、第１の水平コードブックインデックス及び第２のコードブックインデックスの両方により示されてよい。
【０１９６】
任意に、第２のＰＭＩの値は、２つのコードブックインデックスに対応してよい。説明しやすくするために、２つのコードブックインデックスは、第２の水平コードブックインデックス及び第２の垂直コードブックインデックスと称される。
【数３２７】
2019537304.tif 000338
は、第２の垂直コードブックインデックスにより示され、
【数３２８】
2019537304.tif 000339
は、第２の水平コードブックインデックスにより示され、ｎの値は、第２の垂直コードブックインデックス及び第２の水平コードブックインデックスの両方により示される。
【数３２９】
2019537304.tif 000340
は、第１の垂直コードブックインデックス及び第２の垂直コードブックインデックスの両方により示される。
【数３３０】
2019537304.tif 000341
は、第１の水平コードブックインデックス及び第２の水平コードブックインデックスの両方により示される。任意に、
【数３３１】
2019537304.tif 000342
は、第１の垂直コードブックインデックス及び第２の垂直コードブックインデックスの両方により示されてよく、
【数３３２】
2019537304.tif 000343
は、第１の水平コードブックインデックス及び第２の水平コードブックインデックスの両方により示されてよい。
【０１９７】
第３方式：ＰＭＩは、第１のＰＭＩ、第２のＰＭＩ及び第３のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。第３のＰＭＩは、第３のコードブックインデックスに対応する。ｎの値は、第２のコードブックインデックスにより示される。
【数３３３】
2019537304.tif 000344
は、第１の垂直コードブックインデックス、第２のコードブックインデックス及び第３のコードブックインデックスのすべてにより示される。
【数３３４】
2019537304.tif 000345
は、第１の水平コードブックインデックス、第２のコードブックインデックス及び第３のコードブックインデックスのすべてにより示される。
【数３３５】
2019537304.tif 000346
及び
【数３３６】
2019537304.tif 000347
は、第３のコードブックインデックスにより示される。任意に、
【数３３７】
2019537304.tif 000348
は、第１の垂直コードブックインデックス、第２のコードブックインデックス及び第３のコードブックインデックスのすべてにより示されてよく、
【数３３８】
2019537304.tif 000349
は、第１の水平コードブックインデックス、第２のコードブックインデックス及び第３のコードブックインデックスのすべてにより示されてよく、
【数３３９】
2019537304.tif 000350
及び
【数３４０】
2019537304.tif 000351
は、第３のコードブックインデックスにより示されてよい。
【０１９８】
任意に、第３のＰＭＩは、第３の垂直コードブックインデックス及び第３の水平コードブックインデックスに対応してよい。この場合、
【数３４１】
2019537304.tif 000352
は、第３の垂直コードブックインデックスにより示される。
【数３４２】
2019537304.tif 000353
は、第３の水平コードブックインデックスにより示される。
【数３４３】
2019537304.tif 000354
は、第１の垂直コードブックインデックス、第２のコードブックインデックス及び第３の垂直コードブックインデックスのすべてにより示される。
【数３４４】
2019537304.tif 000355
は、第１の水平コードブックインデックス、第２のコードブックインデックス及び第３の水平コードブックインデックスのすべてにより示される。
【０１９９】
ＵＥ側では、ＵＥは、基準信号に基づいてチャネル推定を実行し、
【数３４５】
2019537304.tif 000356
と、
【数３４６】
2019537304.tif 000357
の値と、コードブックインデックスとを適宜決定して、コードブックインデックスに対応するＰＭＩを基地局にフィードバックしてよい。基地局側では、ＰＭＩに対応するコードブックインデックスが取得され、
【数３４７】
2019537304.tif 000358
の値が取得され得る。目標プリコーディング行列は、
【数３４８】
2019537304.tif 000359
の値、及び
【数３４９】
2019537304.tif 000360
に基づいて取得され得る。
【０２００】
任意に、
【数３５０】
2019537304.tif 000361
は、第１の垂直コードブックインデックス、第２のコードブックインデックス及び第３の垂直コードブックインデックスのすべてにより示されてよく、
【数３５１】
2019537304.tif 000362
は、第１の水平コードブックインデックス、第２のコードブックインデックス及び第３の水平コードブックインデックスのすべてにより示されてよい。ＵＥ側では、ＵＥは、基準信号に基づいてチャネル推定を実行し、
【数３５２】
2019537304.tif 000363
と、
【数３５３】
2019537304.tif 000364
の値、
【数３５４】
2019537304.tif 000365
の値、
【数３５５】
2019537304.tif 000366
の値、
【数３５６】
2019537304.tif 000367
の値及びｎの値と、コードブックインデックスとを適宜決定して、コードブックインデックスに対応するＰＭＩを基地局にフィードバックしてよい。基地局側では、ＰＭＩに対応するコードブックインデックスが取得され、
【数３５７】
2019537304.tif 000368
の値、
【数３５８】
2019537304.tif 000369
の値、
【数３５９】
2019537304.tif 000370
の値、
【数３６０】
2019537304.tif 000371
の値及びｎの値が取得され得る。目標プリコーディング行列は、
【数３６１】
2019537304.tif 000372
の値、
【数３６２】
2019537304.tif 000373
の値、
【数３６３】
2019537304.tif 000374
の値、
【数３６４】
2019537304.tif 000375
の値及びｎの値と、
【数３６５】
2019537304.tif 000376
とに基づいて取得され得る。
【０２０１】
当業者であれば、前述の様々な実施形態において、ＰＭＩとコードブックインデックスとの間の対応関係及びコードブックインデックスの様々なインジケーション機能は、単に一部の特定の例を模式的に示しているに過ぎないことを理解し得る。特定の実施例において、前述の実施形態に基づいて、複数の実施例があってよく、本実施形態において詳細は再度説明されない。
【０２０２】
本実施形態において、ブロックコードブックに対応するベクトルは、複数の異なる角度における隣接するビームに対応する重みベクトルである。図６は、本発明の実施形態に係るアンテナパネル及びビームの第３の概略図である。図６に示されるように、ブロックコードブックに対応するＤＦＴベクトルは、同一の放射角におけるビームに対応するＤＦＴベクトル、又は、異なる放射角におけるビームに対応するＤＦＴベクトルである。ブロックコードブックに対応するＤＦＴベクトルは、スプライシング方式などで、伝送ビームに対応するＤＦＴベクトルに組み合わせられる。
【０２０３】
この場合、コードブック内のプリコーディング行列の構造は、具体的には、以下の式２．９に示される。
【数３６６】
2019537304.tif 000377
φｎ＝ｅｊπｎ／２は、アンテナの２つの偏波方向間の位相差を表し、
【数３６７】
2019537304.tif 000378
又は、
【数３６８】
2019537304.tif 000379
であり、
【数３６９】
2019537304.tif 000380
であり、
【数３７０】
2019537304.tif 000381
又は、
【数３７１】
2019537304.tif 000382
は、ＤＦＴ重み基底ベクトルを表し、
【数３７２】
2019537304.tif 000383
である。
【数３７３】
2019537304.tif 000384
により得られるＫ個の値は、等しい（Ｋ個の値が等しい場合、Ｋ個の値は１つの値と同等である）又は等しくなくてもよい。
【数３７４】
2019537304.tif 000385
により得られるＫ個の値は、等しい（Ｋ個の値が等しい場合、Ｋ個の値は１つの値と同等である）又は等しくなくてもよい。Ｋの値は、高次レイヤシグナリングを用いることにより構成されてよい。
【数３７５】
2019537304.tif 000386
は、異なるビームコンポーネントの重み値を表し、Ｋ１は、水平次元における各ブロックコードブックに対応するＣＳＩ−ＲＳポートの数であり、Ｋ２は、垂直次元における各ブロックコードブックに対応するＣＳＩ−ＲＳポートの数であり、Ｏ１及びＯ２は、オーバサンプリング係数を表し、ｌ、ｍ及びｎはそれぞれ、コードブックインデックスの関数である。重み値
【数３７６】
2019537304.tif 000387
のうちの少なくとも１つは、位相重み若しくは振幅重み、又は、位相重みと振幅重みとの積であってよい、及び／又は、
【数３７７】
2019537304.tif 000388
のいくつかは、０であってよい。例えば、
【数３７８】
2019537304.tif 000389
であり、
【数３７９】
2019537304.tif 000390
は、広帯域振幅係数を表し、
【数３８０】
2019537304.tif 000391
は、サブバンド振幅係数を表し、φｉ，ｊは位相係数を表し、
【数３８１】
2019537304.tif 000392
であり、ｒ＝１，２，...，又はＫＮ１Ｎ２であり、ＮＰＳＫの値は、｛２，４，８｝のうちの１つであってよい。代わりに、
【数３８２】
2019537304.tif 000393
であり、
【数３８３】
2019537304.tif 000394
は、広帯域振幅係数を表し、
【数３８４】
2019537304.tif 000395
は、サブバンド振幅係数を表し、φｉ，ｊは、位相係数を表し、
【数３８５】
2019537304.tif 000396
であり、ｒ＝１，２，...，又はＫＮ１Ｎ２であり、ＮＰＳＫの値は、｛２，４，８｝のうちの１つであってよい。代わりに、
【数３８６】
2019537304.tif 000397
であり、
【数３８７】
2019537304.tif 000398
は、広帯域振幅係数を表し、
【数３８８】
2019537304.tif 000399
は、サブバンド振幅係数を表し、
【数３８９】
2019537304.tif 000400
は、広帯域位相係数を表し、
【数３９０】
2019537304.tif 000401
は、サブバンド位相係数を表し、ｉ＝１，...，又はＫであり、ｊ＝１，...，又はＮ１Ｎ２である。
【０２０４】
ＵＥは、２つのＰＭＩ情報をフィードバックしてよい。（ｍ１，ｍ２，・・・ｍＫ）は、第１のＰＭＩに対応するコードブックインデックスを用いることによりエンコードされ、第１のＰＭＩを用いることによりフィードバックされてよく、（ｌ１，ｌ２，・・・ｌＫ）は、第１のＰＭＩに対応するコードブックインデックスを用いることによりエンコードされ、第１のＰＭＩを用いることによりフィードバックされてよい。任意に、
【数３９１】
2019537304.tif 000402
は、第１のＰＭＩに対応するコードブックインデックスを用いることによりエンコードされ、第１のＰＭＩを用いることによりフィードバックされてよい、又は、
【数３９２】
2019537304.tif 000403
は、第１のＰＭＩに対応するコードブックインデックスを用いることによりエンコードされ、第１のＰＭＩを用いることによりフィードバックされてよい、又は、第２のＰＭＩに対応するコードブックインデックスを用いることによりエンコードされ、第２のＰＭＩを用いることによりフィードバックされてよい。任意に、
【数３９３】
2019537304.tif 000404
は、第１のＰＭＩに対応するコードブックインデックスを用いることによりエンコードされ、第１のＰＭＩを用いることによりフィードバックされてよい、又は、
【数３９４】
2019537304.tif 000405
は、第１のＰＭＩに対応するコードブックインデックスを用いることによりエンコードされ、第１のＰＭＩを用いることによりフィードバックされてよい、又は、第２のＰＭＩに対応するコードブックインデックスを用いることによりエンコードされ、第２のＰＭＩを用いることによりフィードバックされてよい。
【０２０５】
重み値
【数３９５】
2019537304.tif 000406
のうちの少なくとも１つは、第１のＰＭＩに対応するコードブックインデックスを用いることによりエンコードされ、第１のＰＭＩを用いることによりフィードバックされてよい、又は、第２のＰＭＩに対応するコードブックインデックスを用いることによりエンコードされ、第２のＰＭＩを用いることによりフィードバックされてよい、又は、第１のＰＭＩに対応するコードブックインデックス及び第２のＰＭＩに対応するコードブックインデックスを用いることによりエンコードされ、第１のＰＭＩ及び第２のＰＭＩを用いることによりフィードバックされてよい。例えば、少なくとも１つの重み値は、位相重みと振幅重みとの積である。振幅重みは、第１のＰＭＩを用いることによりフィードバックされてよく、位相重みは、第２のＰＭＩを用いることによりフィードバックされてよい、又は、位相重み又は振幅重みは、２つのコンポーネントを含んでよく、第１のコンポーネントは、第１のＰＭＩを用いることによりフィードバックされ、第２のコンポーネントは、第２のＰＭＩを用いることによりフィードバックされる。
【０２０６】
代わりに、ＵＥは、３つのＰＭＩ情報をＴＲＰにフィードバックしてよい。
【数３９６】
2019537304.tif 000407
は、第１のＰＭＩに対応するコードブックインデックスを用いることによりエンコードされ、第１のＰＭＩを用いることによりフィードバックされてよい、又は、第２のＰＭＩに対応するコードブックインデックスを用いることによりエンコードされ、第２のＰＭＩを用いることによりフィードバックされてよい、又は、第３のＰＭＩに対応するコードブックインデックスを用いることによりエンコードされ、第３のＰＭＩを用いることによりフィードバックされてよい。
【数３９７】
2019537304.tif 000408
は、第１のＰＭＩに対応するコードブックインデックスを用いることによりエンコードされ、第１のＰＭＩを用いることによりフィードバックされてよい、又は、第２のＰＭＩに対応するコードブックインデックスを用いることによりエンコードされ、第２のＰＭＩを用いることによりフィードバックされてよい、又は、第３のＰＭＩに対応するコードブックインデックスを用いることによりエンコードされ、第３のＰＭＩを用いることによりフィードバックされてよい。重み値
【数３９８】
2019537304.tif 000409
のうちの少なくとも１つは、第１のＰＭＩ、第２のＰＭＩ及び第３のＰＭＩのうちの少なくとも１つを用いることによりフィードバックされてよい。例えば、少なくとも１つの重み値は、位相重みと振幅重みとの積である。振幅重みは、第１のＰＭＩ、第２のＰＭＩ及び第３のＰＭＩのうちの少なくとも１つを用いることによりフィードバックされてよく、位相重みは、第１のＰＭＩ、第２のＰＭＩ及び第３のＰＭＩのうちの少なくとも１つを用いることによりフィードバックされてよい。
【０２０７】
前述の本発明の実施形態において提供されるコードブックベースのチャネル状態情報のフィードバック方法によれば、マルチパネルアンテナ構造において、ビーム指向性を確保でき、システム性能を既存のコードブックに対して改善できる。設計が単純であり、ＤＦＴコードブックの構造化された特徴が確保され得る。コードブックは、コードブック構成パラメータを用いることにより生成され、これにより、比較的優れた拡張性を実現する。
【０２０８】
表２は、８本のアンテナのシナリオにおける性能比較を提供する。８本のアンテナが、２つのグループにグループ化され、各グループは、４本のアンテナを含む。グループ内のアンテナ間の間隔は、波長の０．５倍であり、アンテナのグループ間の間隔は、波長の８倍である。ＤＦＴコードブックは、ＬＴＥ  Ｒ１０のコードブックである。アドバンスドコードブック（Ａｄｖａｎｃｅｄ  ＣＢ）は、本発明の実施形態、すなわち、図５に対応する実施形態で提供される、位相補償及び隣接するビーム選択に基づいてコードブックの解決手段を提供する。本発明の本実施形態において提供されるコードブックが、既存のコードブックと比較して明らかな性能向上を有することが表２から分かり得る。
［表２］
【表１０】
2019537304.tif 000410
【０２０９】
本発明の実施形態において提供される解決手段は、主に、ＴＲＰとユーザ機器との間のインタラクションの観点から上記で説明されている。前述の機能を実装するために、ＴＲＰ及びユーザ機器は、当該機能を実行するための、対応するハードウェア構造及び／又はソフトウェアモジュールを含むことが理解され得る。本発明で開示される実施形態において説明されるユニット及びアルゴリズム手順の例に関して、本発明の実施形態は、ハードウェア形式、又は、ハードウェアとコンピュータソフトウェアとを組み合わせた形式で実装されてよい。機能がハードウェアにより実行されるか、又は、ハードウェアを駆動するコンピュータソフトウェアにより実行されるかは、技術的解決手段の特定の用途及び設計制約条件に依存する。当業者であれば、異なる方法を用いて、特定の用途ごとに説明される機能を実装し得るが、実施例が、本発明の実施形態の技術的解決手段の範囲を越えるとみなされるべきでない。
【０２１０】
本発明の実施形態において、ＴＲＰ及びユーザ機器の機能ユニットは、方法における前述の例に従って分割されてよく、例えば、機能ユニットが様々な対応する機能に分割されてよい、又は、２又はそれより多い機能が処理ユニットに統合されてもよい。統合されたユニットは、ハードウェアの形式で実装されてよい、又は、ソフトウェア機能ユニットの形式で実装されてもよい。本発明の実施形態において、ユニットの区分は、例であり、単なる論理的な機能区分に過ぎず、実際の実装中、他の区分であってもよいことに留意されたい。
【０２１１】
図７は、集中型ユニットが用いられる場合の、本発明の実施形態に係るユーザ機器の模式構造図である。図７に示されるように、ユーザ機器１００は、処理ユニット１２及び通信ユニット１３を含む。処理ユニット１２は、ユーザ機器の動作を制御及び管理するように構成される。例えば、処理ユニット１２は、予め生成されたコードブック内の目標プリコーディング行列を決定してよい。通信ユニット１３は、ユーザ機器とＴＲＰとの間の通信をサポートする、例えば、ＰＭＩをＴＲＰに送信し、ＴＲＰにより送信されたコードブック構成パラメータを受信するように構成される。ユーザ機器は、ストレージユニット１１をさらに含んでよく、ユーザ機器のプログラムコード及びデータを格納するように構成される。
【０２１２】
処理ユニット１２は、プロセッサであってよく、例えば、中央処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は別のプログラム可能な論理デバイス、トランジスタ論理デバイス、ハードウェアコンポーネント又はそれらの任意の組み合わせであってよい。処理ユニット１２は、本発明で開示される内容に関して説明される論理ブロック、モジュール及び回路の様々な例を実装又は実行できる。代わりに、プロセッサは、例えば、１つのマイクロプロセッサ又は複数のマイクロプロセッサの組み合わせ、又は、ＤＳＰ及びマイクロプロセッサの組み合わせを含む、計算機能を実装する組み合わせであってよい。通信ユニット１３は、通信インタフェース、例えば、送受信機又は送受信機回路である。ストレージユニット１１はメモリであってよい。
【０２１３】
処理ユニット１２がプロセッサである場合、通信ユニット１３は通信インタフェースであり、ストレージユニット１１はメモリであり、本発明の本実施形態におけるユーザ機器は、図８に示されるユーザ機器であってよい。
【０２１４】
図８は、本発明の実施形態に係るユーザ機器のハードウェア構造の模式図である。図８に示されるように、ユーザ機器は、通信インタフェース２１、プロセッサ２３、メモリ２２及び少なくとも１つの通信バス２０を含んでよい。通信バス２０は、コンポーネント間の通信及び接続を実施するように構成される。メモリ２２は、高速ＲＡＭメモリを含んでよく、不揮発性メモリＮＶＭ、例えば、少なくとも１つの磁気ディスクストレージをさらに含んでよい。コンピュータにより実行可能なプログラムコードは、メモリ２２に格納されてよく、プログラムコードは、命令を含む。プロセッサ２２が命令を実行するときに、命令は、プロセッサ２２に、様々な処理機能を遂行させ、本実施形態における方法の段階を実施させる。
【０２１５】
図９は、統合されたユニットが用いられる場合の、本発明の実施形態に係るＴＲＰの模式構造図である。ＴＲＰ３００は、処理ユニット３２及び通信ユニット３３を含む。通信ユニット３３は、ＴＲＰとユーザ機器との間の通信をサポートするために用いられる。処理ユニット３２は、ＴＲＰの動作を制御及び管理するように構成される。例えば、処理ユニット３２は、ＰＭＩに基づいて、予め生成されたコードブック内の目標プリコーディング行列を決定してよい。通信ユニット３３は、ＵＥにより送信されたＰＭＩを受信し、コードブック構成パラメータをＵＥに送信してよい。ＴＲＰは、ストレージユニット３１をさらに含んでよく、ユーザ機器のプログラムコード及びデータを格納するように構成される。
【０２１６】
処理ユニット３２は、プロセッサであってよく、例えば、中央処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は別のプログラム可能な論理デバイス、トランジスタ論理デバイス、ハードウェアコンポーネント又はそれらの任意の組み合わせであってよい。処理ユニット３２は、本発明で開示される内容に関して説明される論理ブロック、モジュール及び回路の様々な例を実装又は実行できる。代わりに、プロセッサは、例えば、１つのマイクロプロセッサ又は複数のマイクロプロセッサの組み合わせ、又は、ＤＳＰ及びマイクロプロセッサの組み合わせを含む、計算機能を実装する組み合わせであってよい。通信ユニット３３は、通信インタフェースであってよく、例えば、送受信機又は送受信機回路を含む。ストレージユニット３１はメモリであってよい。
【０２１７】
処理ユニット３２がプロセッサである場合、通信ユニット３３は通信インタフェースであり、ストレージユニット３１はメモリであり、本発明の本実施形態におけるＴＲＰは、図１０に示されるＴＲＰであってよい。図１０は、本発明の実施形態に係るＴＲＰのハードウェア構造の模式図である。図１０に示されるように、ＴＲＰは、通信インタフェース４１、プロセッサ４３、メモリ４２及び少なくとも１つの通信バス４０を含んでよい。通信バス４０は、コンポーネント間の通信及び接続を実施するように構成される。メモリ４２は、高速ＲＡＭメモリを含んでよく、不揮発性メモリＮＶＭ、例えば、少なくとも１つの磁気ディスクストレージをさらに含んでよい。コンピュータにより実行可能なプログラムコードは、メモリ４２に格納されてよく、プログラムコードは、命令を含む。プロセッサ４２が命令を実行するときに、命令は、プロセッサ４２に、様々な処理機能を遂行させ、本実施形態における方法の段階を実施させる。
【０２１８】
本発明の実施形態は、オンチップシステムをさらに提供する。図１１は、本発明の実施形態に係るオンチップシステムの模式構造図である。図１１に示されるように、オンチップシステムは、ユーザ機器に適用可能である。オンチップシステムは、少なくとも１つの通信インタフェース５１、少なくとも１つのプロセッサ５３及び少なくとも１つのメモリ５２を含む。通信インタフェース５１、メモリ５２及びプロセッサ５３は、バス５０を用いることにより相互接続される。プロセッサは、メモリに格納された命令を実行して、前述の方法をユーザ機器に実行させる。
【０２１９】
本発明の実施形態は、オンチップシステムをさらに提供する。図１２は、本発明の実施形態に係るオンチップシステムの模式構造図である。図１２に示されるように、オンチップシステムは、ＴＲＰに適用可能である。オンチップシステムは、少なくとも１つの通信インタフェース６１、少なくとも１つのプロセッサ６３及び少なくとも１つのメモリ６２を含む。通信インタフェース６１、メモリ６２及びプロセッサ６３は、バス６０を用いることにより相互接続される。プロセッサは、メモリに格納された命令を実行して、前述の方法をＴＲＰに実行させる。
【０２２０】
本願は、以下の実施形態をさらに提供する。
【０２２１】
実施形態１：コードブックベースのチャネル状態情報のフィードバック方法は、
ユーザ機器ＵＥにより、送信／受信ポイントＴＲＰにプリコーディング行列インジケータＰＭＩを送信する段階であって、ＰＭＩは、目標プリコーディング行列、及び、ブロックコードブックの差分パラメータに対応するパラメータ値を示すために用いられる、段階を含み、
目標プリコーディング行列は、コードブック内のプリコーディング行列であり、コードブックは、コードブック構成パラメータに基づいてＵＥにより予め生成されたコードブックであり、コードブック内の少なくともいくつかのプリコーディング行列は、ブロックコードブック内のプリコーディング行列と、パラメータ値とからの変換を通じて得られ、少なくとも２つのブロックコードブックがあり、パラメータ値の数とブロックコードブックの数との間には対応関係があり、コードブック構成パラメータは、コードブック内のブロックコードブックの数、及び、ブロックコードブック内のプリコーディング行列に対応するベクトルの長さを含み、ブロックコードブックは、予め設定されたプリコーディング行列に基づいて形成される。
【０２２２】
実施形態２：実施形態１に係る方法において、ブロックコードブックは、水平次元におけるブロックコードブック及び垂直次元におけるブロックコードブックを含み、
コードブック構成パラメータは、水平次元におけるブロックコードブックの数及び水平次元におけるブロックコードブック内のプリコーディング行列に対応するベクトルの長さを含み、水平次元には、少なくとも２つのブロックコードブックがあり、
コードブック構成パラメータは、垂直次元におけるブロックコードブックの数及び垂直次元におけるブロックコードブック内のプリコーディング行列に対応するベクトルの長さを含み、垂直次元には少なくとも２つのブロックコードブックがある。
【０２２３】
実施形態３：実施形態２に係る方法において、ＰＭＩは、広帯域ＣＳＩに対応する第１のＰＭＩ及びサブバンドＣＳＩに対応する第２のＰＭＩを含み、第１のＰＭＩ又は第２のＰＭＩは、ブロックコードブックの差分パラメータに対応するパラメータ値を示すために用いられる。
【０２２４】
実施形態４：実施形態３に係る方法において、第１のＰＭＩは、パラメータ値を示すために用いられ、第１のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる、又は、
第２のＰＭＩは、パラメータ値を示すために用いられ、第２のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【０２２５】
実施形態５：実施形態２に係る方法において、ＰＭＩは、広帯域ＣＳＩに対応する第１のＰＭＩ、狭帯域ＣＳＩに対応する第２のＰＭＩ及び第３のＰＭＩを含み、第３のＰＭＩは、ブロックコードブックの差分パラメータに対応するパラメータ値を示すために用いられる。
【０２２６】
実施形態６：実施形態５に係る方法において、第３のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【０２２７】
実施形態７：実施形態１から実施形態６のうちのいずれか１つに係る方法において、ユーザ機器ＵＥにより、送信／受信ポイントＴＲＰにプリコーディング行列インジケータＰＭＩを送信する段階の前に、方法は、
ＵＥにより、ＴＲＰにより送信されたコードブック構成パラメータを受信する段階をさらに含む。
【０２２８】
実施形態８：実施形態７に係る方法において、ユーザ機器ＵＥにより、ＴＲＰにより送信されたコードブック構成パラメータを受信する段階は、
ＵＥにより、ＴＲＰにより送信された高次レイヤシグナリング又は物理レイヤシグナリングを受信する段階であって、高次レイヤシグナリング又は物理レイヤシグナリングは、コードブック構成パラメータを搬送する、段階を含む。
【０２２９】
実施形態９：実施形態２から実施形態６のいずれか１つに係る方法において、各ブロックコードブックに対応するベクトルは、同一の放射角におけるビームに対応するベクトルである。
【０２３０】
実施形態１０：実施形態９に係る方法において、ブロックコードブックの差分パラメータが位相差である場合、コードブック内のプリコーディング行列の構造は、具体的には、以下の式１．１で示される。
【数３９９】
2019537304.tif 000411
φｎ＝ｅｊπｎ／２は、アンテナの２つの偏波方向間の位相差を表し、
【数４００】
2019537304.tif 000412
であり、ｖｌ，θは、水平次元におけるＮ１個のブロックコードブックと、ブロックコードブックの差分パラメータに対応するパラメータ値とからの変換を通じて得られるコードブック内のプリコーディング行列を表し、［  ］Ｔは、共役転置演算を表し、
【数４０１】
2019537304.tif 000413
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、θは、水平次元における位相差パラメータを表し、
【数４０２】
2019537304.tif 000414
は、水平次元での異なるブロックコードブックにおけるプリコーディング行列間の位相差を表し、
【数４０３】
2019537304.tif 000415
であり、［  ］Ｔは、共役転置演算を表し、ｕｍ，φは、垂直次元におけるＮ２個のブロックコードブックと、ブロックコードブックの差分パラメータに対応するパラメータ値とからの変換を通じて得られるコードブック内のプリコーディング行列を表し、
【数４０４】
2019537304.tif 000416
であり、ｕｍは、長さがＫ２であるベクトルに基づいて各ブロックコードブックが形成されることを表し、Ｋ２は、垂直次元における各コードブックに対応するＣＳＩ−ＲＳポートの数であり、φは、垂直次元における位相差パラメータを表し、（φ１・・・φＮ２）は、垂直次元での異なるブロックコードブックにおけるプリコーディング行列間の位相差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４０５】
2019537304.tif 000417
は、クロネッカー積を表す。
【０２３１】
実施形態１１：実施形態９に係る方法において、ブロックコードブックの差分パラメータがモジュラス値の差である場合、コードブック内のプリコーディング行列の構造は、具体的には、以下の式１．２で示される。
【数４０６】
2019537304.tif 000418
φｎ＝ｅｊπｎ／２は、アンテナの２つの偏波方向間の位相差を表し、
【数４０７】
2019537304.tif 000419
であり、［  ］Ｔは、共役転置演算を表し、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数４０８】
2019537304.tif 000420
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数４０９】
2019537304.tif 000421
は、水平次元での異なるブロックコードブックにおけるプリコーディング行列間のモジュラス値の差を表し、
【数４１０】
2019537304.tif 000422
であり、［  ］Ｔは、共役転置演算を表し、ｕｍ，αは、垂直次元におけるＮ２個のブロックコードブックと、ブロックコードブックの差分パラメータに対応するパラメータ値とからの変換を通じて得られるコードブック内のプリコーディング行列を表し、
【数４１１】
2019537304.tif 000423
であり、ｕｍは、長さがＫ２であるベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数４１２】
2019537304.tif 000424
は、垂直次元での異なるブロックコードブックにおけるプリコーディング行列間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４１３】
2019537304.tif 000425
は、クロネッカー積を表す。
【０２３２】
実施形態１２：実施形態２から実施形態６のいずれか１つに係る方法において、ブロックコードブックに対応するベクトルは、異なる放射角におけるビームに対応するベクトルである。
【０２３３】
実施形態１３：実施形態１２に係る方法において、ブロックコードブックの差分パラメータが位相差である場合、コードブック内のプリコーディング行列の構造は、式１．３で示される。
【数４１４】
2019537304.tif 000426
φｎ＝ｅｊπｎ／２は、アンテナの２つの偏波方向間の位相差を表し、
【数４１５】
2019537304.tif 000427
であり、
【数４１６】
2019537304.tif 000428
であり、［  ］Ｔは、共役転置演算を表し、ｖｌ，θは、水平次元におけるＮ１個のブロックコードブックと、ブロックコードブックの差分パラメータに対応するパラメータ値とからの変換を通じて得られるコードブック内のプリコーディング行列を表し、
【数４１７】
2019537304.tif 000429
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、θは、水平次元における位相差パラメータを表し、
【数４１８】
2019537304.tif 000430
は、水平次元での異なるブロックコードブックにおけるプリコーディング行列間の位相差を表し、
【数４１９】
2019537304.tif 000431
であり、［  ］Ｔは、共役転置演算を表し、
【数４２０】
2019537304.tif 000432
であり、ｕｍ，φは、垂直次元におけるＮ２個のブロックコードブックと、ブロックコードブックの差分パラメータに対応するパラメータ値とからの変換を通じて得られるコードブック内のプリコーディング行列を表し、
【数４２１】
2019537304.tif 000433
であり、ｕｍは、長さがＫ２であるベクトルに基づいて各ブロックコードブックが形成されることを表し、Ｋ２は、垂直次元における各コードブックに対応するＣＳＩ−ＲＳポートの数であり、φは、垂直次元における位相差パラメータを表し、（φ１・・・φＮ２）は、垂直次元での異なるブロックコードブックにおけるプリコーディング行列間の位相差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４２２】
2019537304.tif 000434
は、クロネッカー積を表す。
【０２３４】
実施形態１４：実施形態１２に係る方法において、ブロックコードブックの差分パラメータがモジュラス値の差である場合、コードブック内のプリコーディング行列の構造は、式１．４で示される。
【数４２３】
2019537304.tif 000435
φｎ＝ｅｊπｎ／２は、アンテナの２つの偏波方向間の位相差を表し、
【数４２４】
2019537304.tif 000436
であり、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数４２５】
2019537304.tif 000437
であり、
【数４２６】
2019537304.tif 000438
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数４２７】
2019537304.tif 000439
は、水平次元での異なるブロックコードブックにおけるプリコーディング行列間のモジュラス値の差を表し、
【数４２８】
2019537304.tif 000440
であり、［  ］Ｔは、共役転置演算を表し、
【数４２９】
2019537304.tif 000441
であり、ｕｍ，αは垂直次元におけるＮ２個のブロックコードブックと、ブロックコードブックの差分パラメータに対応するパラメータ値とからの変換を通じて得られるコードブック内のプリコーディング行列を表し、
【数４３０】
2019537304.tif 000442
であり、ｕｍは、長さがＫ２であるベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数４３１】
2019537304.tif 000443
は、垂直次元での異なるブロックコードブックにおけるプリコーディング行列間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４３２】
2019537304.tif 000444
は、クロネッカー積を表す。
【０２３５】
実施形態１５：コードブックベースのチャネル状態情報のフィードバック方法は、
送信／受信ポイントＴＲＰにより、ユーザ機器ＵＥにより送信されたプリコーディング行列インジケータＰＭＩを受信する段階であって、ＰＭＩは、目標プリコーディング行列、及び、ブロックコードブックの差分パラメータに対応するパラメータ値を示すために用いられる、段階を含み、
目標プリコーディング行列は、コードブック内のプリコーディング行列であり、コードブックは、コードブック構成パラメータに基づいてＴＲＰにより予め生成されたコードブックであり、コードブック内の少なくともいくつかのプリコーディング行列は、ブロックコードブック内のプリコーディング行列と、パラメータ値とからの変換を通じて得られ、少なくとも２つのブロックコードブックがあり、パラメータ値の数とブロックコードブックの数との間には対応関係があり、コードブック構成パラメータは、コードブック内のブロックコードブックの数、及び、ブロックコードブック内のプリコーディング行列に対応するベクトルの長さを含み、ブロックコードブックは、予め設定されたプリコーディング行列に基づいて形成される。
【０２３６】
実施形態１６：実施形態１５に係る方法において、ブロックコードブックは、水平次元におけるブロックコードブック及び垂直次元におけるブロックコードブックを含み、
コードブック構成パラメータは、水平次元におけるブロックコードブックの数及び水平次元におけるブロックコードブック内のプリコーディング行列に対応するベクトルの長さを含み、水平次元におけるブロックコードブックの数は、少なくとも２つであり、
コードブック構成パラメータは、垂直次元におけるブロックコードブックの数及び垂直次元におけるブロックコードブック内のプリコーディング行列に対応するベクトルの長さを含み、垂直次元には少なくとも２つのブロックコードブックがある。
【０２３７】
実施形態１７：実施形態１６に係る方法において、ＰＭＩは、広帯域ＣＳＩに対応する第１のＰＭＩ及びサブバンドＣＳＩに対応する第２のＰＭＩを含み、第１のＰＭＩ又は第２のＰＭＩは、ブロックコードブックの差分パラメータに対応するパラメータ値を示すために用いられる。
【０２３８】
実施形態１８：実施形態１７に係る方法において、第１のＰＭＩは、パラメータ値を示すために用いられ、第１のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる、又は、
第２のＰＭＩは、パラメータ値を示すために用いられ、第２のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【０２３９】
実施形態１９：実施形態１６に係る方法において、ＰＭＩは、広帯域ＣＳＩに対応する第１のＰＭＩ、狭帯域ＣＳＩに対応する第２のＰＭＩ及び第３のＰＭＩを含み、第３のＰＭＩは、ブロックコードブックの差分パラメータに対応するパラメータ値を示すために用いられる。
【０２４０】
実施形態２０：実施形態１９に係る方法において、第３のＰＭＩは、２つのコードブックインデックスに対応し、１つのコードブックインデックスは、水平次元におけるブロックコードブックの差分パラメータに対応するパラメータ値を示すために用いられ、他のコードブックインデックスは、垂直次元におけるブロックコードブックの差分パラメータに対応するパラメータ値を示すために用いられる。
【０２４１】
実施形態２１：実施形態１５から実施形態２０のいずれか１つに係る方法において、送信／受信ポイントＴＦＰにより、ユーザ機器ＵＥにより送信されたプリコーディング行列インジケータＰＭＩを受信する段階の前に、方法は、
ＴＲＰにより、コードブック構成パラメータをＵＥに送信する段階をさらに含む。
【０２４２】
実施形態２２：実施形態２１に係る方法において、ＴＲＰにより、ＵＥにコードブック構成パラメータを送信する段階は、
ＴＲＰにより、高次レイヤシグナリング又は物理レイヤシグナリングをＵＥに送信する段階であって、高次レイヤシグナリング又は物理レイヤシグナリングは、コードブック構成パラメータを搬送する、段階を含む。
【０２４３】
実施形態２３：実施形態１６から実施形態２０のいずれか１つに係る方法において、各ブロックコードブックに対応するベクトルは、同一の放射角におけるビームに対応するベクトルである。
【０２４４】
実施形態２４：実施形態２３に係る方法において、ブロックコードブックの差分パラメータが位相差である場合、コードブック内のプリコーディング行列の構造は、具体的には、以下の式１．１で示される。
【数４３３】
2019537304.tif 000445
φｎ＝ｅｊπｎ／２は、アンテナの２つの偏波方向間の位相差を表し、
【数４３４】
2019537304.tif 000446
であり、ｖｌ，θは、水平次元におけるＮ１個のブロックコードブックと、ブロックコードブックの差分パラメータに対応するパラメータ値とからの変換を通じて得られるコードブック内のプリコーディング行列を表し、
【数４３５】
2019537304.tif 000447
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、θは、水平次元における位相差パラメータを表し、
【数４３６】
2019537304.tif 000448
は、水平次元での異なるブロックコードブックにおけるプリコーディング行列間の位相差を表し、
【数４３７】
2019537304.tif 000449
であり、ｕｍ，φは、垂直次元におけるＮ２個のブロックコードブックと、ブロックコードブックの差分パラメータに対応するパラメータ値とからの変換を通じて得られるコードブック内のプリコーディング行列を表し、
【数４３８】
2019537304.tif 000450
であり、ｕｍは、長さがＫ２であるベクトルに基づいて各ブロックコードブックが形成されることを表し、Ｋ２は、垂直次元における各コードブックに対応するＣＳＩ−ＲＳポートの数であり、φは、垂直次元における位相差パラメータを表し、（φ１・・・φＮ２）は、垂直次元での異なるブロックコードブックにおけるプリコーディング行列間の位相差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４３９】
2019537304.tif 000451
は、クロネッカー積を表す。
【０２４５】
実施形態２５：実施形態２３に係る方法において、ブロックコードブックの差分パラメータがモジュラス値の差である場合、コードブック内のプリコーディング行列の構造は、具体的には、以下の式１．２で示される。
【数４４０】
2019537304.tif 000452
φｎ＝ｅｊπｎ／２は、アンテナの２つの偏波方向間の位相差を表し、
【数４４１】
2019537304.tif 000453
であり、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数４４２】
2019537304.tif 000454
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数４４３】
2019537304.tif 000455
は、水平次元での異なるブロックコードブックにおけるプリコーディング行列間のモジュラス値の差を表し、
【数４４４】
2019537304.tif 000456
であり、ｕｍ，αは、垂直次元におけるＮ２個のブロックコードブックと、ブロックコードブックの差分パラメータに対応するパラメータ値とからの変換を通じて得られるコードブック内のプリコーディング行列を表し、
【数４４５】
2019537304.tif 000457
であり、ｕｍは、長さがＫ２であるベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数４４６】
2019537304.tif 000458
は、垂直次元での異なるブロックコードブックにおけるプリコーディング行列間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４４７】
2019537304.tif 000459
は、クロネッカー積を表す。
【０２４６】
実施形態２６：実施形態１６から実施形態２０のいずれか１つに係る方法において、ブロックコードブックに対応するベクトルは、異なる放射角におけるビームに対応するベクトルである。
【０２４７】
実施形態２７：実施形態２６に係る方法において、ブロックコードブックの差分パラメータが位相差である場合、コードブック内のプリコーディング行列の構造は、式１．３で示される。
【数４４８】
2019537304.tif 000460
φｎ＝ｅｊπｎ／２は、アンテナの２つの偏波方向間の位相差を表し、
【数４４９】
2019537304.tif 000461
であり、
【数４５０】
2019537304.tif 000462
であり、ｖｌ，θは、水平次元におけるＮ１個のブロックコードブックと、ブロックコードブックの差分パラメータに対応するパラメータ値とからの変換を通じて得られるコードブック内のプリコーディング行列を表し、
【数４５１】
2019537304.tif 000463
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、θは、水平次元における位相差パラメータを表し、
【数４５２】
2019537304.tif 000464
は、水平次元での異なるブロックコードブックにおけるプリコーディング行列間の位相差を表し、
【数４５３】
2019537304.tif 000465
であり、［  ］Ｔは、共役転置演算を表し、
【数４５４】
2019537304.tif 000466
であり、ｕｍ，φは、垂直次元におけるＮ２個のブロックコードブックと、ブロックコードブックの差分パラメータに対応するパラメータ値とからの変換を通じて得られるコードブック内のプリコーディング行列を表し、
【数４５５】
2019537304.tif 000467
であり、ｕｍは、長さがＫ２であるベクトルに基づいて各ブロックコードブックが形成されることを表し、Ｋ２は、垂直次元における各ブロックコードブックに対応するＣＳＩ−ＲＳポートの数であり、φは、垂直次元における位相差パラメータを表し、（φ１・・・φＮ２）は、垂直次元での異なるブロックコードブックにおけるプリコーディング行列間の位相差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４５６】
2019537304.tif 000468
は、クロネッカー積を表す。
【０２４８】
実施形態２８：実施形態２６に係る方法において、ブロックコードブックの差分パラメータがモジュラス値の差である場合、コードブック内のプリコーディング行列の構造は、式１．４で示される。
【数４５７】
2019537304.tif 000469
φｎ＝ｅｊπｎ／２は、アンテナの２つの偏波方向間の位相差を表し、
【数４５８】
2019537304.tif 000470
であり、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数４５９】
2019537304.tif 000471
であり、
【数４６０】
2019537304.tif 000472
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数４６１】
2019537304.tif 000473
は、水平次元での異なるブロックコードブックにおけるプリコーディング行列間のモジュラス値の差を表し、
【数４６２】
2019537304.tif 000474
であり、
【数４６３】
2019537304.tif 000475
であり、ｕｍ，αは、垂直次元におけるＮ２個のブロックコードブックと、ブロックコードブックの差分パラメータに対応するパラメータ値とからの変換を通じて得られるコードブック内のプリコーディング行列を表し、
【数４６４】
2019537304.tif 000476
であり、ｕｍは、長さがＫ２であるベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数４６５】
2019537304.tif 000477
は、垂直次元での異なるブロックコードブックにおけるプリコーディング行列間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数４６６】
2019537304.tif 000478
は、クロネッカー積を表す。
【０２４９】
実施形態２９：ユーザ機器は、プロセッサ、メモリ及び通信インタフェースを含む。メモリは、命令を格納するように構成され、通信インタフェースは、別のデバイスと通信するように構成され、プロセッサは、メモリに格納された命令を実行して、実施形態１から実施形態１４のいずれか１つに係る方法をユーザ機器に実行させるように構成される。
【０２５０】
実施形態３０：送信／受信ポイントは、プロセッサ、メモリ及び通信インタフェースを含む。メモリは、命令を格納するように構成され、通信インタフェースは、別のデバイスと通信するように構成され、プロセッサは、メモリに格納された命令を実行して、実施形態１５から実施形態２８のいずれか１つに係る方法を送信／受信ポイントに実行させるように構成される。
【０２５１】
実施形態３１：プリコーディング行列を示すための方法は、
端末デバイスにより、無線アクセスネットワークデバイスにプリコーディング行列インジケータ情報を送信する段階であって、プリコーディング行列インジケータ情報は、コードブック内のプリコーディング行列を示すために用いられ、コードブックは、アンテナポートグループの数と、異なるアンテナポートグループ間の位相係数に関する情報とを含む、段階と、
端末デバイスにより、無線アクセスネットワークデバイスからダウンリンクデータを受信する段階と
を含む。
【０２５２】
実施形態３２：実施形態３１に係る方法において、コードブック内のプリコーディング行列は、
【数４６７】
2019537304.tif 000479
であり、Ｗの上付き記号は、ランク数を表し、φｎ＝ｅｊπｎ／２は、アンテナの２つの偏波方向間の位相差又は位相係数を表し、ｎの値の範囲は、｛０，１，２，３｝を満たし、ｌ及びｍはそれぞれ第１のＰＭＩの関数を表し、ｅは自然定数を表し、ｊは単位虚数を表し、πは円周率を表し、
【数４６８】
2019537304.tif 000480
であり、ｖｌは、長さがＫ１であるＤＦＴベクトルを表し、ｖｌのｋ１番目の要素は、
【数４６９】
2019537304.tif 000481
であり、ｋ１の値は、｛１，２，・・・，Ｋ１−１｝であってよく、Ｋ１は、各アンテナポートグループ内の水平次元におけるＣＳＩ−ＲＳポートの数であり、
【数４７０】
2019537304.tif 000482
であり、ｕｍは、長さがＫ２であるＤＦＴベクトルを表し、ｕｍのｋ２番目の要素は、
【数４７１】
2019537304.tif 000483
であり、ｋ２の値は、｛１，２，・・・，Ｋ２−１｝であってよく、Ｋ２は、各グループ内の垂直次元におけるＣＳＩ−ＲＳポートの数であり、（θ１・・・θＮ−１）は、異なるアンテナポートグループ間の位相差又は位相係数を表し、又は、アンテナパネル間の位相差又は位相係数を表し、Ｏ１及びＯ２は、オーバサンプリング係数を表し、
【数４７２】
2019537304.tif 000484
は、クロネッカー積を表し、Ｎは、アンテナポートグループの数を表し、又は、アンテナパネルの数を表し、又は、Ｎは２又は４である
ことを満たす。
【０２５３】
実施形態３３：実施形態３１に係る方法において、コードブック内のプリコーディング行列は、
【数４７３】
2019537304.tif 000485
であり、Ｗの上付き記号は、ランク数を表し、
【数４７４】
2019537304.tif 000486
であり、ｖｌ，ｍは、長さがＫ１×Ｋ２であるベクトルを表し、ｖｌ，ｍのｋ１番目の要素は、
【数４７５】
2019537304.tif 000487
であり、ｋ１の値は、｛１，２，・・・，Ｋ１−１｝であってよく、Ｋ１は、各グループ内の水平次元におけるＣＳＩ−ＲＳポートの数であり、
【数４７６】
2019537304.tif 000488
又は、
【数４７７】
2019537304.tif 000489
であり、ｕｍは、長さがＫ２であるＤＦＴベクトルを表し、ｕｍのｋ２番目の要素は、
【数４７８】
2019537304.tif 000490
であり、ｋ２の値は、｛１，２，・・・，Ｋ２−１｝であってよく、Ｋ２は、各グループ内の垂直次元におけるＣＳＩ−ＲＳポートの数であり、Ｏ１及びＯ２は、オーバサンプリング係数を表し、ｌ及びｍはそれぞれ第１のＰＭＩの関数を表し、φｎ＝ｅｊπｎ／２は、アンテナの２つの偏波方向間の位相差又は位相係数を表し、ｎの値は｛０，１，２，３｝であり、ｅは自然定数を表し、ｊは単位虚数を表し、πは円周率を表し、（θ１・・・θＮ−１）は、異なるアンテナポートグループ間の位相差又は位相係数を表し、又は、アンテナパネル間の位相差又は位相係数を表し、Ｎはアンテナポートグループの数を表し、又は、Ｎはアンテナパネルの数を表し、又は、Ｎは２、４又は８である
ことを満たす。
【０２５４】
実施形態３４：実施形態３１に係る方法において、コードブック内のプリコーディング行列は、
【数４７９】
2019537304.tif 000491
であり、Ｗの上付き記号は、ランク数を表し、
【数４８０】
2019537304.tif 000492
であり、ｖｌは、長さがＫ１であるＤＦＴベクトルを表し、ｖｌのｋ１番目の要素は、
【数４８１】
2019537304.tif 000493
であり、ｋ１の値は、｛１，２，・・・，Ｋ１−１｝であってよく、Ｋ１は、各アンテナポートグループ内の水平次元におけるＣＳＩ−ＲＳポートの数であり、
【数４８２】
2019537304.tif 000494
であり、ｕｍは、長さがＫ２であるＤＦＴベクトルを表し、ｕｍのｋ２番目の要素は、
【数４８３】
2019537304.tif 000495
であり、ｋ２の値は、｛１，２，・・・，Ｋ２−１｝であってよく、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、
【数４８４】
2019537304.tif 000496
は、クロネッカー積を表し、ｅは自然定数を表し、ｊは単位虚数を表し、πは円周率を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、アンテナポートグループの数とアンテナの偏波方向の数との積を表し、又は、Ｎは２、４又は８である
ことを満たす。
【０２５５】
実施形態３５：実施形態３１に係る方法において、コードブック内のプリコーディング行列は、
【数４８５】
2019537304.tif 000497
であり、Ｗの上付き記号は、ランク数を表し、
【数４８６】
2019537304.tif 000498
であり、ｖｌ，ｍは、長さがＫ１×Ｋ２であるベクトルを表し、ｖｌ，ｍのｋ１番目の要素は、
【数４８７】
2019537304.tif 000499
であり、ｋ１の値は、｛１，２，・・・，Ｋ１−１｝であってよく、Ｋ１は、各アンテナポートグループ内の水平次元におけるＣＳＩ−ＲＳポートの数であり、
【数４８８】
2019537304.tif 000500
又は、
【数４８９】
2019537304.tif 000501
であり、ｕｍは、長さがＫ２であるＤＦＴベクトルを表し、ｕｍのｋ２番目の要素は、
【数４９０】
2019537304.tif 000502
であり、ｋ２の値は、｛１，２，・・・，Ｋ２−１｝であってよく、Ｋ２は、各アンテナポートグループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、アンテナポートグループの数とアンテナの偏波方向の数との積を表す、又は、Ｎは２、４又は８である
ことを満たす。
【０２５６】
実施形態３６：実施形態３１から実施形態３５のいずれか１つに係る方法は、
端末デバイスにより、無線アクセスネットワークデバイスからシグナリングを受信する段階であって、シグナリングは、アンテナポートグループの数を含む、段階と、
端末デバイスにより、アンテナポートグループの数に基づいて、用いられる必要があるコードブックを知る段階と
を含む。
【０２５７】
実施形態３７：実施形態３５に係るプリコーディング行列を示すための方法は、
アンテナポートがチャネル状態情報基準信号ポートであることを含む。
【０２５８】
実施形態３８：通信方法は、
端末デバイスにより、無線アクセスネットワークデバイスからシグナリングを受信する段階であって、シグナリングは、アンテナポートグループの数を含む、段階と、
端末デバイスにより、アンテナポートグループの数に基づいて、用いられる必要があるコードブックを知る段階と
を含む。
【０２５９】
実施形態３９：請求項１に係る通信方法は、
アンテナポートがチャネル状態情報基準信号ポートであることを含む。
【０２６０】
実施形態４０：プリコーディング行列を示すための方法は、
無線アクセスネットワークデバイスにより、端末からプリコーディング行列インジケータ情報を受信する段階であって、プリコーディング行列インジケータ情報は、コードブック内のプリコーディング行列を示すために用いられ、コードブックは、アンテナポートグループの数と、異なるアンテナポートグループ間の位相係数に関する情報とを含む、段階と、
無線アクセスネットワークデバイスにより、ダウンリンクデータを端末デバイスに送信する段階と
を含む。
【０２６１】
実施形態４１：実施形態４０に係る方法において、コードブック内のプリコーディング行列は、
【数４９１】
2019537304.tif 000503
であり、Ｗの上付き記号は、ランク数を表し、φｎ＝ｅｊπｎ／２は、アンテナの２つの偏波方向間の位相差又は位相係数を表し、ｎの値の範囲は、｛０，１，２，３｝を満たし、ｌ及びｍはそれぞれ第１のＰＭＩの関数を表し、ｅは自然定数を表し、ｊは単位虚数を表し、πは円周率を表し、
【数４９２】
2019537304.tif 000504
であり、ｖｌは、長さがＫ１であるＤＦＴベクトルを表し、ｖｌのｋ１番目の要素は、
【数４９３】
2019537304.tif 000505
であり、ｋ１の値は、｛１，２，・・・，Ｋ１−１｝であってよく、Ｋ１は、各アンテナポートグループ内の水平次元におけるＣＳＩ−ＲＳポートの数であり、
【数４９４】
2019537304.tif 000506
であり、ｕｍは、長さがＫ２であるＤＦＴベクトルを表し、ｕｍのｋ２番目の要素は、
【数４９５】
2019537304.tif 000507
であり、ｋ２の値は、｛１，２，・・・，Ｋ２−１｝であってよく、Ｋ２は、各グループ内の垂直次元におけるＣＳＩ−ＲＳポートの数であり、（θ１・・・θＮ−１）は、異なるアンテナポートグループ間の位相差又は位相係数を表し、又は、アンテナパネル間の位相差又は位相係数を表し、Ｏ１及びＯ２は、オーバサンプリング係数を表し、
【数４９６】
2019537304.tif 000508
は、クロネッカー積を表し、Ｎは、アンテナポートグループの数を表し、又は、アンテナパネルの数を表し、又は、Ｎは２又は４である
ことを満たす。
【０２６２】
実施形態４２：実施形態４０に係る方法において、コードブック内のプリコーディング行列は、
【数４９７】
2019537304.tif 000509
であり、Ｗの上付き記号は、ランク数を表し、
【数４９８】
2019537304.tif 000510
であり、ｖｌ，ｍは、長さがＫ１×Ｋ２であるベクトルを表し、ｖｌ，ｍのｋ１番目の要素は、
【数４９９】
2019537304.tif 000511
であり、ｋ１の値は、｛１，２，・・・，Ｋ１−１｝であってよく、Ｋ１は、各グループ内の水平次元におけるＣＳＩ−ＲＳポートの数であり、
【数５００】
2019537304.tif 000512
又は、
【数５０１】
2019537304.tif 000513
であり、ｕｍは、長さがＫ２であるＤＦＴベクトルを表し、ｕｍのｋ２番目の要素は、
【数５０２】
2019537304.tif 000514
であり、ｋ２の値は、｛１，２，・・・，Ｋ２−１｝であってよく、Ｋ２は、各グループ内の垂直次元におけるＣＳＩ−ＲＳポートの数であり、Ｏ１及びＯ２は、オーバサンプリング係数を表し、ｌ及びｍはそれぞれ第１のＰＭＩの関数を表し、φｎ＝ｅｊπｎ／２はアンテナの２つの偏波方向間の位相差又は位相係数を表し、ｎの値は｛０，１，２，３｝であり、ｅは自然定数を表し、ｊは単位虚数を表し、πは円周率を表し、（θ１・・・θＮ−１）は、異なるアンテナポートグループ間の位相差又は位相係数を表し、又は、アンテナパネル間の位相差又は位相係数を表し、Ｎはアンテナポートグループの数を表し、又は、Ｎはアンテナパネルの数を表し、又は、Ｎは２、４又は８である
ことを満たす。
【０２６３】
実施形態４３：実施形態４０に係る方法において、コードブック内のプリコーディング行列は、
【数５０３】
2019537304.tif 000515
であり、Ｗの上付き記号は、ランク数を表し、
【数５０４】
2019537304.tif 000516
であり、ｖｌは、長さがＫ１であるＤＦＴベクトルを表し、ｖｌのｋ１番目の要素は、
【数５０５】
2019537304.tif 000517
であり、ｋ１の値は、｛１，２，・・・，Ｋ１−１｝であってよく、Ｋ１は、各アンテナポートグループ内の水平次元におけるＣＳＩ−ＲＳポートの数であり、
【数５０６】
2019537304.tif 000518
であり、ｕｍは、長さがＫ２であるＤＦＴベクトルを表し、ｕｍのｋ２番目の要素は、
【数５０７】
2019537304.tif 000519
であり、ｋ２の値は、｛１，２，・・・，Ｋ２−１｝であってよく、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、
【数５０８】
2019537304.tif 000520
は、クロネッカー積を表し、ｅは自然定数を表し、ｊは単位虚数を表し、πは円周率を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、アンテナポートグループの数とアンテナの偏波方向の数との積を表し、又は、Ｎは２、４又は８である
ことを満たす。
【０２６４】
実施形態４４：実施形態４０に係る方法において、コードブック内のプリコーディング行列は、
【数５０９】
2019537304.tif 000521
であり、Ｗの上付き記号は、ランク数を表し、
【数５１０】
2019537304.tif 000522
であり、ｖｌ，ｍは、長さがＫ１×Ｋ２であるベクトルを表し、ｖｌ，ｍのｋ１番目の要素は、
【数５１１】
2019537304.tif 000523
であり、ｋ１の値は、｛１，２，・・・，Ｋ１−１｝であってよく、Ｋ１は、各アンテナポートグループ内の水平次元におけるＣＳＩ−ＲＳポートの数であり、
【数５１２】
2019537304.tif 000524
又は、
【数５１３】
2019537304.tif 000525
であり、ｕｍは、長さがＫ２であるＤＦＴベクトルを表し、ｕｍのｋ２番目の要素は、
【数５１４】
2019537304.tif 000526
であり、ｋ２の値は、｛１，２，・・・，Ｋ２−１｝であってよく、Ｋ２は、各アンテナポートグループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、ｍは、第１の垂直コードブックインデックスの関数であり、第１のＰＭＩとの対応関係を有し、Ｏ１及びＯ２は、オーバサンプリング係数を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、アンテナポートグループの数とアンテナの偏波方向の数との積を表す、又は、Ｎは２、４又は８である
ことを満たす。
【０２６５】
実施形態４５：実施形態４０から実施形態４４のいずれか１つに係る方法は、
無線アクセスネットワークデバイスにより、端末デバイスにシグナリングを送信する段階であって、シグナリングは、アンテナポートグループの数を含む、段階と、
端末デバイスにより、アンテナポートグループの数に基づいて、用いられる必要があるコードブックを知る段階と
を含む。
【０２６６】
実施形態４６：実施形態４５に係るプリコーディング行列を示すための方法は、
アンテナポートがチャネル状態情報基準信号ポートであることを含む。
【０２６７】
実施形態４７：通信方法は、
無線アクセスネットワークデバイスにより、端末デバイスにシグナリングを送信する段階であって、シグナリングは、アンテナポートグループの数を含む、段階と、
端末デバイスにより、アンテナポートグループの数に基づいて、用いられる必要があるコードブックを知る段階、又は、端末デバイスにより、無線アクセスネットワークデバイスからシグナリングを受信する段階であって、シグナリングは、アンテナポートグループの数を含む、段階と
を含む。
【０２６８】
実施形態４８：実施形態４７に係るプリコーディング行列を示すための方法は、
アンテナポートがチャネル状態情報基準信号ポートであることを含む。
【０２６９】
実施形態４９：端末デバイスは、プロセッサ、メモリ及び送受信機を含む。メモリは、命令を格納するように構成され、送受信機は、別のデバイスと通信するために端末デバイスにより用いられ、プロセッサは、メモリに格納された命令を実行して、実施形態３１から実施形態３９のいずれか１つに係る方法における処理を端末デバイスに実行させるように構成される。
【０２７０】
実施形態５０：無線アクセスネットワークデバイスは、プロセッサ、メモリ及び送受信機を含む。メモリは、命令を格納するように構成され、送受信機は、別のデバイスと通信するために無線アクセスネットワークデバイスにより用いられ、プロセッサは、メモリに格納された命令を実行して、請求項４０から４８のいずれか一項に記載の方法における処理を無線アクセスネットワークデバイスに実行させるように構成される。
【０２７１】
実施形態５１．チップシステムは、少なくとも１つのプロセッサを含む。少なくとも１つのプロセッサは、格納された命令を実行して、実施形態３１から実施形態３９のいずれか１つに係る方法における処理を端末デバイスに実行させるように構成される。
【０２７２】
実施形態５２．チップシステムは、少なくとも１つのプロセッサを含む。少なくとも１つのプロセッサは、格納された命令を実行して、実施形態４０から実施形態４８のいずれか１つに係る方法における処理を無線アクセスネットワークデバイスに実行させるように構成される。
【０２７３】
本願の前述の実施形態におけるＫ１及びＫ２の値が正の整数であることに留意されたい。
【０２７４】
当業者であれば、方法の実施形態の段階のすべて又は一部が、プログラム命令に関連したハードウェアにより実施されてよいことを理解し得る。プログラムは、コンピュータ可読記憶媒体に格納されてよい。プログラムが実行するときに、方法の実施形態の段階が実行される。前述の記憶媒体は、プログラムコードを格納できる任意の媒体、例えば、ＲＯＭ、ＲＡＭ、磁気ディスク又は光ディスクを含む。
【０２７５】
最後に、前述の実施形態は、単に、本発明の技術的解決手段を説明することを目的としたものに過ぎず、本発明を限定するためのものではないことに留意されたい。本発明は、前述の実施形態に関して詳細に説明されているが、当業者であれば、本発明の実施形態についての技術的解決手段の範囲から逸脱することなく、前述の実施形態において説明された技術的解決手段に対してさらに変更を行い、又は、それらのいくつか又はすべての技術的特徴と同等の置換を行い得ることを理解すべきである。
【図１】
2019537304.tif 000575
【図２】
2019537304.tif 000576
【図３】
2019537304.tif 000577
【図４】
2019537304.tif 000578
【図５】
2019537304.tif 000579
【図６】
2019537304.tif 000580
【図７】
2019537304.tif 000581
【図８】
2019537304.tif 000582
【図９】
2019537304.tif 000583
【図１０】
2019537304.tif 000584
【図１１】
2019537304.tif 000585
【図１２】
2019537304.tif 000586
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
通信方法であって、
端末デバイスにより、無線アクセスネットワークデバイスにプリコーディング行列インジケータ情報を送信する段階であって、前記プリコーディング行列インジケータ情報は、コードブック内のプリコーディング行列を示すために用いられ、前記コードブックは、ブロックコードブックの数に関する情報及び異なるブロックコードブック間の位相差についての情報を有し、前記ブロックコードブックの前記数は、少なくとも２つである、段階と、
前記端末デバイスにより、前記無線アクセスネットワークデバイスからダウンリンクデータを受信する段階と
を備える方法。
【請求項２】
通信方法であって、
端末デバイスにより、無線アクセスネットワークデバイスにプリコーディング行列インジケータ情報を送信する段階であって、前記プリコーディング行列インジケータ情報は、コードブック内のプリコーディング行列を示すために用いられ、前記コードブックは、対応するアンテナパネルの数に関する情報及び異なる対応するアンテナパネル間の位相差に関する情報を有する、段階と、
前記端末デバイスにより、前記無線アクセスネットワークデバイスからダウンリンクデータを受信する段階と
を備える方法。
【請求項３】
通信方法であって、
端末デバイスにより、無線アクセスネットワークデバイスにプリコーディング行列インジケータ情報を送信する段階であって、前記プリコーディング行列インジケータ情報は、コードブック内のプリコーディング行列を示すために用いられ、前記コードブックは、アンテナポートグループの数と、異なるアンテナポートグループ間の位相係数に関する情報とを有する、段階と、
前記端末デバイスにより、前記無線アクセスネットワークデバイスからダウンリンクデータを受信する段階と
を備える方法。
【請求項４】
前記コードブック内の前記プリコーディング行列は、
【数５１５】
2019537304.tif 000587
であり、Ｗの上付き記号は、ランク数を表し、φｎ＝ｅｊπｎ／２は、アンテナの２つの偏波方向間の位相差又は位相係数を表し、ｎの値の範囲は、｛０，１，２，３｝を満たし、ｌ及びｍはそれぞれ第１のＰＭＩの関数を表し、ｅは自然定数を表し、ｊは単位虚数を表し、πは円周率を表し、
【数５１６】
2019537304.tif 000588
であり、ｖｌは、長さがＫ１であるＤＦＴベクトルを表し、ｖｌのｋ１番目の要素は、
【数５１７】
2019537304.tif 000589
であり、ｋ１の値は、｛１，２，・・・，Ｋ１−１｝であってよく、Ｋ１は、各アンテナポートグループ内の水平次元におけるＣＳＩ−ＲＳポートの数であり、
【数５１８】
2019537304.tif 000590
であり、ｕｍは、長さがＫ２であるＤＦＴベクトルを表し、ｕｍのｋ２番目の要素は、
【数５１９】
2019537304.tif 000591
であり、ｋ２の値は、｛１，２，・・・，Ｋ２−１｝であり、Ｋ２は、各グループ内の垂直次元におけるＣＳＩ−ＲＳポートの数であり、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｏ１及びＯ２は、オーバサンプリング係数を表し、
【数５２０】
2019537304.tif 000592
は、クロネッカー積を表し、Ｎは、前記アンテナポートグループの数を表し、又は、アンテナパネルの数を表し、又は、Ｎは２又は４である
ことを満たす、請求項１から３のいずれか一項に記載の方法。
【請求項５】
前記コードブック内の前記プリコーディング行列は、
【数５２１】
2019537304.tif 000593
であり、Ｗの上付き記号は、ランク数を表し、
【数５２２】
2019537304.tif 000594
であり、ｖｌ，ｍは、長さがＫ１×Ｋ２であるベクトルを表し、ｖｌ，ｍのｋ１番目の要素は、
【数５２３】
2019537304.tif 000595
であり、ｋ１の値は、｛１，２，・・・，Ｋ１−１｝であり、Ｋ１は、各グループ内の水平次元におけるＣＳＩ−ＲＳポートの数であり、
【数５２４】
2019537304.tif 000596
又は、
【数５２５】
2019537304.tif 000597
であり、ｕｍは、長さがＫ２であるＤＦＴベクトルを表し、ｕｍのｋ２番目の要素は、
【数５２６】
2019537304.tif 000598
であり、ｋ２の値は、｛１，２，・・・，Ｋ２−１｝であり、Ｋ２は、各グループ内の垂直次元におけるＣＳＩ−ＲＳポートの数であり、Ｏ１及びＯ２は、オーバサンプリング係数を表し、ｌ及びｍはそれぞれ第１のＰＭＩの関数を表し、φｎ＝ｅｊπｎ／２はアンテナの２つの偏波方向間の位相差又は位相係数を表し、ｎの値は｛０，１，２，３｝であり、ｅは自然定数を表し、ｊは単位虚数を表し、πは円周率を表し、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｎは、前記アンテナポートグループの数を表し、又は、Ｎはアンテナパネルの数を表し、又は、Ｎは２、４又は８である
ことを満たす、請求項１から３のいずれか一項に記載の方法。
【請求項６】
前記コードブック内の前記プリコーディング行列は、
【数５２７】
2019537304.tif 000599
であり、Ｗの上付き記号は、ランク数を表し、
【数５２８】
2019537304.tif 000600
であり、ｖｌは、長さがＫ１であるＤＦＴベクトルを表し、ｖｌのｋ１番目の要素は、
【数５２９】
2019537304.tif 000601
であり、ｋ１の値は、｛１，２，・・・，Ｋ１−１｝であり、Ｋ１は、各アンテナポートグループ内の水平次元におけるＣＳＩ−ＲＳポートの数であり、
【数５３０】
2019537304.tif 000602
であり、ｕｍは、長さがＫ２であるＤＦＴベクトルを表し、ｕｍのｋ２番目の要素は、
【数５３１】
2019537304.tif 000603
であり、ｋ２の値は、｛１，２，・・・，Ｋ２−１｝であり、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、前記第１のＰＭＩとの対応関係を有し、Ｏ１及びＯ２は、オーバサンプリング係数を表し、
【数５３２】
2019537304.tif 000604
は、クロネッカー積を表し、ｅは自然定数を表し、ｊは単位虚数を表し、πは円周率を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、前記アンテナポートグループの数とアンテナの偏波方向の数との積を表し、又は、Ｎは２、４又は８である
ことを満たす、請求項１から３のいずれか一項に記載の方法。
【請求項７】
前記コードブック内の前記プリコーディング行列は、
【数５３３】
2019537304.tif 000605
であり、Ｗの上付き記号は、ランク数を表し、
【数５３４】
2019537304.tif 000606
であり、ｖｌ，ｍは、長さがＫ１×Ｋ２であるベクトルを表し、ｖｌ，ｍのｋ１番目の要素は、
【数５３５】
2019537304.tif 000607
であり、ｋ１の値は、｛１，２，・・・，Ｋ１−１｝であり、Ｋ１は、各アンテナポートグループ内の水平次元におけるＣＳＩ−ＲＳポートの数であり、
【数５３６】
2019537304.tif 000608
又は、
【数５３７】
2019537304.tif 000609
であり、ｕｍは、長さがＫ２であるＤＦＴベクトルを表し、ｕｍのｋ２番目の要素は、
【数５３８】
2019537304.tif 000610
であり、ｋ２の値は、｛１，２，・・・，Ｋ２−１｝であり、Ｋ２は、各アンテナポートグループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、ｍは、第１の垂直コードブックインデックスの関数であり、前記第１のＰＭＩとの対応関係を有し、Ｏ１及びＯ２は、オーバサンプリング係数を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎは、前記アンテナポートグループの数とアンテナの偏波方向の数との積を表し、又は、Ｎは２、４又は８である
ことを満たす、請求項１から３のいずれか一項に記載の方法。
【請求項８】
前記位相係数は、θｒ＝２πｉ２，ｒ／Ｘであり、Ｘは、｛２，４，８，...｝のセット内の値であり得、ｒ＝１，・・・，Ｎ−１であり得る、請求項６又は７に記載の方法。
【請求項９】
前記端末デバイスにより、前記無線アクセスネットワークデバイスから高次レイヤシグナリングを受信する段階であって、前記高次レイヤシグナリングは、前記ブロックコードブックの数に関する前記情報を有する、段階を備える、請求項１及び４から８のいずれか一項に記載の方法。
【請求項１０】
前記端末デバイスにより、前記無線アクセスネットワークデバイスから高次レイヤシグナリングを受信する段階であって、前記高次レイヤシグナリングは、対応するアンテナパネルの数に関する情報を有する、段階を備える、請求項２及び４から８のいずれか一項に記載の方法。
【請求項１１】
前記端末デバイスにより、前記無線アクセスネットワークデバイスから高次レイヤシグナリングを受信する段階であって、前記高次レイヤシグナリングは、前記アンテナポートグループの数を有する、段階を備える、請求項３及び４から８のいずれか一項に記載の方法。
【請求項１２】
アンテナポートはチャネル状態情報基準信号ポートである、請求項３から１１のいずれか一項に記載の方法。
【請求項１３】
前記プリコーディング行列インジケータ情報は、広帯域チャネル状態情報ＣＳＩに対応する第１のプリコーディング行列インジケータ、及び／又は、サブバンドチャネル状態情報ＣＳＩに対応する第２のプリコーディング行列インジケータを有する、請求項１から１２のいずれか一項に記載の方法。
【請求項１４】
前記第１のプリコーディング行列インジケータ及び／又は前記第２のプリコーディング行列インジケータは、ブロックコードブック間の位相差を示すために用いられる情報を有する、請求項１３に記載の方法。
【請求項１５】
前記ブロックコードブック間の前記位相差を示すために用いられる前記情報は、少なくとも１つのインデックス値を有し、前記インデックス値と、前記ブロックコードブック間の前記位相差との間には対応関係がある、請求項１４に記載の方法。
【請求項１６】
前記プリコーディング行列インジケータ情報は、広帯域チャネル状態情報ＣＳＩに対応する第１のプリコーディング行列インジケータ、サブバンドチャネル状態情報ＣＳＩに対応する第２のプリコーディング行列インジケータ、及び、第３のプリコーディング行列インジケータを有し、前記第３のプリコーディング行列インジケータは、ブロックコードブック間の位相差を示すために用いられる情報を有する、請求項１から１５のいずれか一項に記載の方法。
【請求項１７】
通信方法であって、
端末デバイスにより、無線アクセスネットワークデバイスからシグナリングを受信する段階であって、前記シグナリングは、ブロックコードブックの数に関する情報、対応するアンテナパネルの数に関する情報、及び、アンテナポートグループの数のうちのいずれか１つを有する、段階と、
前記端末デバイスにより、前記ブロックコードブックの数に関する前記情報、前記対応するアンテナパネルの数に関する前記情報、及び、前記アンテナポートグループの数のうちのいずれか１つに基づいて、用いられる必要があるコードブックを知る段階と
を備える通信方法。
【請求項１８】
アンテナポートはチャネル状態情報基準信号ポートである、請求項１７に記載の通信方法。
【請求項１９】
通信方法であって、
無線アクセスネットワークデバイスにより、端末デバイスからプリコーディング行列インジケータ情報を受信する段階であって、前記プリコーディング行列インジケータ情報は、コードブック内のプリコーディング行列を示すために用いられる、段階であって、前記コードブックは、ブロックコードブックの数に関する情報及び異なるブロックコードブック間の位相差についての情報を有し、前記ブロックコードブックの前記数は、少なくとも２つである、段階と、
前記無線アクセスネットワークデバイスにより、前記端末デバイスにダウンリンクデータを送信する段階と
を備える方法。
【請求項２０】
通信方法であって、
無線アクセスネットワークデバイスにより、端末デバイスからプリコーディング行列インジケータ情報を受信する段階であって、前記プリコーディング行列インジケータ情報は、コードブック内のプリコーディング行列を示すために用いられ、前記コードブックは、対応するアンテナパネルの数に関する情報及び異なる対応するアンテナパネル間の位相差に関する情報を有する、段階と、
前記無線アクセスネットワークデバイスにより、前記端末デバイスにダウンリンクデータを送信する段階と
を備える方法。
【請求項２１】
通信方法であって、
無線アクセスネットワークデバイスにより、端末デバイスからプリコーディング行列インジケータ情報を受信する段階であって、前記プリコーディング行列インジケータ情報は、コードブック内のプリコーディング行列を示すために用いられ、前記コードブックは、アンテナポートグループの数と、異なるアンテナポートグループ間の位相係数に関する情報とを有する、段階と、
前記無線アクセスネットワークデバイスにより、前記端末デバイスにダウンリンクデータを送信する段階と
を備える方法。
【請求項２２】
前記コードブック内の前記プリコーディング行列は、
【数５３９】
2019537304.tif 000611
であり、Ｗの上付き記号は、ランク数を表し、φｎ＝ｅｊπｎ／２は、アンテナの２つの偏波方向間の位相差又は位相係数を表し、ｎの値の範囲は、｛０，１，２，３｝を満たし、ｌ及びｍはそれぞれ第１のＰＭＩの関数を表し、ｅは自然定数を表し、ｊは単位虚数を表し、πは円周率を表し、
【数５４０】
2019537304.tif 000612
であり、ｖｌは、長さがＫ１であるＤＦＴベクトルを表し、ｖｌのｋ１番目の要素は、
【数５４１】
2019537304.tif 000613
であり、ｋ１の値は、｛１，２，・・・，Ｋ１−１｝であり、Ｋ１は、各アンテナポートグループ内の水平次元におけるＣＳＩ−ＲＳポートの数であり、
【数５４２】
2019537304.tif 000614
であり、ｕｍは、長さがＫ２であるＤＦＴベクトルを表し、ｕｍのｋ２番目の要素は、
【数５４３】
2019537304.tif 000615
であり、ｋ２の値は、｛１，２，・・・，Ｋ２−１｝であり、Ｋ２は、各グループ内の垂直次元におけるＣＳＩ−ＲＳポートの数であり、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｏ１及びＯ２は、オーバサンプリング係数を表し、
【数５４４】
2019537304.tif 000616
は、クロネッカー積を表し、Ｎは、前記アンテナポートグループの数を表し、又は、アンテナパネルの数を表し、又は、Ｎは２又は４である
ことを満たす、請求項１９から２１のいずれか一項に記載の方法。
【請求項２３】
前記コードブック内の前記プリコーディング行列は、
【数５４５】
2019537304.tif 000617
であり、Ｗの上付き記号は、ランク数を表し、
【数５４６】
2019537304.tif 000618
であり、ｖｌ，ｍは、長さがＫ１×Ｋ２であるベクトルを表し、ｖｌ，ｍのｋ１番目の要素は、
【数５４７】
2019537304.tif 000619
であり、ｋ１の値は、｛１，２，・・・，Ｋ１−１｝であり、Ｋ１は、各グループ内の水平次元におけるＣＳＩ−ＲＳポートの数であり、
【数５４８】
2019537304.tif 000620
又は、
【数５４９】
2019537304.tif 000621
であり、ｕｍは、長さがＫ２であるＤＦＴベクトルを表し、ｕｍのｋ２番目の要素は、
【数５５０】
2019537304.tif 000622
であり、ｋ２の値は、｛１，２，・・・，Ｋ２−１｝であり、Ｋ２は、各グループ内の垂直次元におけるＣＳＩ−ＲＳポートの数であり、Ｏ１及びＯ２は、オーバサンプリング係数を表し、ｌ及びｍはそれぞれ第１のＰＭＩの関数を表し、φｎ＝ｅｊπｎ／２はアンテナの２つの偏波方向間の位相差又は位相係数を表し、ｎの値は｛０，１，２，３｝であり、ｅは自然定数を表し、ｊは単位虚数を表し、πは円周率を表し、（θ１・・・θＮ−１）は、異なるアンテナポートグループ間の位相差又は位相係数を表し、又は、ブロックコードブック間の位相差を表し、又は、アンテナパネル間の位相差又は位相係数を表し、θｒ＝２πｉ１，ｒ＋２／Ｘであり、ｒ＝１，・・・，Ｎ−１であり、Ｘは、｛２，４，８，...｝のセット内の値であり、Ｎは、前記アンテナポートグループの数を表し、又は、Ｎはアンテナパネルの数を表し、又は、Ｎは２、４又は８である
ことを満たす、請求項１９から２１のいずれか一項に記載の方法。
【請求項２４】
前記コードブック内の前記プリコーディング行列は、
【数５５１】
2019537304.tif 000623
であり、Ｗの上付き記号は、ランク数を表し、
【数５５２】
2019537304.tif 000624
であり、ｖｌは、長さがＫ１であるＤＦＴベクトルを表し、ｖｌのｋ１番目の要素は、
【数５５３】
2019537304.tif 000625
であり、ｋ１の値は、｛１，２，・・・，Ｋ１−１｝であり、Ｋ１は、各アンテナポートグループ内の水平次元におけるＣＳＩ−ＲＳポートの数であり、
【数５５４】
2019537304.tif 000626
であり、ｕｍは、長さがＫ２であるＤＦＴベクトルを表し、ｕｍのｋ２番目の要素は、
【数５５５】
2019537304.tif 000627
であり、ｋ２の値は、｛１，２，・・・，Ｋ２−１｝であり、Ｋ２は、各グループ内の垂直次元におけるＣＳＩ−ＲＳポートの数であり、ｌは、第１の水平コードブックインデックスの関数であり、第１のＰＭＩとの対応関係を有し、ｍは、第１の垂直コードブックインデックスの関数であり、前記第１のＰＭＩとの対応関係を有し、Ｏ１及びＯ２は、オーバサンプリング係数を表し、
【数５５６】
2019537304.tif 000628
は、クロネッカー積を表し、ｅは自然定数を表し、ｊは単位虚数を表し、πは円周率を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎ'は、前記アンテナポートグループの数とアンテナの偏波方向の数との積を表し、又は、Ｎ'は２、４又は８である
ことを満たす、請求項１９から２１のいずれか一項に記載の方法。
【請求項２５】
前記コードブック内の前記プリコーディング行列は、
【数５５７】
2019537304.tif 000629
であり、Ｗの上付き記号は、ランク数を表し、
【数５５８】
2019537304.tif 000630
であり、ｖｌ，ｍは、長さがＫ１×Ｋ２であるベクトルを表し、ｖｌ，ｍのｋ１番目の要素は、
【数５５９】
2019537304.tif 000631
であり、ｋ１の値は、｛１，２，・・・，Ｋ１−１｝であり、Ｋ１は、各アンテナポートグループ内の水平次元におけるＣＳＩ−ＲＳポートの数であり、
【数５６０】
2019537304.tif 000632
又は、
【数５６１】
2019537304.tif 000633
であり、ｕｍは、長さがＫ２であるＤＦＴベクトルを表し、ｕｍのｋ２番目の要素は、
【数５６２】
2019537304.tif 000634
であり、ｋ２の値は、｛１，２，・・・，Ｋ２−１｝であり、Ｋ２は、各アンテナポートグループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、ｍは、第１の垂直コードブックインデックスの関数であり、前記第１のＰＭＩとの対応関係を有し、Ｏ１及びＯ２は、オーバサンプリング係数を表し、（θ１・・・θＮ−１）は、同一のアンテナポートグループ内の異なる偏波方向でのアンテナポート間の位相差又は位相係数を表し、又は、異なるアンテナポートグループにおける同一の偏波方向でのアンテナポート間の位相差又は位相係数を表し、又は、異なるアンテナポートグループにおける異なる偏波方向でのアンテナポート間の位相差又は位相係数を表し、Ｎ'は、前記アンテナポートグループの数とアンテナの偏波方向の数との積を表し、又は、Ｎ'は２、４又は８である
ことを満たす、請求項１９から２１のいずれか一項に記載の方法。
【請求項２６】
前記位相係数は、θｒ＝２πｉ２，ｒ／Ｘであり、Ｘは、｛２，４，８，...｝のセット内の値であり得、ｒ＝１，・・・，Ｎ−１であり得る、請求項２４又は２５に記載の方法。
【請求項２７】
前記無線アクセスネットワークデバイスにより、前記端末デバイスに高次レイヤシグナリングを送信する段階であって、前記高次レイヤシグナリングは、前記ブロックコードブックの数に関する前記情報を有する、段階を備える、請求項１９及び２２から２６のいずれか一項に記載の方法。
【請求項２８】
前記無線アクセスネットワークデバイスにより、前記端末デバイスに高次レイヤシグナリングを送信する段階であって、前記高次レイヤシグナリングは、対応するアンテナパネルの数に関する情報を有する、段階を備える、請求項２０及び２２から２６のいずれか一項に記載の方法。
【請求項２９】
前記無線アクセスネットワークデバイスにより、前記端末デバイスに高次レイヤシグナリングを送信する段階であって、前記高次レイヤシグナリングは、前記アンテナポートグループの数を有する、段階を備える、請求項２１及び２２から２６のいずれか一項に記載の方法。
【請求項３０】
アンテナポートはチャネル状態情報基準信号ポートである、ことを備える、請求項２１から２９のいずれか一項に記載のプリコーディング行列を示すための方法。
【請求項３１】
前記プリコーディング行列インジケータ情報は、広帯域チャネル状態情報ＣＳＩに対応する第１のプリコーディング行列インジケータ、及び／又は、サブバンドチャネル状態情報ＣＳＩに対応する第２のプリコーディング行列インジケータを有すること、を備える、請求項１９から３０のいずれか一項に記載の方法。
【請求項３２】
前記第１のプリコーディング行列インジケータ及び／又は前記第２のプリコーディング行列インジケータは、ブロックコードブック間の位相差を示すために用いられる情報を有する、請求項３１に記載の方法。
【請求項３３】
前記ブロックコードブック間の前記位相差を示すために用いられる前記情報は、少なくとも１つのインデックス値を有し、前記インデックス値と、前記ブロックコードブック間の前記位相差との間には対応関係がある、請求項３２に記載の方法。
【請求項３４】
前記プリコーディング行列インジケータ情報は、広帯域チャネル状態情報ＣＳＩに対応する第１のプリコーディング行列インジケータ、サブバンドチャネル状態情報ＣＳＩに対応する第２のプリコーディング行列インジケータ、及び、第３のプリコーディング行列インジケータを有し、前記第３のプリコーディング行列インジケータは、ブロックコードブック間の位相差を示すために用いられる情報を有する、請求項１９から３０のいずれか一項に記載の方法。
【請求項３５】
通信方法であって、無線アクセスネットワークデバイスにより、端末デバイスにシグナリングを送信する段階であって、前記シグナリングは、ブロックコードブックの数に関する情報、対応するアンテナパネルの数に関する情報、及び、アンテナポートグループの数のうちのいずれか１つを有する、段階を備え、その結果、前記端末デバイスが、前記ブロックコードブックの数についての前記情報、前記対応するアンテナパネルの数に関する前記情報、及び、前記アンテナポートグループの数のうちのいずれか１つに基づいて、用いられる必要があるコードブックを知ることを可能にする、方法。
【請求項３６】
アンテナポートはチャネル状態情報基準信号ポートである、請求項３５に記載の方法。
【請求項３７】
プロセッサ、メモリ及び送受信機を備える端末デバイスであって、前記メモリは、命令を格納するように構成され、前記送受信機は、別のデバイスと通信するために、前記端末デバイスにより用いられ、前記プロセッサは、前記メモリに格納された前記命令を実行して、前記端末デバイスに、請求項１から１８のいずれか一項に記載の方法における処理を実行させるように構成される、端末デバイス。
【請求項３８】
プロセッサ、メモリ及び送受信機を備える無線アクセスネットワークデバイスであって、前記メモリは、命令を格納するように構成され、前記送受信機は、別のデバイスと通信するために、前記無線アクセスネットワークデバイスにより用いられ、前記プロセッサは、前記メモリに格納された前記命令を実行して、前記無線アクセスネットワークデバイスに、請求項１９から３６のいずれか一項に記載の方法における処理を実行させるように構成される、無線アクセスネットワークデバイス。
【請求項３９】
少なくとも１つのプロセッサを備えるチップシステムであって、前記少なくとも１つのプロセッサは、格納された命令を実行して、前記端末デバイスに、請求項１から１８のいずれか一項に記載の方法における処理を実行させるように構成される、チップシステム。
【請求項４０】
少なくとも１つのプロセッサを備えるチップシステムであって、前記少なくとも１つのプロセッサは、格納された命令を実行して、前記無線アクセスネットワークデバイスに、請求項１９から３６のいずれか一項に記載の方法における処理を実行させるように構成される、チップシステム。
【請求項４１】
コンピュータプログラムであって、前記コンピュータプログラムは命令を備え、実行されるときに、前記命令は、端末デバイスに、請求項１から１８のいずれか一項に記載の方法における処理を実行させる、コンピュータプログラム。
【請求項４２】
コンピュータプログラムであって、前記コンピュータプログラムは命令を備え、実行されるときに、前記命令は、無線アクセスネットワークデバイスに、請求項１９から３６のいずれか一項に記載の方法における処理を実行させる、コンピュータプログラム。
【請求項４３】
コンピュータ可読記憶媒体であって、前記コンピュータ可読記憶媒体は命令を格納し、実行されるときに、前記命令は、端末デバイスに、請求項１から１８のいずれか一項に記載の方法における処理を実行させる、コンピュータ可読記憶媒体。
【請求項４４】
コンピュータ可読記憶媒体であって、前記コンピュータ可読記憶媒体は命令を格納し、実行されるときに、前記命令は、無線アクセスネットワークデバイスに、請求項１９から３６のいずれか一項に記載の方法における処理を実行させる、コンピュータ可読記憶媒体。
【請求項４５】
請求項３７に記載の端末デバイス、及び／又は、請求項３８に記載の無線アクセスネットワークデバイスを備える通信システム。
【手続補正２】
【補正対象書類名】明細書
【補正対象項目名】０００４
【補正方法】変更
【補正の内容】
【０００４】
大規模ＭＩＭＯシステムにおいて、送信端でプリコーディングを実行することによりシステムの伝送性能を向上させるためには、送信端がチャネル状態情報（Ｃｈａｎｎｅｌ  Ｓｔａｔｅ  Ｉｎｆｏｒｍａｔｉｏｎ、略してＣＳＩ）を知る必要があるが、ＣＳＩは、通常、受信端によりチャネル測定を実行することにより得られる。したがって、受信端は、送信端にＣＳＩをフィードバックする必要がある。従来技術では、送信端にＣＳＩをフィードバックするために、受信端は、主に、プリコーディング行列インジケータ（ｐｒｅｃｏｄｉｎｇ  ｍａｔｒｉｘ  ｉｎｄｉｃａｔｏｒ、略してＰＭＩ）を送信端にフィードバックする。具体的には、送信端及び受信端は、コードブックを共有する。送信端は、チャネル推定を通じてＣＳＩを取得した後、ＣＳＩに基づいてコードブックからプリコーディング行列を選択し、プリコーディング行列に対応するＰＭＩを基地局にフィードバックする。基地局は、ＰＭＩに基づいて最適なプリコーディング行列を取得してから、プリコーディング処理を実行する。
【手続補正３】
【補正対象書類名】明細書
【補正対象項目名】００２９
【補正方法】変更
【補正の内容】
【００２９】
第２態様によれば、本発明の実施形態は、コードブックベースのチャネル状態情報のフィードバック方法を提供し、方法は、送信／受信ポイントＴＲＰにより、ユーザ機器ＵＥにより送信されたプリコーディング行列インジケータＰＭＩを受信する段階であって、ＰＭＩは、目標プリコーディング行列、及び、ブロックコードブックの差分パラメータに対応するパラメータ値を示すために用いられる、段階を含み、
目標プリコーディング行列は、コードブック内のプリコーディング行列であり、コードブックは、コードブック構成パラメータに基づいてＴＲＰにより予め生成されたコードブックであり、コードブック内の少なくともいくつかのプリコーディング行列は、ブロックコードブック内のプリコーディング行列と、パラメータ値とからの変換を通じて得られ、少なくとも２つのブロックコードブックがあり、パラメータ値の数とブロックコードブックの数との間には対応関係があり、コードブック構成パラメータは、コードブック内のブロックコードブックの数、及び、ブロックコードブック内のプリコーディング行列に対応するベクトルの長さを含み、ブロックコードブックは、予め設定されたプリコーディング行列に基づいて形成される。
【手続補正４】
【補正対象書類名】明細書
【補正対象項目名】００３５
【補正方法】変更
【補正の内容】
【００３５】
実現可能な設計において、送信／受信ポイントＴＲＰにより、ユーザ機器ＵＥにより送信されたプリコーディング行列インジケータＰＭＩを受信する段階の前に、方法は、
ＴＲＰにより、コードブック構成パラメータをＵＥに送信する段階をさらに含む。
【手続補正５】
【補正対象書類名】明細書
【補正対象項目名】００７０
【補正方法】変更
【補正の内容】
【００７０】
実現可能な設計において、前述の設計のいずれか１つは、無線アクセスネットワークデバイスにより、高次レイヤシグナリングを端末デバイスに送信する段階であって、高次レイヤシグナリングは、ブロックコードブックの数に関する情報を含む、段階をさらに含む。実現可能な設計において、前述の設計のいずれか１つは、
無線アクセスネットワークデバイスにより、高次レイヤシグナリングを端末デバイスに送信する段階であって、高次レイヤシグナリングは、対応するアンテナパネルの数に関する情報を含む、段階をさらに含む。
【手続補正６】
【補正対象書類名】明細書
【補正対象項目名】０１４３
【補正方法】変更
【補正の内容】
【０１４３】
（１）任意に、ユーザ機器により基地局にフィードバックされたＰＭＩは、第１のＰＭＩ、第２のＰＭＩ及び第３のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。第３のＰＭＩは、第３のコードブックインデックスに対応する。ｎの値は、第２のコードブックインデックスにより示される。ｍの値は、第１の垂直コードブックインデックスにより示される、又は、第１の垂直コードブックインデックス及び第２のコードブックインデックスにより示される。ｌの値は、第１の水平コードブックインデックスにより示される、又は、第１の水平コードブックインデックス及び第２のコードブックインデックスにより示される。（θ１・・・θＮ−１）は、第３のコードブックインデックスにより示され得る。例えば、第３のコードブックインデックスは、複数の値ｉ３，ｒを含み、ｒ＝１，・・・，Ｎ−１であり、θｒ＝２πｉ３，ｒ／Ｘであり、Ｘは、｛２，４，８，...｝のセット内の値であり得る。Ｎ＝２の場合のコードブックの具体的な例が以下に提供される。
【表１】
2019537304.tif 000635
又は、
【表２】
2019537304.tif 000636
【手続補正７】
【補正対象書類名】明細書
【補正対象項目名】０１４５
【補正方法】変更
【補正の内容】
【０１４５】
（２）任意に、ユーザ機器により基地局にフィードバックされたＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。ｎの値は、第２のコードブックインデックスにより示される。ｎの値は、第２のコードブックインデックスにより示される。ｍの値は、第１の垂直コードブックインデックスにより示される、又は、第１の垂直コードブックインデックス及び第２のコードブックインデックスにより示される。ｌの値は、第１の水平コードブックインデックスにより示される、又は、第１の水平コードブックインデックス及び第２のコードブックインデックスにより示される。（θ１・・・θＮ−１）は、第１のコードブックインデックスにより示され得る。可能な実装例において、第１のコードブックインデックスは、Ｎ＋２個の値を含み、１つの値ｉ１，１は、ｌの値を決定するために用いられ、もう一つの値ｉ１，２は、ｍの値を決定するために用いられ、残りのＮ個の値は、（θ１・・・θＮ−１）を決定するために用いられ、例えば、θｒ＝２πｉ１，ｒ＋２／Ｘであり、ｒ＝１，・・・，Ｎ−１であり、Ｘは、｛２，４，８，...｝のセット内の値であり得る。Ｎ＝２の場合のコードブックの具体的な例が以下に提供される。
【表３】
2019537304.tif 000637
又は、
【表４】
2019537304.tif 000638
【手続補正８】
【補正対象書類名】明細書
【補正対象項目名】０１５１
【補正方法】変更
【補正の内容】
【０１５１】
代わりに、ランク１を有するコードブック内のプリコーディング行列の構造は、以下のようであってもよい。
【数１５５】
2019537304.tif 000639
であり、
【数１５６】
2019537304.tif 000640
であり、ｖｌ，ｍは、長さがＫ１×Ｋ２であるベクトルを表し、Ｋ１は、各グループ内の水平次元におけるＣＳＩ−ＲＳポートの数であり、
【数１５７】
2019537304.tif 000641
又は、
【数１５８】
2019537304.tif 000642
であり、ｕｍは、長さがＫ２であるＤＦＴベクトルを表し、Ｋ２は、各グループ内の垂直次元におけるＣＳＩ−ＲＳポートの数であり、Ｏ１及びＯ２は、オーバサンプリング係数を表し、ｌは、第１の水平コードブックインデックスの関数であり、第１のＰＭＩとの対応関係を有し、第１のＰＭＩは広帯域ＰＭＩであってよく、ｍは、第１の垂直コードブックインデックスの関数であり、第１のＰＭＩとの対応関係を有し、Ｏ１及びＯ２は、オーバサンプリング係数を表し、
【数１５９】
2019537304.tif 000643
は、クロネッカー積を表し、ｅは自然定数を表し、ｊは単位虚数を表し、πは円周率を表し、（θ１・・・θＮ−１）は、異なるアンテナポートグループ間の位相差パラメータ又は位相係数を表し、又は、異なる偏波方向におけるアンテナポート間の位相係数を表し、又は、アンテナパネル間の位相差パラメータ又は位相係数を表し、
【数１６０】
2019537304.tif 000644
の値は、｛＋１，−１，＋ｊ，−ｊ｝であってよく、Ｎは、アンテナポートグループの数を表し得る、又は、アンテナパネルの数を表し得る。
【手続補正９】
【補正対象書類名】明細書
【補正対象項目名】０１５３
【補正方法】変更
【補正の内容】
【０１５３】
任意に、ユーザ機器により基地局にフィードバックされたＰＭＩは、第１のＰＭＩ及び第２のＰＭＩを含む。第１のＰＭＩは、２つのコードブックインデックスに対応する。説明しやすくするために、２つのコードブックインデックスは、第１の水平コードブックインデックス及び第１の垂直コードブックインデックスと称される。第２のＰＭＩは、第２のコードブックインデックスに対応する。ｎの値は、第２のコードブックインデックスにより示される。ｍの値は、第１の垂直コードブックインデックスにより示される、又は、第１の垂直コードブックインデックス及び第２のコードブックインデックスにより示される。ｌの値は、第１の水平コードブックインデックスにより示される、又は、第１の水平コードブックインデックス及び第２のコードブックインデックスにより示される。
【手続補正１０】
【補正対象書類名】明細書
【補正対象項目名】０１７２
【補正方法】変更
【補正の内容】
【０１７２】
【数２００】
2019537304.tif 000645
任意に、式は、
【数２０１】
2019537304.tif 000646
であってよく、φｎ＝ｅｊπｎ／２は、アンテナの２つの偏波方向間の位相差を表し、
【数２０２】
2019537304.tif 000647
であり、任意に、
【数２０３】
2019537304.tif 000648
であり、ｖｌ，βは、水平次元におけるＮ１個のブロックコードブックと、ブロックコードブックの差分パラメータに対応するパラメータ値とからの変換を通じて得られるコードブック内のプリコーディング行列を表し、
【数２０４】
2019537304.tif 000649
であり、ｖｌは、長さがＫ１であるベクトルに基づいて各ブロックコードブックが形成されることを表し、Ｋ１は、水平次元における各ブロックコードブックに対応するＣＳＩ−ＲＳポートの数であり、βは、水平次元におけるモジュラス値の差分パラメータを表し、
【数２０５】
2019537304.tif 000650
は、水平次元での異なるブロックコードブックにおけるプリコーディング行列間のモジュラス値の差を表し、
【数２０６】
2019537304.tif 000651
であり、任意に、
【数２０７】
2019537304.tif 000652
であり、ｕｍ，αは、垂直次元におけるＮ２個のブロックコードブックに対応するＮ２個のＤＦＴベクトルを表し、
【数２０８】
2019537304.tif 000653
であり、ｕｍは、長さがＫ２であるＤＦＴベクトルに基づいて各ブロックコードブックが形成されることを表し、Ｋ２は、垂直次元における各ブロックコードブックに対応するＣＳＩ−ＲＳポートの数であり、αは、垂直次元におけるモジュラス値の差分パラメータを表し、
【数２０９】
2019537304.tif 000654
は、垂直次元での異なるブロックコードブックにおけるプリコーディングベクトル間のモジュラス値の差を表し、Ｏ１及びＯ２は、オーバサンプリング係数を表し、ｌ、ｍ及びｎはそれぞれ、コードブックインデックスの関数であり、コードブックインデックスはＰＭＩとの対応関係を有し、ｊは単位虚数であり、
【数２１０】
2019537304.tif 000655
は、クロネッカー積を表す。
【手続補正１１】
【補正対象書類名】明細書
【補正対象項目名】０２１５
【補正方法】変更
【補正の内容】
【０２１５】
図９は、統合されたユニットが用いられる場合の、本発明の実施形態に係るＴＲＰの模式構造図である。ＴＲＰ３００は、処理ユニット３２及び通信ユニット３３を含む。通信ユニット３３は、ＴＲＰとユーザ機器との間の通信をサポートするために用いられる。処理ユニット３２は、ＴＲＰの動作を制御及び管理するように構成される。例えば、処理ユニット３２は、ＰＭＩに基づいて、予め生成されたコードブック内の目標プリコーディング行列を決定してよい。通信ユニット３３は、ＵＥにより送信されたＰＭＩを受信し、コードブック構成パラメータをＵＥに送信してよい。ＴＲＰは、ストレージユニット３１をさらに含んでよく、ＴＲＰのプログラムコード及びデータを格納するように構成される。
【手続補正１２】
【補正対象書類名】明細書
【補正対象項目名】０２４１
【補正方法】変更
【補正の内容】
【０２４１】
実施形態２１：実施形態１５から実施形態２０のいずれか１つに係る方法において、送信／受信ポイントＴＲＰにより、ユーザ機器ＵＥにより送信されたプリコーディング行列インジケータＰＭＩを受信する段階の前に、方法は、
ＴＲＰにより、コードブック構成パラメータをＵＥに送信する段階をさらに含む。
【手続補正１３】
【補正対象書類名】明細書
【補正対象項目名】０２５９
【補正方法】変更
【補正の内容】
【０２５９】
実施形態３９：実施形態３８に係る通信方法は、
アンテナポートがチャネル状態情報基準信号ポートであることを含む。
【手続補正１４】
【補正対象書類名】明細書
【補正対象項目名】０２７０
【補正方法】変更
【補正の内容】
【０２７０】
実施形態５０：無線アクセスネットワークデバイスは、プロセッサ、メモリ及び送受信機を含む。メモリは、命令を格納するように構成され、送受信機は、別のデバイスと通信するために無線アクセスネットワークデバイスにより用いられ、プロセッサは、メモリに格納された命令を実行して、実施形態４０から実施形態４８のいずれか１つに係る方法における工程を無線アクセスネットワークデバイスに実行させるように構成される。
【国際調査報告】
2019537304.tif 000656
2019537304.tif 000657
2019537304.tif 000658
2019537304.tif 000659